(57)【要約】  本発明は、ダウンリンク制御情報を送信するための方法、ネットワーク側装置、およびユーザ機器を提供する。当該ダウンリンク制御情報を送信するための方法は、ネットワーク側装置により、送信サブフレームにおいて物理制御チャネル集合の検出すべき集約レベルを選択するステップと、当該集約レベルに対応する物理制御チャネル候補の数を当該集約レベルに従って選択するステップと、当該ネットワーク側により、当該選択された数に対応する物理制御チャネル候補でダウンリンク制御情報を送信するステップとを含む。ブラインド検出が当該集約レベルに応じて実施される回数は物理制御チャネル候補の数に対応し、したがって、物理制御チャネル候補の数が決定されると、ブラインド検出が実施される回数が決定され、その結果、ネットワーク側装置とユーザ機器はブラインド検出が実施される回数を増大させることなく互いと通信することができる。
2015532069.tif 000002
【特許請求の範囲】
【請求項１】
ダウンリンク制御情報を送信するための方法であって、
ネットワーク側装置により、送信サブフレームにおいて物理制御チャネル集合の検出すべき集約レベルを選択するステップと、
前記集約レベルに対応する物理制御チャネル候補の数を前記集約レベルに従って選択するステップと、
前記ネットワーク側装置により、前記選択された数に対応する物理制御チャネル候補でダウンリンク制御情報を送信するステップと、
を含む、方法。
【請求項２】
送信サブフレームにおいて物理制御チャネル集合の検出すべき集約レベルを選択するステップは、
物理制御チャネルに利用可能な前記物理制御チャネル集合のＰＲＢペアにおけるＲＥの数が閾値Ｘより小さいとき、前記物理制御チャネル集合の最小の検出すべき集約レベルを２と選択し、前記物理制御チャネル集合の前記ＰＲＢペアに含まれるＲＥの数は前記閾値Ｘ以上であるとき、前記物理制御チャネル集合の前記最小の検出すべき集約レベルを１と選択するステップ
または、
送信サブフレーム・タイプが、正常ＣＰ長を有する正常サブフレームまたは３、４、もしくは８として構成された特殊サブフレームであり、かつ、物理制御チャネルに対して利用可能な１つのＰＲＢペアの中のＲＥの数がＸより小さいとき、前記物理制御チャネル集合の最小の検出すべき集約レベルを２と決定するステップであって、正常ＣＰ長を有する正常サブフレームではなく３、４、もしくは８として構成された特殊サブフレームでもないか、または、物理制御チャネルに対して利用可能な１つのＰＲＢペアの中のＲＥの数がＸより大きいとき、前記物理制御チャネル集合の前記最小の検出すべき集約レベルは１であり、前記物理制御チャネル集合の前記最小の検出すべき集約レベルは１である、ステップ
を含む、請求項１に記載の方法。
【請求項３】
前記集約レベルに対応する物理制御チャネル候補の数を前記集約レベルに従って選択するステップは、
前記物理制御チャネル集合を２つの集合に分割するステップであって、一方の集合は前記物理制御チャネルの局所マップ方式に対応し、他方の集合は前記物理制御チャネルの分散マップ方式に対応するステップと、
前記局所マップ方式と前記分散マップ方式における各集約レベルに対応するＥＰＤＣＣＨ候補の数をそれぞれ選択するステップと、
請求項２に記載の方法。
【請求項４】
前記局所マップ方式と前記分散マップ方式における各集約レベルに対応するＥＰＤＣＣＨ候補の数をそれぞれ選択するステップは、
前記集約レベルが２である場合、前記ネットワーク側装置により、前記局所マップ方式に対応するＥＰＤＣＣＨ候補の数と前記分散マップ方式に対応するＥＰＤＣＣＨ候補の数の合計を６として選択するステップと、
前記集約レベルが４である場合、前記ネットワーク側装置により、前記局所マップ方式に対応するＥＰＤＣＣＨ候補の数と前記分散マップ方式に対応するＥＰＤＣＣＨ候補の数の合計を６として選択するステップと、
前記集約レベルが８である場合、前記ネットワーク側装置により、前記局所マップ方式に対応するＥＰＤＣＣＨ候補の数と前記分散マップ方式に対応するＥＰＤＣＣＨ候補の数の合計を２として選択するステップと、および
前記集約レベルが１６である場合、前記ネットワーク側装置により、前記局所マップ方式に対応するＥＰＤＣＣＨ候補の数と前記分散マップ方式に対応するＥＰＤＣＣＨ候補の数の合計を２として選択するステップと、
を含む、請求項３に記載の方法。
【請求項５】
前記局所マップ方式と前記分散マップ方式における各集約レベルに対応するＥＰＤＣＣＨ候補の数をそれぞれ選択するステップは、
前記局所マップ方式に対しては、前記ネットワーク側装置により、前記集約レベル２に対応するＥＰＤＣＣＨ候補の数と前記集約レベル４に対応するＥＰＤＣＣＨ候補の数の両方を６として選択し、前記集約レベル８に対応するＥＰＤＣＣＨ候補の数と前記集約レベル１６に対応するＥＰＤＣＣＨ候補の数の両方を０として選択し、前記分散マップ方式に対しては、前記ネットワーク側装置により、前記集約レベル２に対応するＥＰＤＣＣＨ候補の数と前記集約レベル４に対応するＥＰＤＣＣＨ候補の数の両方を０として選択し、前記集約レベル８に対応するＥＰＤＣＣＨ候補の数と前記集約レベル１６に対応するＥＰＤＣＣＨ候補の数の両方を２として選択するステップ、
または、
前記局所マップ方式に対しては、前記ネットワーク側装置により、前記集約レベル２に対応するＥＰＤＣＣＨ候補の数と前記集約レベル４に対応するＥＰＤＣＣＨ候補の数の両方を３として選択し、前記集約レベル８に対応するＥＰＤＣＣＨ候補の数と前記集約レベル１６に対応するＥＰＤＣＣＨ候補の数の両方を１として選択し、前記分散マップ方式に対しては、前記ネットワーク側装置により、前記集約レベル２に対応するＥＰＤＣＣＨ候補の数と前記集約レベル４に対応するＥＰＤＣＣＨ候補の数の両方を３として選択し、前記集約レベル８に対応するＥＰＤＣＣＨ候補の数と前記集約レベル１６に対応するＥＰＤＣＣＨ候補の数の両方を１として選択するステップ、
または、
前記局所マップ方式に対しては、前記ネットワーク側装置により、前記集約レベル２に対応するＥＰＤＣＣＨ候補の数を６として選択し、前記集約レベル４に対応するＥＰＤＣＣＨ候補の数、前記集約レベル８に対応するＥＰＤＣＣＨ候補の数、および前記集約レベル１６に対応するＥＰＤＣＣＨ候補の数を０として選択し、前記分散マップ方式に対しては、前記ネットワーク側装置により、前記集約レベル２に対応するＥＰＤＣＣＨ候補の数を０として選択し、前記集約レベル４に対応するＥＰＤＣＣＨ候補の数を６として選択し、前記集約レベル８に対応するＥＰＤＣＣＨ候補の数と前記集約レベル１６に対応するＥＰＤＣＣＨ候補の数の両方を２として選択するステップ
を含む、請求項４に記載の方法。
【請求項６】
前記局所マップ方式と前記分散マップ方式における各集約レベルに対応するＥＰＤＣＣＨ候補の数をそれぞれ選択するステップは、
前記分散マップ方式に対しては、記ネットワーク側装置により、前記集約レベル３２に対応するＥＰＤＣＣＨ候補の数を０として選択するステップ
を含む、請求項４に記載の方法。
【請求項７】
前記局所マップ方式と前記分散マップ方式における各集約レベルに対応するＥＰＤＣＣＨ候補の数をそれぞれ選択するステップは、
前記集約レベルが３２である場合、および、前記集約レベルが２である場合、前記ネットワーク側装置により、前記局所マップ方式での前記集約レベル２に対応するＥＰＤＣＣＨ候補の数、前記分散マップ方式での前記集約レベル３２に対応するＥＰＤＣＣＨ候補の数、および前記分散マップ方式での前記集約レベル２に対応するＥＰＤＣＣＨ候補の数の合計を６として選択するステップ、
または、
前記集約レベルが３２であり前記集約レベルが４である場合、前記ネットワーク側装置により、前記局所マップ方式での前記集約レベル４に対応するＥＰＤＣＣＨ候補の数、前記分散マップ方式での前記集約レベル３２に対応するＥＰＤＣＣＨ候補の数、および前記分散マップ方式での前記集約レベル２に対応するＥＰＤＣＣＨ候補の数の合計を６として選択するステップ、
または、
前記集約レベルが３２であり前記集約レベルが８である場合、前記ネットワーク側装置により、前記局所マップ方式での前記集約レベル８に対応するＥＰＤＣＣＨ候補の数、前記分散マップ方式での前記集約レベル３２に対応するＥＰＤＣＣＨ候補の数、および前記分散マップ方式での前記集約レベル８に対応するＥＰＤＣＣＨ候補の数の合計を２として選択するステップ、
または、
前記集約レベルが３２であり前記集約レベルが１６である場合、前記ネットワーク側装置により、前記局所マップ方式での前記集約レベル１６に対応するＥＰＤＣＣＨ候補の数、前記分散マップ方式での前記集約レベル３２に対応するＥＰＤＣＣＨ候補の数、および前記分散マップ方式での前記集約レベル１６に対応するＥＰＤＣＣＨ候補の数の合計を２として選択するステップ
を含む、請求項４に記載の方法。
【請求項８】
前記局所マップ方式と前記分散マップ方式における各集約レベルに対応するＥＰＤＣＣＨ候補の数をそれぞれ選択するステップは、
前記集約レベルが１である場合、前記ネットワーク側装置により、前記局所マップ方式に対応するＥＰＤＣＣＨ候補の数と前記分散マップ方式に対応するＥＰＤＣＣＨ候補の数の合計を６として選択するステップと、
前記集約レベルが２である場合、前記ネットワーク側装置により、前記局所マップ方式に対応するＥＰＤＣＣＨ候補の数と前記分散マップ方式に対応するＥＰＤＣＣＨ候補の数の合計を６として選択するステップと、
前記集約レベルが４である場合、前記ネットワーク側装置により、前記局所マップ方式に対応するＥＰＤＣＣＨ候補の数と前記分散マップ方式に対応するＥＰＤＣＣＨ候補の数の合計を２として選択するステップと、および
前記集約レベルが８である場合、前記ネットワーク側装置により、前記局所マップ方式に対応するＥＰＤＣＣＨ候補の数と前記分散マップ方式に対応するＥＰＤＣＣＨ候補の数の合計を２として選択するステップと、
を含む、請求項３に記載の方法。
【請求項９】
前記局所マップ方式と前記分散マップ方式における各集約レベルに対応するＥＰＤＣＣＨ候補の数をそれぞれ選択するステップは、
前記局所マップ方式に対しては、前記ネットワーク側装置により、前記集約レベル１に対応するＥＰＤＣＣＨ候補の数と前記集約レベル２に対応するＥＰＤＣＣＨ候補の数の両方を６として選択し、前記集約レベル４に対応するＥＰＤＣＣＨ候補の数と前記集約レベル８に対応するＥＰＤＣＣＨ候補の数の両方を０として選択し、前記分散マップ方式に対しては、前記ネットワーク側装置により、前記集約レベル１に対応するＥＰＤＣＣＨ候補の数と前記集約レベル２に対応するＥＰＤＣＣＨ候補の数の両方を０として選択し、前記集約レベル４に対応するＥＰＤＣＣＨ候補の数と前記集約レベル８に対応するＥＰＤＣＣＨ候補の数の両方を２として選択するステップ、
または、
前記局所マップ方式に対しては、前記ネットワーク側装置により、前記集約レベル１に対応するＥＰＤＣＣＨ候補の数と前記集約レベル２に対応するＥＰＤＣＣＨ候補の数の両方を３として選択し、前記集約レベル４に対応するＥＰＤＣＣＨ候補の数と前記集約レベル８に対応するＥＰＤＣＣＨ候補の数の両方を１として選択し、前記分散マップ方式に対しては、前記ネットワーク側装置により、前記集約レベル１に対応するＥＰＤＣＣＨ候補の数と前記集約レベル２に対応するＥＰＤＣＣＨ候補の数の両方を３として選択し、前記集約レベル４に対応するＥＰＤＣＣＨ候補の数と前記集約レベル８に対応するＥＰＤＣＣＨ候補の数の両方を１として選択するステップと、
または、
前記局所マップ方式に対しては、前記ネットワーク側装置により、前記集約レベル１に対応するＥＰＤＣＣＨ候補の数を６として選択し、前記集約レベル２に対応するＥＰＤＣＣＨ候補の数、前記集約レベル４に対応するＥＰＤＣＣＨ候補の数、および前記集約レベル８に対応するＥＰＤＣＣＨ候補の数を０として選択し、前記分散マップ方式に対しては、前記ネットワーク側装置により、前記集約レベル１に対応するＥＰＤＣＣＨ候補の数を０として選択し、前記集約レベル２に対応するＥＰＤＣＣＨ候補の数を６として選択し、前記集約レベル４に対応するＥＰＤＣＣＨ候補の数と前記集約レベル８に対応するＥＰＤＣＣＨ候補の数の両方を２として選択するステップ
を含む、請求項８に記載の方法。
【請求項１０】
前記局所マップ方式と前記分散マップ方式における各集約レベルに対応するＥＰＤＣＣＨ候補の数をそれぞれ選択するステップは、
前記分散マップ方式に対しては、前記ネットワーク側装置により、前記集約レベル１６に対応するＥＰＤＣＣＨ候補の数を０として選択するステップ
を含む、請求項８に記載の方法。
【請求項１１】
前記局所マップ方式と前記分散マップ方式における各集約レベルに対応するＥＰＤＣＣＨ候補の数をそれぞれ選択するステップは、
前記集約レベルが１６であり前記集約レベルが１である場合、前記ネットワーク側装置により、前記局所マップ方式での前記集約レベル１６に対応するＥＰＤＣＣＨ候補の数、前記局所マップ方式での前記集約レベル１に対応するＥＰＤＣＣＨ候補の数、前記分散マップ方式での前記集約レベル１６に対応するＥＰＤＣＣＨ候補の数、および前記分散マップ方式での前記集約レベル１に対応するＥＰＤＣＣＨ候補の数の合計を６として選択するステップ、
または、
前記集約レベルが１６であり前記集約レベルが２である場合、前記ネットワーク側装置により、前記局所マップ方式での前記集約レベル１６に対応するＥＰＤＣＣＨ候補の数、前記局所マップ方式での前記集約レベル２に対応するＥＰＤＣＣＨ候補の数、前記分散マップ方式での前記集約レベル１６に対応するＥＰＤＣＣＨ候補の数、および前記分散マップ方式での前記集約レベル２に対応するＥＰＤＣＣＨ候補の数の合計を６として選択するステップ、または、
前記集約レベルが１６であり前記集約レベルが４である場合、前記ネットワーク側装置により、前記局所マップ方式での前記集約レベル１６に対応するＥＰＤＣＣＨ候補の数、前記局所マップ方式での前記集約レベル４に対応するＥＰＤＣＣＨ候補の数、前記分散マップ方式での前記集約レベル１６に対応するＥＰＤＣＣＨ候補の数、および前記分散マップ方式での前記集約レベル４に対応するＥＰＤＣＣＨ候補の数の合計を２として選択するステップ、または、
前記集約レベルが１６であり前記集約レベルが８である場合、前記ネットワーク側装置により、前記局所マップ方式での前記集約レベル１６に対応するＥＰＤＣＣＨ候補の数、前記局所マップ方式での前記集約レベル８に対応するＥＰＤＣＣＨ候補の数、前記分散マップ方式での前記集約レベル１６に対応するＥＰＤＣＣＨ候補の数、および前記分散マップ方式での前記集約レベル８に対応するＥＰＤＣＣＨ候補の数の合計を２として選択するステップ
を含む、請求項８に記載の方法。
【請求項１２】
前記局所マップ方式と前記分散マップ方式における各集約レベルに対応するＥＰＤＣＣＨ候補の数をそれぞれ選択するステップは、
前記局所マップ方式に対しては、前記ネットワーク側装置により、前記集約レベル２に対応するＥＰＤＣＣＨ候補の数を６として選択し、前記集約レベル４に対応するＥＰＤＣＣＨ候補の数を２として選択し、前記集約レベル８に対応するＥＰＤＣＣＨ候補の数を２として選択し、前記分散マップ方式に対しては、前記ネットワーク側装置により、６つのＥＰＤＣＣＨ候補を少なくとも１つの集約レベルに割り当てることを選択するステップ、または、
前記局所マップ方式に対しては、前記ネットワーク側装置により、前記集約レベル２に対応するＥＰＤＣＣＨ候補の数を６として選択し、前記集約レベル４に対応するＥＰＤＣＣＨ候補の数を６として選択し、前記集約レベル８に対応するＥＰＤＣＣＨ候補の数を２として選択し、前記分散マップ方式に対しては、前記ネットワーク側装置により、２つのＥＰＤＣＣＨ候補を少なくとも１つの集約レベルに割り当てることを選択するステップ、または、
前記局所マップ方式に対しては、前記ネットワーク側装置により、前記集約レベル１に対応するＥＰＤＣＣＨ候補の数を６として選択し、前記集約レベル２に対応するＥＰＤＣＣＨ候補の数を２として選択し、前記集約レベル４に対応するＥＰＤＣＣＨ候補の数を２として選択し、前記分散マップ方式に対しては、前記ネットワーク側装置により、６つのＥＰＤＣＣＨ候補を少なくとも１つの集約レベルに割り当てることを選択するステップ、または、
前記局所マップ方式に対しては、前記ネットワーク側装置により、前記集約レベル１に対応するＥＰＤＣＣＨ候補の数を６として選択し、前記集約レベル２に対応するＥＰＤＣＣＨ候補の数を６として選択し、前記集約レベル４に対応するＥＰＤＣＣＨ候補の数を２として選択し、前記分散マップ方式に対しては、前記ネットワーク側装置により、２つのＥＰＤＣＣＨ候補を少なくとも１つの集約レベルに割り当てることを選択するステップ
を含む、請求項３に記載の方法。
【請求項１３】
前記集約レベルに対応する物理制御チャネル候補の数を前記集約レベルに従って選択するステップは、
前記物理制御チャネル集合の前記検出すべき集約レベルに対応する物理制御チャネル候補の数を選択するステップ
を含む、請求項１に記載の方法。
【請求項１４】
前記物理制御チャネル集合の前記検出すべき集約レベルに対応する物理制御チャネル候補の数を選択するステップは、
前記物理制御チャネル集合が局所マップ方式であるとき、同一の集約レベルに対して、前記集約レベルに対応する物理制御チャネル候補の数を前記物理制御チャネル集合のＰＲＢの数に従って選択するステップと、
前記物理制御チャネル集合が分散マップ方式であるとき、同一の集約レベルに対して、前記集約レベルに対応する物理制御チャネル候補の数を前記物理制御チャネル集合のＰＲＢの数に従って選択するステップと、
を含む、請求項１３に記載の方法。
【請求項１５】
前記物理制御チャネル集合の前記検出すべき集約レベルに対応する物理制御チャネル候補の数を選択するステップは、
前記物理制御チャネル集合が前記局所マップ方式であるとき、前記同一の集約レベルに対して、前記集約レベルに対応する物理制御チャネル候補の数を前記物理制御チャネル集合のＰＲＢの数に従って選択するステップであって、物理制御チャネル候補の数はＰＲＢの数に正比例する、ステップと、
前記物理制御チャネル集合が前記分散マップ方式であるとき、前記同一の集約レベルに対して、前記集約レベルに対応する物理制御チャネル候補の数を前記物理制御チャネル集合のＰＲＢの数に従って選択するステップであって、物理制御チャネル候補の数はＰＲＢの数に正比例する、ステップと、
を含む、請求項１４に記載の方法。
【請求項１６】
前記物理制御チャネル集合が前記分散マップ方式であるとき、前記物理制御チャネル集合に含まれるＰＲＢの数Ｎが８である場合、前記物理制御チャネル集合の中の前記集約レベル１に対応する物理制御チャネル候補の数は０であり、
前記物理制御チャネル集合が前記分散マップ方式であるとき、前記物理制御チャネル集合に含まれるＰＲＢの数Ｎが１６である場合、前記物理制御チャネル集合の中の前記集約レベル１および２に対応する物理制御チャネル候補の数は０である、
請求項１３乃至１５の何れか１項に記載の方法。
【請求項１７】
ダウンリンク制御情報を前記制御チャネル集合の前記制御チャネル候補で送信するステップは、
前記ネットワーク側装置により、前記分散マップ方式に対応するＥＰＤＣＣＨ候補で、ＳＩ−ＲＮＴＩまたはＲＡ−ＲＮＴＩを用いてスクランブルされたダウンリンク制御情報を送信し、前記局所マップ方式に対応するＥＰＤＣＣＨ候補で、前記ＳＩ−ＲＮＴＩと前記ＲＡ−ＲＮＴＩ以外の別のＲＮＴＩを用いてスクランブルされたダウンリンク制御情報を送信するステップ
を含む、請求項１乃至１６の何れか１項に記載の方法。
【請求項１８】
ダウンリンク制御情報を前記制御チャネル集合の前記制御チャネル候補で送信するステップは、
前記ネットワーク側装置により、前記局所マップ方式と前記分散マップ方式のうち１つに対応するＥＰＤＣＣＨ候補で、クロスキャリアスケジューリング命令を含むダウンリンク制御情報を送信し、他方の方式に対応するＥＰＤＣＣＨ候補で、前記クロスキャリアスケジューリング命令を含まないダウンリンク制御情報を送信するステップ
を含む、請求項１乃至１６の何れか１項に記載の方法。
【請求項１９】
ダウンリンク制御情報を前記制御チャネル集合の前記制御チャネル候補で送信するステップは、
前記ネットワーク側装置により、前記分散マップ方式に対応する前記ＥＰＤＣＣＨ候補のＥＰＤＣＣＨを通じてダウンリンク制御情報をフォーマット０および／またはフォーマット１Ａで送信し、前記局所方式に対応する前記ＥＰＤＣＣＨ候補のＥＰＤＣＣＨを通じてダウンリンク制御情報をフォーマット２Ｃで送信するステップと、
前記ネットワーク側装置により、前記分散マップ方式に対応するブラインド検出が実施される回数を１６として選択し、前記局所マップ方式に対応するブラインド検出が実施される回数を１６として選択するステップと、
を含む、請求項１乃至１６の何れか１項に記載の方法。
【請求項２０】
ダウンリンク制御情報を前記制御チャネル集合の前記制御チャネル候補で送信するステップは、
前記ネットワーク側装置により、前記分散マップ方式に対応するＥＰＤＣＣＨ候補の設定値以上の集約レベルを有するＥＰＤＣＣＨを送信し、前記局所マップ方式に対応するＥＰＤＣＣＨ候補に関する前記設定値より小さい集約レベルを有するＥＰＤＣＣＨを送信するステップ
を含む、請求項１乃至１９の何れか１項に記載の方法。
【請求項２１】
ダウンリンク制御情報を送信するための方法であって、
ユーザ機器により、送信サブフレームにおいて物理制御チャネル集合の検出すべき集約レベルを決定するステップと、
前記集約レベルに対応する物理制御チャネル候補の数を前記集約レベルに従って決定するステップと、
前記ユーザ機器により、前記決定された数に対応する物理制御チャネル候補でダウンリンク制御情報を受信するステップと、
を含む、方法。
【請求項２２】
送信サブフレームにおいて物理制御チャネル集合の検出すべき集約レベルを決定するステップは、
物理制御チャネルに利用可能な前記物理制御チャネル集合のＰＲＢペアにおけるＲＥの数が閾値Ｘより小さいとき、前記物理制御チャネル集合の最小の検出すべき集約レベルを２と決定し、前記物理制御チャネル集合の前記ＰＲＢペアに含まれるＲＥの数は前記閾値Ｘ以上であるとき、前記物理制御チャネル集合の前記最小の検出すべき集約レベルを１と決定するステップ、または、
送信サブフレーム・タイプが、正常ＣＰ長を有する正常サブフレームまたは３、４、もしくは８として構成された特殊サブフレームであり、かつ、物理制御チャネルに対して利用可能な１つのＰＲＢペアの中のＲＥの数がＸより小さいとき、前記物理制御チャネル集合の最小の検出すべき集約レベルを２と決定し、正常ＣＰ長を有する正常サブフレームではなく３、４、もしくは８として構成された特殊サブフレームでもないか、または、物理制御チャネルに対して利用可能な１つのＰＲＢペアの中のＲＥの数がＸより大きいとき、前記物理制御チャネル集合の最小の検出すべき集約レベルを１と決定し、前記物理制御チャネル集合の前記最小の検出すべき集約レベルを１と決定するステップ
を含む、請求項２１に記載の方法。
【請求項２３】
前記集約レベルに対応する物理制御チャネル候補の数を前記集約レベルに従って決定するステップは、
前記物理制御チャネル集合を２つの集合に分割するステップであって、一方の集合は前記物理制御チャネルの局所マップ方式に対応し、他方の集合は前記物理制御チャネルの分散マップ方式に対応するステップと、
前記局所マップ方式と前記分散マップ方式における各集約レベルに対応するＥＰＤＣＣＨ候補の数をそれぞれ決定するステップと、
を含む、請求項２２に記載の方法。
【請求項２４】
前記局所マップ方式と前記分散マップ方式における各集約レベルに対応するＥＰＤＣＣＨ候補の数をそれぞれ決定するステップは、
前記集約レベルが２である場合、前記ユーザ機器により、前記局所マップ方式に対応するＥＰＤＣＣＨ候補の数と前記分散マップ方式に対応するＥＰＤＣＣＨ候補の数の合計を６として決定するステップと、
前記集約レベルが４である場合、前記ユーザ機器により、前記局所マップ方式に対応するＥＰＤＣＣＨ候補の数と前記分散マップ方式に対応するＥＰＤＣＣＨ候補の数の合計を６として決定するステップと、
前記集約レベルが８である場合、前記ユーザ機器により、前記局所マップ方式に対応するＥＰＤＣＣＨ候補の数と前記分散マップ方式に対応するＥＰＤＣＣＨ候補の数の合計を２として決定するステップと、
前記集約レベルが１６である場合、前記ユーザ機器により、前記局所マップ方式に対応するＥＰＤＣＣＨ候補の数と前記分散マップ方式に対応するＥＰＤＣＣＨ候補の数の合計を２として決定するステップと、
を含む、請求項２３に記載の方法。
【請求項２５】
前記局所マップ方式と前記分散マップ方式における各集約レベルに対応するＥＰＤＣＣＨ候補の数をそれぞれ決定するステップは、
前記局所マップ方式に対しては、前記ユーザ機器により、前記集約レベル２に対応するＥＰＤＣＣＨ候補の数と前記集約レベル４に対応するＥＰＤＣＣＨ候補の数の両方を６として決定し、前記集約レベル８に対応するＥＰＤＣＣＨ候補の数と前記集約レベル１６に対応するＥＰＤＣＣＨ候補の数の両方を０として決定し、前記分散マップ方式に対しては、前記ユーザ機器により、前記集約レベル２に対応するＥＰＤＣＣＨ候補の数と前記集約レベル４に対応するＥＰＤＣＣＨ候補の数の両方を０として決定し、前記集約レベル８に対応するＥＰＤＣＣＨ候補の数と前記集約レベル１６に対応するＥＰＤＣＣＨ候補の数の両方を２として決定するステップか、または、
前記局所マップ方式に対しては、前記ユーザ機器により、前記集約レベル２に対応するＥＰＤＣＣＨ候補の数と前記集約レベル４に対応するＥＰＤＣＣＨ候補の数の両方を３として決定し、前記集約レベル８に対応するＥＰＤＣＣＨ候補の数と前記集約レベル１６に対応するＥＰＤＣＣＨ候補の数の両方を１として決定し、前記分散マップ方式に対しては、前記ユーザ機器により、前記集約レベル２に対応するＥＰＤＣＣＨ候補の数と前記集約レベル４に対応するＥＰＤＣＣＨ候補の数の両方を３として決定し、前記集約レベル８に対応するＥＰＤＣＣＨ候補の数と前記集約レベル１６に対応するＥＰＤＣＣＨ候補の数の両方を１として決定するステップ、または、
前記局所マップ方式に対しては、前記ユーザ機器により、前記集約レベル２に対応するＥＰＤＣＣＨ候補の数を６として決定し、前記集約レベル４に対応するＥＰＤＣＣＨ候補の数、前記集約レベル８に対応するＥＰＤＣＣＨ候補の数、および前記集約レベル１６に対応するＥＰＤＣＣＨ候補の数を０として決定し、前記分散マップ方式に対しては、前記ユーザ機器により、前記集約レベル２に対応するＥＰＤＣＣＨ候補の数を０として決定し、前記集約レベル４に対応するＥＰＤＣＣＨ候補の数を６として決定し、前記集約レベル８に対応するＥＰＤＣＣＨ候補の数と前記集約レベル１６に対応するＥＰＤＣＣＨ候補の数の両方を２として決定するステップ
を含む、請求項２４に記載の方法。
【請求項２６】
前記局所マップ方式と前記分散マップ方式における各集約レベルに対応するＥＰＤＣＣＨ候補の数をそれぞれ決定するステップは、
前記分散マップ方式に対しては、前記ユーザ機器により、前記集約レベル３２に対応するＥＰＤＣＣＨ候補の数を０として決定するステップ
を含む、請求項２４に記載の方法。
【請求項２７】
前記局所マップ方式と前記分散マップ方式における各集約レベルに対応するＥＰＤＣＣＨ候補の数をそれぞれ決定するステップは、
前記集約レベルが３２である場合、および、前記集約レベルが２である場合、前記ユーザ機器により、前記局所マップ方式での前記集約レベル２に対応するＥＰＤＣＣＨ候補の数、前記分散マップ方式での前記集約レベル３２に対応するＥＰＤＣＣＨ候補の数、および前記分散マップ方式での前記集約レベル２に対応するＥＰＤＣＣＨ候補の数の合計を６として決定するステップ、または、
前記集約レベルが３２であり前記集約レベルが４である場合、前記ユーザ機器により、前記局所マップ方式での前記集約レベル４に対応するＥＰＤＣＣＨ候補の数、前記分散マップ方式での前記集約レベル３２に対応するＥＰＤＣＣＨ候補の数、および前記分散マップ方式での前記集約レベル２に対応するＥＰＤＣＣＨ候補の数の合計を６として決定するステップ、または、
前記集約レベルが３２であり前記集約レベルが８である場合、前記ユーザ機器により、前記局所マップ方式での前記集約レベル８に対応するＥＰＤＣＣＨ候補の数、前記分散マップ方式での前記集約レベル３２に対応するＥＰＤＣＣＨ候補の数、および前記分散マップ方式での前記集約レベル８に対応するＥＰＤＣＣＨ候補の数の合計を２として決定するステップ、または、
前記集約レベルが３２であり前記集約レベルが１６である場合、前記ユーザ機器により、前記局所マップ方式での前記集約レベル１６に対応するＥＰＤＣＣＨ候補の数、前記分散マップ方式での前記集約レベル３２に対応するＥＰＤＣＣＨ候補の数、および前記分散マップ方式での前記集約レベル１６に対応するＥＰＤＣＣＨ候補の数の合計を２として決定するステップ
を含む、請求項２４に記載の方法。
【請求項２８】
前記局所マップ方式と前記分散マップ方式における各集約レベルに対応するＥＰＤＣＣＨ候補の数をそれぞれ決定するステップは、
前記集約レベルが１である場合、前記ユーザ機器により、前記局所マップ方式に対応するＥＰＤＣＣＨ候補の数と前記分散マップ方式に対応するＥＰＤＣＣＨ候補の数の合計を６として決定するステップと、
前記集約レベルが２である場合、前記ユーザ機器により、前記局所マップ方式に対応するＥＰＤＣＣＨ候補の数と前記分散マップ方式に対応するＥＰＤＣＣＨ候補の数の合計を６として決定するステップと、
前記集約レベルが４である場合、前記ユーザ機器により、前記局所マップ方式に対応するＥＰＤＣＣＨ候補の数と前記分散マップ方式に対応するＥＰＤＣＣＨ候補の数の合計を２として決定するステップと、
前記集約レベルが８である場合、前記ユーザ機器により、前記局所マップ方式に対応するＥＰＤＣＣＨ候補の数と前記分散マップ方式に対応するＥＰＤＣＣＨ候補の数の合計を２として決定するステップと、
を含む、請求項２３に記載の方法。
【請求項２９】
前記局所マップ方式と前記分散マップ方式における各集約レベルに対応するＥＰＤＣＣＨ候補の数をそれぞれ決定するステップは、
前記局所マップ方式に対しては、前記ユーザ機器により、前記集約レベル１に対応するＥＰＤＣＣＨ候補の数と前記集約レベル２に対応するＥＰＤＣＣＨ候補の数の両方を６として決定し、前記集約レベル４に対応するＥＰＤＣＣＨ候補の数と前記集約レベル８に対応するＥＰＤＣＣＨ候補の数の両方を０として決定し、前記分散マップ方式に対しては、前記ユーザ機器により、前記集約レベル１に対応するＥＰＤＣＣＨ候補の数と前記集約レベル２に対応するＥＰＤＣＣＨ候補の数の両方を０として決定し、前記集約レベル４に対応するＥＰＤＣＣＨ候補の数と前記集約レベル８に対応するＥＰＤＣＣＨ候補の数の両方を２として決定するステップ、または、
前記局所マップ方式に対しては、前記ユーザ機器により、前記集約レベル１に対応するＥＰＤＣＣＨ候補の数と前記集約レベル２に対応するＥＰＤＣＣＨ候補の数の両方を３として決定し、前記集約レベル４に対応するＥＰＤＣＣＨ候補の数と前記集約レベル８に対応するＥＰＤＣＣＨ候補の数の両方を１として決定し、前記分散マップ方式に対しては、前記ユーザ機器により、前記集約レベル１に対応するＥＰＤＣＣＨ候補の数と前記集約レベル２に対応するＥＰＤＣＣＨ候補の数の両方を３として決定し、前記集約レベル４に対応するＥＰＤＣＣＨ候補の数と前記集約レベル８に対応するＥＰＤＣＣＨ候補の数の両方を１として決定するステップ、または、
前記局所マップ方式に対しては、前記ユーザ機器により、前記集約レベル１に対応するＥＰＤＣＣＨ候補の数を６として決定し、前記集約レベル２に対応するＥＰＤＣＣＨ候補の数、前記集約レベル４に対応するＥＰＤＣＣＨ候補の数、および前記集約レベル８に対応するＥＰＤＣＣＨ候補の数を０として決定し、前記分散マップ方式に対しては、前記ユーザ機器により、前記集約レベル１に対応するＥＰＤＣＣＨ候補の数を０として決定し、前記集約レベル２に対応するＥＰＤＣＣＨ候補の数を６として決定し、前記集約レベル４に対応するＥＰＤＣＣＨ候補の数と前記集約レベル８に対応するＥＰＤＣＣＨ候補の数の両方を２として決定するステップ
を含む、請求項２８に記載の方法。
【請求項３０】
前記局所マップ方式と前記分散マップ方式における各集約レベルに対応するＥＰＤＣＣＨ候補の数をそれぞれ決定するステップは、
前記分散マップ方式に対しては、前記ユーザ機器により、前記集約レベル１６に対応するＥＰＤＣＣＨ候補の数を０として決定するステップ
を含む、請求項２８に記載の方法。
【請求項３１】
前記局所マップ方式と前記分散マップ方式における各集約レベルに対応するＥＰＤＣＣＨ候補の数をそれぞれ決定するステップは、
前記集約レベルが１６であり前記集約レベルが１である場合、前記ユーザ機器により、前記局所マップ方式での前記集約レベル１６に対応するＥＰＤＣＣＨ候補の数、前記局所マップ方式での前記集約レベル１に対応するＥＰＤＣＣＨ候補の数、前記分散マップ方式での前記集約レベル１６に対応するＥＰＤＣＣＨ候補の数、および前記分散マップ方式での前記集約レベル１に対応するＥＰＤＣＣＨ候補の数の合計を６として決定するステップ、または、
前記集約レベルが１６であり前記集約レベルが２である場合、前記ユーザ機器により、前記局所マップ方式での前記集約レベル１６に対応するＥＰＤＣＣＨ候補の数、前記局所マップ方式での前記集約レベル２に対応するＥＰＤＣＣＨ候補の数、前記分散マップ方式での前記集約レベル１６に対応するＥＰＤＣＣＨ候補の数、および前記分散マップ方式での前記集約レベル２に対応するＥＰＤＣＣＨ候補の数の合計を６として決定するステップ、または、
前記集約レベルが１６であり前記集約レベルが４である場合、前記ユーザ機器により、前記局所マップ方式での前記集約レベル１６に対応するＥＰＤＣＣＨ候補の数、前記局所マップ方式での前記集約レベル４に対応するＥＰＤＣＣＨ候補の数、前記分散マップ方式での前記集約レベル１６に対応するＥＰＤＣＣＨ候補の数、および前記分散マップ方式での前記集約レベル４に対応するＥＰＤＣＣＨ候補の数の合計を２として決定するステップ、または、
前記集約レベルが１６であり前記集約レベルが８である場合、前記ユーザ機器により、前記局所マップ方式での前記集約レベル１６に対応するＥＰＤＣＣＨ候補の数、前記局所マップ方式での前記集約レベル８に対応するＥＰＤＣＣＨ候補の数、前記分散マップ方式での前記集約レベル１６に対応するＥＰＤＣＣＨ候補の数、および前記分散マップ方式での前記集約レベル８に対応するＥＰＤＣＣＨ候補の数の合計を２として決定するステップ
を含む、請求項２８に記載の方法。
【請求項３２】
前記局所マップ方式と前記分散マップ方式における各集約レベルに対応するＥＰＤＣＣＨ候補の数をそれぞれ決定するステップは、
前記局所マップ方式に対しては、前記ユーザ機器により、前記集約レベル２に対応するＥＰＤＣＣＨ候補の数を６として決定し、前記集約レベル４に対応するＥＰＤＣＣＨ候補の数を２として決定し、前記集約レベル８に対応するＥＰＤＣＣＨ候補の数を２として決定し、前記分散マップ方式に対しては、前記ユーザ機器により、６つのＥＰＤＣＣＨ候補を少なくとも１つの集約レベルに割り当てると決定するステップ、または、
前記局所マップ方式に対しては、前記ユーザ機器により、前記集約レベル２に対応するＥＰＤＣＣＨ候補の数を６として決定し、前記集約レベル４に対応するＥＰＤＣＣＨ候補の数を６として決定し、前記集約レベル８に対応するＥＰＤＣＣＨ候補の数を２として決定し、前記分散マップ方式に対しては、前記ユーザ機器により、２つのＥＰＤＣＣＨ候補を少なくとも１つの集約レベルに割り当てると決定するステップ、または、
前記局所マップ方式に対しては、前記ユーザ機器により、前記集約レベル１に対応するＥＰＤＣＣＨ候補の数を６として決定し、前記集約レベル２に対応するＥＰＤＣＣＨ候補の数を２として決定し、前記集約レベル４に対応するＥＰＤＣＣＨ候補の数を２として決定し、前記分散マップ方式に対しては、前記ユーザ機器により、６つのＥＰＤＣＣＨ候補を少なくとも１つの集約レベルに割り当てると決定するステップ、または、
前記局所マップ方式に対しては、前記ユーザ機器により、前記集約レベル１に対応するＥＰＤＣＣＨ候補の数を６として決定し、前記集約レベル２に対応するＥＰＤＣＣＨ候補の数を６として決定し、前記集約レベル４に対応するＥＰＤＣＣＨ候補の数を２として決定し、前記分散マップ方式に対しては、前記ユーザ機器により、２つのＥＰＤＣＣＨ候補を少なくとも１つの集約レベルに割り当てると決定するステップ
を含む、請求項２３に記載の方法。
【請求項３３】
前記集約レベルに対応する物理制御チャネル候補の数を前記集約レベルに従って決定するステップは、
前記物理制御チャネル集合の前記検出すべき集約レベルに対応する物理制御チャネル候補の数を決定するステップ
を含む、請求項２１に記載の方法。
【請求項３４】
前記物理制御チャネル集合の前記検出すべき集約レベルに対応する物理制御チャネル候補の数を決定するステップは、
前記物理制御チャネル集合が局所マップ方式であるとき、同一の集約レベルに対して、前記集約レベルに対応する物理制御チャネル候補の数を前記物理制御チャネル集合のＰＲＢの数に従って決定するステップと、
前記物理制御チャネル集合が分散マップ方式であるとき、同一の集約レベルに対して、前記集約レベルに対応する物理制御チャネル候補の数を前記物理制御チャネル集合のＰＲＢの数に従って決定するステップと、
を含む、請求項３３に記載の方法。
【請求項３５】
前記物理制御チャネル集合の前記検出すべき集約レベルに対応する物理制御チャネル候補の数を決定するステップは、
前記物理制御チャネル集合が前記局所マップ方式であるとき、前記同一の集約レベルに対して、前記集約レベルに対応する物理制御チャネル候補の数を前記物理制御チャネル集合のＰＲＢの数に従って決定するステップであって、物理制御チャネル候補の数はＰＲＢの数に正比例するステップと、
前記物理制御チャネル集合が前記分散マップ方式であるとき、前記同一の集約レベルに対して、前記集約レベルに対応する物理制御チャネル候補の数を前記物理制御チャネル集合のＰＲＢの数に従って決定するステップであって、物理制御チャネル候補の数はＰＲＢの数に正比例するステップと、
を含む、請求項３４に記載の方法。
【請求項３６】
前記物理制御チャネル集合が前記分散マップ方式であるとき、前記物理制御チャネル集合に含まれるＰＲＢの数Ｎが８である場合、前記物理制御チャネル集合の中の前記集約レベル１に対応する物理制御チャネル候補の数は０であり、
前記物理制御チャネル集合が前記分散マップ方式であるとき、前記物理制御チャネル集合に含まれるＰＲＢの数Ｎが１６である場合、前記物理制御チャネル集合の中の前記集約レベル１および２に対応する物理制御チャネル候補の数は０である、
請求項３３乃至３５の何れか１項に記載の方法。
【請求項３７】
ダウンリンク制御情報を前記制御チャネル集合の前記制御チャネル候補で受信するステップは、
前記ユーザ機器により、前記分散マップ方式に対応するＥＰＤＣＣＨ候補で、ＳＩ−ＲＮＴＩまたはＲＡ−ＲＮＴＩを用いてスクランブルされたダウンリンク制御情報を受信し、前記局所マップ方式に対応するＥＰＤＣＣＨ候補で、前記ＳＩ−ＲＮＴＩと前記ＲＡ−ＲＮＴＩ以外の別のＲＮＴＩを用いてスクランブルされたダウンリンク制御情報を受信するステップ
を含む、請求項２１乃至３６の何れか１項に記載の方法。
【請求項３８】
ダウンリンク制御情報を前記制御チャネル集合の前記制御チャネル候補で受信するステップは、
前記ユーザ機器により、前記局所マップ方式と前記分散マップ方式のうち１つに対応するＥＰＤＣＣＨ候補で、クロスキャリアスケジューリング命令を含むダウンリンク制御情報を受信し、他方の方式に対応するＥＰＤＣＣＨ候補で、前記クロスキャリアスケジューリング命令を含まないダウンリンク制御情報を受信するステップ
を含む、請求項２１乃至３６の何れか１項に記載の方法。
【請求項３９】
ダウンリンク制御情報を前記制御チャネル集合の前記制御チャネル候補で受信するステップは、
前記ユーザ機器により、前記分散マップ方式に対応する前記ＥＰＤＣＣＨ候補のＥＰＤＣＣＨを通じてダウンリンク制御情報をフォーマット０および／またはフォーマット１Ａで受信し、前記局所方式に対応する前記ＥＰＤＣＣＨ候補のＥＰＤＣＣＨを通じてダウンリンク制御情報をフォーマット２Ｃで受信するステップと、
前記ユーザ機器により、前記分散マップ方式に対応するブラインド検出が実施される回数を１６として決定し、前記局所マップ方式に対応するブラインド検出が実施される回数を１６として決定するステップと、
を含む、請求項２１乃至３６の何れか１項に記載の方法。
【請求項４０】
ダウンリンク制御情報を前記制御チャネル集合の前記制御チャネル候補で受信するステップは、
前記ユーザ機器により、前記分散マップ方式に対応するＥＰＤＣＣＨ候補の設定値以上の集約レベルを有するＥＰＤＣＣＨを受信し、前記局所マップ方式に対応するＥＰＤＣＣＨ候補に関する前記設定値より小さい集約レベルを有するＥＰＤＣＣＨを受信するステップ
を含む、請求項２１乃至３９の何れか１項に記載の方法。
【請求項４１】
送信サブフレームにおいて物理制御チャネル集合の検出すべき集約レベルを選択し、前記集約レベルに対応する物理制御チャネル候補の数を前記集約レベルに従って選択するように構成された、選択モジュールと、
前記選択された数に対応する物理制御チャネル候補でダウンリンク制御情報を送信するように構成された、送信モジュールと、
を備える、ネットワーク側装置。
【請求項４２】
前記選択モジュールは特に、
物理制御チャネルに利用可能な前記物理制御チャネル集合のＰＲＢペアにおけるＲＥの数が閾値Ｘより小さいとき、前記物理制御チャネル集合の最小の検出すべき集約レベルを２と選択し、前記物理制御チャネル集合の前記ＰＲＢペアに含まれるＲＥの数は前記閾値Ｘ以上であるとき、前記物理制御チャネル集合の前記最小の検出すべき集約レベルを１と選択するか、または、
送信サブフレーム・タイプが、正常ＣＰ長を有する正常サブフレームまたは３、４、もしくは８として構成された特殊サブフレームであり、かつ、物理制御チャネルに対して利用可能な１つのＰＲＢペアの中のＲＥの数がＸより小さいとき、前記物理制御チャネル集合の最小の検出すべき集約レベルを２と選択し、正常ＣＰ長を有する正常サブフレームではなく３、４、もしくは８として構成された特殊サブフレームでもないか、または、物理制御チャネルに対して利用可能な１つのＰＲＢペアの中のＲＥの数がＸより大きいとき、前記物理制御チャネル集合の最小の検出すべき集約レベルを１と選択する、前記物理制御チャネル集合の前記最小の検出すべき集約レベルを１と決定する、
ように構成される、請求項４１に記載のネットワーク側装置。
【請求項４３】
前記選択モジュールは特に、
前記物理制御チャネル集合を２つの集合に分割し、
前記局所マップ方式と前記分散マップ方式における各集約レベルに対応するＥＰＤＣＣＨ候補の数をそれぞれ選択する、
ように構成される
一方の集合は前記物理制御チャネルの局所マップ方式に対応し、他方の集合は前記物理制御チャネルの分散マップ方式に対応し
請求項４１に記載のネットワーク側装置。
【請求項４４】
前記集約レベルが２である場合、前記選択モジュールは、前記局所マップ方式に対応するＥＰＤＣＣＨ候補の数と前記分散マップ方式に対応するＥＰＤＣＣＨ候補の数の合計を６として選択し、
前記集約レベルが４である場合、前記選択モジュールは、前記局所マップ方式に対応するＥＰＤＣＣＨ候補の数と前記分散マップ方式に対応するＥＰＤＣＣＨ候補の数の合計を６として選択し、
前記集約レベルが８である場合、前記選択モジュールは、前記局所マップ方式に対応するＥＰＤＣＣＨ候補の数と前記分散マップ方式に対応するＥＰＤＣＣＨ候補の数の合計を２として選択し、
前記集約レベルが１６である場合、前記選択モジュールは、前記局所マップ方式に対応するＥＰＤＣＣＨ候補の数と前記分散マップ方式に対応するＥＰＤＣＣＨ候補の数の合計を２として選択する、
請求項４３に記載のネットワーク側装置。
【請求項４５】
前記局所マップ方式に対しては、前記選択モジュールは、前記集約レベル２に対応するＥＰＤＣＣＨ候補の数と前記集約レベル４に対応するＥＰＤＣＣＨ候補の数の両方を６として選択し、前記集約レベル８に対応するＥＰＤＣＣＨ候補の数と前記集約レベル１６に対応するＥＰＤＣＣＨ候補の数の両方を０として選択し、前記分散マップ方式に対しては、前記選択モジュールは、前記集約レベル２に対応するＥＰＤＣＣＨ候補の数と前記集約レベル４に対応するＥＰＤＣＣＨ候補の数の両方を０として選択し、前記集約レベル８に対応するＥＰＤＣＣＨ候補の数と前記集約レベル１６に対応するＥＰＤＣＣＨ候補の数の両方を２として選択するか、または、
前記局所マップ方式に対しては、前記選択モジュールは、前記集約レベル２に対応するＥＰＤＣＣＨ候補の数と前記集約レベル４に対応するＥＰＤＣＣＨ候補の数の両方を３として選択し、前記集約レベル８に対応するＥＰＤＣＣＨ候補の数と前記集約レベル１６に対応するＥＰＤＣＣＨ候補の数の両方を１として選択し、前記分散マップ方式に対しては、前記選択モジュールは、前記集約レベル２に対応するＥＰＤＣＣＨ候補の数と前記集約レベル４に対応するＥＰＤＣＣＨ候補の数の両方を３として選択し、前記集約レベル８に対応するＥＰＤＣＣＨ候補の数と前記集約レベル１６に対応するＥＰＤＣＣＨ候補の数の両方を１として選択するか、または、
前記局所マップ方式に対しては、前記選択モジュール前記集約レベル２に対応するＥＰＤＣＣＨ候補の数を６として選択し、前記集約レベル４に対応するＥＰＤＣＣＨ候補の数、前記集約レベル８に対応するＥＰＤＣＣＨ候補の数、および前記集約レベル１６に対応するＥＰＤＣＣＨ候補の数を０として選択し、前記分散マップ方式に対しては、前記選択モジュールは、前記集約レベル２に対応するＥＰＤＣＣＨ候補の数を０として選択し、前記集約レベル４に対応するＥＰＤＣＣＨ候補の数を６として選択し、前記集約レベル８に対応するＥＰＤＣＣＨ候補の数と前記集約レベル１６に対応するＥＰＤＣＣＨ候補の数の両方を２として選択する、
請求項４４に記載のネットワーク側装置。
【請求項４６】
前記分散マップ方式に対しては、前記選択モジュールは、前記集約レベル３２に対応するＥＰＤＣＣＨ候補の数を０として選択する、請求項４４に記載のネットワーク側装置。
【請求項４７】
前記集約レベルが３２である場合、および、前記集約レベルが２である場合、前記選択モジュールは、前記局所マップ方式での前記集約レベル２に対応するＥＰＤＣＣＨ候補の数、前記分散マップ方式での前記集約レベル３２に対応するＥＰＤＣＣＨ候補の数、および前記分散マップ方式での前記集約レベル２に対応するＥＰＤＣＣＨ候補の数の合計を６として選択するか、または、
前記集約レベルが３２であり前記集約レベルが４である場合、前記選択モジュールは、前記局所マップ方式での前記集約レベル４に対応するＥＰＤＣＣＨ候補の数、前記分散マップ方式での前記集約レベル３２に対応するＥＰＤＣＣＨ候補の数、および前記分散マップ方式での前記集約レベル２に対応するＥＰＤＣＣＨ候補の数の合計を６として選択するか、または、
前記集約レベルが３２であり前記集約レベルが８である場合、前記選択モジュールは、前記局所マップ方式での前記集約レベル８に対応するＥＰＤＣＣＨ候補の数、前記分散マップ方式での前記集約レベル３２に対応するＥＰＤＣＣＨ候補の数、および前記分散マップ方式での前記集約レベル８に対応するＥＰＤＣＣＨ候補の数の合計を２として選択するか、または、
前記集約レベルが３２であり前記集約レベルが１６である場合、前記選択モジュールは、前記局所マップ方式での前記集約レベル１６に対応するＥＰＤＣＣＨ候補の数、前記分散マップ方式での前記集約レベル３２に対応するＥＰＤＣＣＨ候補の数、および前記分散マップ方式での前記集約レベル１６に対応するＥＰＤＣＣＨ候補の数の合計を２として選択する、
請求項４４に記載のネットワーク側装置。
【請求項４８】
前記集約レベルが１である場合、前記選択モジュールは、前記局所マップ方式に対応するＥＰＤＣＣＨ候補の数と前記分散マップ方式に対応するＥＰＤＣＣＨ候補の数の合計を６として選択し、
前記集約レベルが２である場合、前記選択モジュールは、前記局所マップ方式に対応するＥＰＤＣＣＨ候補の数と前記分散マップ方式に対応するＥＰＤＣＣＨ候補の数の合計を６として選択し、
前記集約レベルが４である場合、前記選択モジュールは、前記局所マップ方式に対応するＥＰＤＣＣＨ候補の数と前記分散マップ方式に対応するＥＰＤＣＣＨ候補の数の合計を２として選択し、
前記集約レベルが８である場合、前記選択モジュールは、前記局所マップ方式に対応するＥＰＤＣＣＨ候補の数と前記分散マップ方式に対応するＥＰＤＣＣＨ候補の数の合計を２として選択する、
請求項４３に記載のネットワーク側装置。
【請求項４９】
前記局所マップ方式に対しては、前記選択モジュールは、前記集約レベル１に対応するＥＰＤＣＣＨ候補の数と前記集約レベル２に対応するＥＰＤＣＣＨ候補の数の両方を６として選択し、前記集約レベル４に対応するＥＰＤＣＣＨ候補の数と前記集約レベル８に対応するＥＰＤＣＣＨ候補の数の両方を０として選択し、前記分散マップ方式に対しては、前記選択モジュールは、前記集約レベル１に対応するＥＰＤＣＣＨ候補の数と前記集約レベル２に対応するＥＰＤＣＣＨ候補の数の両方を０として選択し、前記集約レベル４に対応するＥＰＤＣＣＨ候補の数と前記集約レベル８に対応するＥＰＤＣＣＨ候補の数の両方を２として選択するか、または、
前記局所マップ方式に対しては、前記選択モジュールは、前記集約レベル１に対応するＥＰＤＣＣＨ候補の数と前記集約レベル２に対応するＥＰＤＣＣＨ候補の数の両方を３として選択し、前記集約レベル４に対応するＥＰＤＣＣＨ候補の数と前記集約レベル８に対応するＥＰＤＣＣＨ候補の数の両方を１として選択し、前記分散マップ方式に対しては、前記選択モジュールは、前記集約レベル１に対応するＥＰＤＣＣＨ候補の数と前記集約レベル２に対応するＥＰＤＣＣＨ候補の数の両方を３として選択し、前記集約レベル４に対応するＥＰＤＣＣＨ候補の数と前記集約レベル８に対応するＥＰＤＣＣＨ候補の数の両方を１として選択するか、または、
前記局所マップ方式に対しては、前記選択モジュールは、前記集約レベル１に対応するＥＰＤＣＣＨ候補の数を６として選択し、前記集約レベル２に対応するＥＰＤＣＣＨ候補の数、前記集約レベル４に対応するＥＰＤＣＣＨ候補の数、および前記集約レベル８に対応するＥＰＤＣＣＨ候補の数を０として選択し、前記分散マップ方式に対しては、前記選択モジュールは、前記集約レベル１に対応するＥＰＤＣＣＨ候補の数を０として選択し、前記集約レベル２に対応するＥＰＤＣＣＨ候補の数を６として選択し、前記集約レベル４に対応するＥＰＤＣＣＨ候補の数と前記集約レベル８に対応するＥＰＤＣＣＨ候補の数の両方を２として選択する、
請求項４８に記載のネットワーク側装置。
【請求項５０】
前記分散マップ方式に対しては、前記選択モジュールは、前記集約レベル１６に対応するＥＰＤＣＣＨ候補の数を０として選択する、請求項４８に記載のネットワーク側装置。
【請求項５１】
前記集約レベルが１６であり前記集約レベルが１である場合、前記選択モジュールは、前記局所マップ方式での前記集約レベル１６に対応するＥＰＤＣＣＨ候補の数、前記局所マップ方式での前記集約レベル１に対応するＥＰＤＣＣＨ候補の数、前記分散マップ方式での前記集約レベル１６に対応するＥＰＤＣＣＨ候補の数、および前記分散マップ方式での前記集約レベル１に対応するＥＰＤＣＣＨ候補の数の合計を６として選択するか、または、
前記集約レベルが１６であり前記集約レベルが２である場合、前記選択モジュールは、前記局所マップ方式での前記集約レベル１６に対応するＥＰＤＣＣＨ候補の数、前記局所マップ方式での前記集約レベル２に対応するＥＰＤＣＣＨ候補の数、前記分散マップ方式での前記集約レベル１６に対応するＥＰＤＣＣＨ候補の数、および前記分散マップ方式での前記集約レベル２に対応するＥＰＤＣＣＨ候補の数の合計を６として選択するか、または、
前記集約レベルが１６であり前記集約レベルが４である場合、前記選択モジュールは、前記局所マップ方式での前記集約レベル１６に対応するＥＰＤＣＣＨ候補の数、前記局所マップ方式での前記集約レベル４に対応するＥＰＤＣＣＨ候補の数、前記分散マップ方式での前記集約レベル１６に対応するＥＰＤＣＣＨ候補の数、および前記分散マップ方式での前記集約レベル４に対応するＥＰＤＣＣＨ候補の数の合計を２として選択するか、または、
前記集約レベルが１６であり前記集約レベルが８である場合、前記選択モジュールは、前記局所マップ方式での前記集約レベル１６に対応するＥＰＤＣＣＨ候補の数、前記局所マップ方式での前記集約レベル８に対応するＥＰＤＣＣＨ候補の数、前記分散マップ方式での前記集約レベル１６に対応するＥＰＤＣＣＨ候補の数、および前記分散マップ方式での前記集約レベル８に対応するＥＰＤＣＣＨ候補の数の合計を２として選択する、
請求項４８に記載のネットワーク側装置。
【請求項５２】
前記局所マップ方式に対しては、前記選択モジュール前記集約レベル２に対応するＥＰＤＣＣＨ候補の数を６として選択し、前記集約レベル４に対応するＥＰＤＣＣＨ候補の数を２として選択し、前記集約レベル８に対応するＥＰＤＣＣＨ候補の数を２として選択し、前記分散マップ方式に対しては、前記選択モジュールは、６つのＥＰＤＣＣＨ候補を少なくとも１つの集約レベルに割り当てることを選択するか、または、
前記局所マップ方式に対しては、前記選択モジュールは、前記集約レベル２に対応するＥＰＤＣＣＨ候補の数を６として選択し、前記集約レベル４に対応するＥＰＤＣＣＨ候補の数を６として選択し、前記集約レベル８に対応するＥＰＤＣＣＨ候補の数を２として選択し、前記分散マップ方式に対しては、前記選択モジュールは、２つのＥＰＤＣＣＨ候補を少なくとも１つの集約レベルに割り当てることを選択するか、または、
前記局所マップ方式に対しては、前記選択モジュールは、前記集約レベル１に対応するＥＰＤＣＣＨ候補の数を６として選択し、前記集約レベル２に対応するＥＰＤＣＣＨ候補の数を２として選択し、前記集約レベル４に対応するＥＰＤＣＣＨ候補の数を２として選択し、前記分散マップ方式に対しては、前記選択モジュールは、６つのＥＰＤＣＣＨ候補を少なくとも１つの集約レベルに割り当てることを選択するか、または、
前記局所マップ方式に対しては、前記選択モジュールは、前記集約レベル１に対応するＥＰＤＣＣＨ候補の数を６として選択し、前記集約レベル２に対応するＥＰＤＣＣＨ候補の数を６として選択し、前記集約レベル４に対応するＥＰＤＣＣＨ候補の数を２として選択し、前記分散マップ方式に対しては、前記選択モジュールは、２つのＥＰＤＣＣＨ候補を少なくとも１つの集約レベルに割り当てることを選択する、
請求項４２に記載のネットワーク側装置。
【請求項５３】
前記選択モジュールは、前記物理制御チャネル集合の前記検出すべき集約レベルに対応する物理制御チャネル候補の数を選択するように構成される、請求項４１に記載のネットワーク側装置。
【請求項５４】
前記物理制御チャネル集合が局所マップ方式であるとき、同一の集約レベルに対して、前記選択モジュールは、前記集約レベルに対応する物理制御チャネル候補の数を前記物理制御チャネル集合のＰＲＢの数に従って選択し、
前記物理制御チャネル集合が分散マップ方式であるとき、同一の集約レベルに対して、前記選択モジュールは、前記集約レベルに対応する物理制御チャネル候補の数を前記物理制御チャネル集合のＰＲＢの数に従って選択する、
請求項５３に記載のネットワーク側装置。
【請求項５５】
前記物理制御チャネル集合が前記局所マップ方式であるとき、前記同一の集約レベルに対して、前記選択モジュールは、前記集約レベルに対応する物理制御チャネル候補の数を前記物理制御チャネル集合のＰＲＢの数に従って選択し、物理制御チャネル候補の数はＰＲＢの数に正比例し、
前記物理制御チャネル集合が前記分散マップ方式であるとき、前記同一の集約レベルに対して、前記選択モジュールは、前記集約レベルに対応する物理制御チャネル候補の数を前記物理制御チャネル集合のＰＲＢの数に従って選択し、物理制御チャネル候補の数はＰＲＢの数に正比例する、
請求項５４に記載のネットワーク側装置。
【請求項５６】
前記送信モジュールは、前記分散マップ方式に対応するＥＰＤＣＣＨ候補で、ＳＩ−ＲＮＴＩまたはＲＡ−ＲＮＴＩを用いてスクランブルされたダウンリンク制御情報を送信し、前記局所マップ方式に対応するＥＰＤＣＣＨ候補で、前記ＳＩ−ＲＮＴＩと前記ＲＡ−ＲＮＴＩ以外の別のＲＮＴＩを用いてスクランブルされたダウンリンク制御情報を送信するように構成される、請求項４１乃至５５の何れかに記載のネットワーク側装置。
【請求項５７】
前記送信モジュールは、前記局所マップ方式と前記分散マップ方式のうち１つに対応するＥＰＤＣＣＨ候補で、クロスキャリアスケジューリング命令を含むダウンリンク制御情報を送信し、他方の方式に対応するＥＰＤＣＣＨ候補で、前記クロスキャリアスケジューリング命令を含まないダウンリンク制御情報を送信するように構成される、請求項４１乃至５５の何れかに記載のネットワーク側装置。
【請求項５８】
前記送信モジュールは、前記分散マップ方式に対応する前記ＥＰＤＣＣＨ候補のＥＰＤＣＣＨを通じてダウンリンク制御情報をフォーマット０および／またはフォーマット１Ａで送信し、前記局所方式に対応する前記ＥＰＤＣＣＨ候補のＥＰＤＣＣＨを通じてダウンリンク制御情報をフォーマット２Ｃで送信するように構成され、
前記選択モジュールはさらに、前記分散マップ方式に対応するブラインド検出が実施される回数を１６として選択し、前記局所マップ方式に対応するブラインド検出が実施される回数を１６として選択するように構成される、
請求項４１乃至５５の何れかに記載のネットワーク側装置。
【請求項５９】
前記送信モジュールは、前記分散マップ方式に対応するＥＰＤＣＣＨ候補の設定値以上の集約レベルを有するＥＰＤＣＣＨを送信し、前記局所マップ方式に対応するＥＰＤＣＣＨ候補に関する前記設定値より小さい集約レベルを有するＥＰＤＣＣＨを送信するように構成される、請求項４１乃至５８の何れかに記載のネットワーク側装置。
【請求項６０】
送信サブフレームにおいて物理制御チャネル集合の検出すべき集約レベルを決定し、前記集約レベルに対応する物理制御チャネル候補の数を前記集約レベルに従って決定するように構成された、決定モジュールと、
前記決定された数に対応する物理制御チャネル候補でダウンリンク制御情報を受信するように構成された、受信モジュールと、
を備える、ユーザ機器。
【請求項６１】
前記決定モジュールは、
物理制御チャネルに利用可能な前記物理制御チャネル集合のＰＲＢペアにおけるＲＥの数が閾値Ｘより小さいとき、前記物理制御チャネル集合の最小の検出すべき集約レベルを２と決定し、前記物理制御チャネル集合の前記ＰＲＢペアに含まれるＲＥの数は前記閾値Ｘ以上であるとき、前記物理制御チャネル集合の前記最小の検出すべき集約レベルを１と決定するか、または、
送信サブフレーム・タイプが、正常ＣＰ長を有する正常サブフレームまたは３、４、もしくは８として構成された特殊サブフレームであり、かつ、物理制御チャネルに対して利用可能な１つのＰＲＢペアの中のＲＥの数がＸより小さいとき、前記物理制御チャネル集合の最小の検出すべき集約レベルを２と決定し、正常ＣＰ長を有する正常サブフレームではなく３、４、もしくは８として構成された特殊サブフレームでもないか、または、物理制御チャネルに対して利用可能な１つのＰＲＢペアの中のＲＥの数がＸより大きいとき、前記物理制御チャネル集合の最小の検出すべき集約レベルを１と決定し、前記物理制御チャネル集合の前記最小の検出すべき集約レベルを１と決定する、
ように構成される、請求項６０に記載のユーザ機器。
【請求項６２】
前記決定モジュールは、
前記物理制御チャネル集合を２つの集合に分割し、
前記局所マップ方式と前記分散マップ方式における各集約レベルに対応するＥＰＤＣＣＨ候補の数をそれぞれ決定する
ように構成され、
一方の集合は前記物理制御チャネルの局所マップ方式に対応し、他方の集合は前記物理制御チャネルの分散マップ方式に対応する、
請求項６０に記載のユーザ機器。
【請求項６３】
前記集約レベルが２である場合、前記決定モジュールは、前記局所マップ方式に対応するＥＰＤＣＣＨ候補の数と前記分散マップ方式に対応するＥＰＤＣＣＨ候補の数の合計を６として決定し、
前記集約レベルが４である場合、前記決定モジュールは、前記局所マップ方式に対応するＥＰＤＣＣＨ候補の数と前記分散マップ方式に対応するＥＰＤＣＣＨ候補の数の合計を６として決定し、
前記集約レベルが８である場合、前記決定モジュールは、前記局所マップ方式に対応するＥＰＤＣＣＨ候補の数と前記分散マップ方式に対応するＥＰＤＣＣＨ候補の数の合計を２として決定し、
前記集約レベルが１６である場合、前記決定モジュールは、前記局所マップ方式に対応するＥＰＤＣＣＨ候補の数と前記分散マップ方式に対応するＥＰＤＣＣＨ候補の数の合計を２として決定する、
請求項６２に記載のユーザ機器。
【請求項６４】
前記局所マップ方式に対しては、前記決定モジュールは、前記集約レベル２に対応するＥＰＤＣＣＨ候補の数と前記集約レベル４に対応するＥＰＤＣＣＨ候補の数の両方を６として決定し、前記集約レベル８に対応するＥＰＤＣＣＨ候補の数と前記集約レベル１６に対応するＥＰＤＣＣＨ候補の数の両方を０として決定し、前記分散マップ方式に対しては、前記決定モジュールは、前記集約レベル２に対応するＥＰＤＣＣＨ候補の数と前記集約レベル４に対応するＥＰＤＣＣＨ候補の数の両方を０として決定し、前記集約レベル８に対応するＥＰＤＣＣＨ候補の数と前記集約レベル１６に対応するＥＰＤＣＣＨ候補の数の両方を２として決定するか、または、
前記局所マップ方式に対しては、前記決定モジュールは、前記集約レベル２に対応するＥＰＤＣＣＨ候補の数と前記集約レベル４に対応するＥＰＤＣＣＨ候補の数の両方を３として決定し、前記集約レベル８に対応するＥＰＤＣＣＨ候補の数と前記集約レベル１６に対応するＥＰＤＣＣＨ候補の数の両方を１として決定し、前記分散マップ方式に対しては、前記決定モジュールは、前記集約レベル２に対応するＥＰＤＣＣＨ候補の数と前記集約レベル４に対応するＥＰＤＣＣＨ候補の数の両方を３として決定し、前記集約レベル８に対応するＥＰＤＣＣＨ候補の数と前記集約レベル１６に対応するＥＰＤＣＣＨ候補の数の両方を１として決定するか、または、
前記局所マップ方式に対しては、前記決定モジュールは、前記集約レベル２に対応するＥＰＤＣＣＨ候補の数を６として決定し、前記集約レベル４に対応するＥＰＤＣＣＨ候補の数、前記集約レベル８に対応するＥＰＤＣＣＨ候補の数、および前記集約レベル１６に対応するＥＰＤＣＣＨ候補の数を０として決定し、前記分散マップ方式に対しては、前記決定モジュールは、前記集約レベル２に対応するＥＰＤＣＣＨ候補の数を０として決定し、前記集約レベル４に対応するＥＰＤＣＣＨ候補の数を６として決定し、前記集約レベル８に対応するＥＰＤＣＣＨ候補の数と前記集約レベル１６に対応するＥＰＤＣＣＨ候補の数の両方を２として決定する、
請求項６３に記載のユーザ機器。
【請求項６５】
前記分散マップ方式に対しては、前記決定モジュールは、前記集約レベル３２に対応するＥＰＤＣＣＨ候補の数を０として決定する、請求項６３に記載のユーザ機器。
【請求項６６】
前記集約レベルが３２である場合、および、前記集約レベルが２である場合、前記決定モジュールは、前記局所マップ方式での前記集約レベル２に対応するＥＰＤＣＣＨ候補の数、前記分散マップ方式での前記集約レベル３２に対応するＥＰＤＣＣＨ候補の数、および前記分散マップ方式での前記集約レベル２に対応するＥＰＤＣＣＨ候補の数の合計を６として決定するか、または、
前記集約レベルが３２であり前記集約レベルが４である場合、前記決定モジュールは、前記局所マップ方式での前記集約レベル４に対応するＥＰＤＣＣＨ候補の数、前記分散マップ方式での前記集約レベル３２に対応するＥＰＤＣＣＨ候補の数、および前記分散マップ方式での前記集約レベル２に対応するＥＰＤＣＣＨ候補の数の合計を６として決定するか、または、
前記集約レベルが３２であり前記集約レベルが８である場合、前記決定モジュールは、前記局所マップ方式での前記集約レベル８に対応するＥＰＤＣＣＨ候補の数、前記分散マップ方式での前記集約レベル３２に対応するＥＰＤＣＣＨ候補の数、および前記分散マップ方式での前記集約レベル８に対応するＥＰＤＣＣＨ候補の数の合計を２として決定するか、または、
前記集約レベルが３２であり前記集約レベルが１６である場合、前記決定モジュールは、前記局所マップ方式での前記集約レベル１６に対応するＥＰＤＣＣＨ候補の数、前記分散マップ方式での前記集約レベル３２に対応するＥＰＤＣＣＨ候補の数、および前記分散マップ方式での前記集約レベル１６に対応するＥＰＤＣＣＨ候補の数の合計を２として決定する、
請求項６３に記載のユーザ機器。
【請求項６７】
前記集約レベルが１である場合、前記決定モジュールは、前記局所マップ方式に対応するＥＰＤＣＣＨ候補の数と前記分散マップ方式に対応するＥＰＤＣＣＨ候補の数の合計を６として決定し、
前記集約レベルが２である場合、前記決定モジュールは、前記局所マップ方式に対応するＥＰＤＣＣＨ候補の数と前記分散マップ方式に対応するＥＰＤＣＣＨ候補の数の合計を６として決定し、
前記集約レベルが４である場合、前記決定モジュールは、前記局所マップ方式に対応するＥＰＤＣＣＨ候補の数と前記分散マップ方式に対応するＥＰＤＣＣＨ候補の数の合計を２として決定し、
前記集約レベルが８である場合、前記決定モジュールは、前記局所マップ方式に対応するＥＰＤＣＣＨ候補の数と前記分散マップ方式に対応するＥＰＤＣＣＨ候補の数の合計を２として決定する、
請求項６２に記載のユーザ機器。
【請求項６８】
前記局所マップ方式に対しては、前記決定モジュールは、前記集約レベル１に対応するＥＰＤＣＣＨ候補の数と前記集約レベル２に対応するＥＰＤＣＣＨ候補の数の両方を６として決定し、前記集約レベル４に対応するＥＰＤＣＣＨ候補の数と前記集約レベル８に対応するＥＰＤＣＣＨ候補の数の両方を０として決定し、前記分散マップ方式に対しては、前記決定モジュールは、前記集約レベル１に対応するＥＰＤＣＣＨ候補の数と前記集約レベル２に対応するＥＰＤＣＣＨ候補の数の両方を０として決定し、前記集約レベル４に対応するＥＰＤＣＣＨ候補の数と前記集約レベル８に対応するＥＰＤＣＣＨ候補の数の両方を２として決定するか、または、
前記局所マップ方式に対しては、前記決定モジュールは、前記集約レベル１に対応するＥＰＤＣＣＨ候補の数と前記集約レベル２に対応するＥＰＤＣＣＨ候補の数の両方を３として決定し、前記集約レベル４に対応するＥＰＤＣＣＨ候補の数と前記集約レベル８に対応するＥＰＤＣＣＨ候補の数の両方を１として決定し、前記分散マップ方式に対しては、前記決定モジュールは、前記集約レベル１に対応するＥＰＤＣＣＨ候補の数と前記集約レベル２に対応するＥＰＤＣＣＨ候補の数の両方を３として決定し、前記集約レベル４に対応するＥＰＤＣＣＨ候補の数と前記集約レベル８に対応するＥＰＤＣＣＨ候補の数の両方を１として決定するか、または、
前記局所マップ方式に対しては、前記決定モジュールは、前記集約レベル１に対応するＥＰＤＣＣＨ候補の数を６として決定し、前記集約レベル２に対応するＥＰＤＣＣＨ候補の数、前記集約レベル４に対応するＥＰＤＣＣＨ候補の数、および前記集約レベル８に対応するＥＰＤＣＣＨ候補の数を０として決定し、前記分散マップ方式に対しては、前記決定モジュールは、前記集約レベル１に対応するＥＰＤＣＣＨ候補の数を０として決定し、前記集約レベル２に対応するＥＰＤＣＣＨ候補の数を６として決定し、前記集約レベル４に対応するＥＰＤＣＣＨ候補の数と前記集約レベル８に対応するＥＰＤＣＣＨ候補の数の両方を２として決定する、
請求項６７に記載のユーザ機器。
【請求項６９】
前記分散マップ方式に対しては、前記決定モジュールは、前記集約レベル１６に対応するＥＰＤＣＣＨ候補の数を０として決定する、請求項６７に記載のユーザ機器。
【請求項７０】
前記集約レベルが１６であり前記集約レベルが１である場合、前記決定モジュールは、前記局所マップ方式での前記集約レベル１６に対応するＥＰＤＣＣＨ候補の数、前記局所マップ方式での前記集約レベル１に対応するＥＰＤＣＣＨ候補の数、前記分散マップ方式での前記集約レベル１６に対応するＥＰＤＣＣＨ候補の数、および前記分散マップ方式での前記集約レベル１に対応するＥＰＤＣＣＨ候補の数の合計を６として決定するか、または、
前記集約レベルが１６であり前記集約レベルが２である場合、前記決定モジュールは、前記局所マップ方式での前記集約レベル１６に対応するＥＰＤＣＣＨ候補の数、前記局所マップ方式での前記集約レベル２に対応するＥＰＤＣＣＨ候補の数、前記分散マップ方式での前記集約レベル１６に対応するＥＰＤＣＣＨ候補の数、および前記分散マップ方式での前記集約レベル２に対応するＥＰＤＣＣＨ候補の数の合計を６として決定するか、または、
前記集約レベルが１６であり前記集約レベルが４である場合、前記決定モジュールは、前記局所マップ方式での前記集約レベル１６に対応するＥＰＤＣＣＨ候補の数、前記局所マップ方式での前記集約レベル４に対応するＥＰＤＣＣＨ候補の数、前記分散マップ方式での前記集約レベル１６に対応するＥＰＤＣＣＨ候補の数、および前記分散マップ方式での前記集約レベル４に対応するＥＰＤＣＣＨ候補の数の合計を２として決定するか、または、
前記集約レベルが１６であり前記集約レベルが８である場合、前記決定モジュールは、前記局所マップ方式での前記集約レベル１６に対応するＥＰＤＣＣＨ候補の数、前記局所マップ方式での前記集約レベル８に対応するＥＰＤＣＣＨ候補の数、前記分散マップ方式での前記集約レベル１６に対応するＥＰＤＣＣＨ候補の数、および前記分散マップ方式での前記集約レベル８に対応するＥＰＤＣＣＨ候補の数の合計を２として決定する、
請求項６７に記載のユーザ機器。
【請求項７１】
前記局所マップ方式に対しては、前記決定モジュールは、前記集約レベル２に対応するＥＰＤＣＣＨ候補の数を６として決定し、前記集約レベル４に対応するＥＰＤＣＣＨ候補の数を２として決定し、前記集約レベル８に対応するＥＰＤＣＣＨ候補の数を２として決定し、前記分散マップ方式に対しては、前記決定モジュールは、６つのＥＰＤＣＣＨ候補を少なくとも１つの集約レベルに割り当てると決定するか、または、
前記局所マップ方式に対しては、前記決定モジュールは、前記集約レベル２に対応するＥＰＤＣＣＨ候補の数を６として決定し、前記集約レベル４に対応するＥＰＤＣＣＨ候補の数を６として決定し、前記集約レベル８に対応するＥＰＤＣＣＨ候補の数を２として決定し、前記分散マップ方式に対しては、前記決定モジュールは２つのＥＰＤＣＣＨ候補を少なくとも１つの集約レベルに割り当てると決定するか、または、
前記局所マップ方式に対しては、前記決定モジュールは、前記集約レベル１に対応するＥＰＤＣＣＨ候補の数を６として決定し、前記集約レベル２に対応するＥＰＤＣＣＨ候補の数を２として決定し、前記集約レベル４に対応するＥＰＤＣＣＨ候補の数を２として決定し、前記分散マップ方式に対しては、前記決定モジュールは、６つのＥＰＤＣＣＨ候補を少なくとも１つの集約レベルに割り当てると決定するか、または、
前記局所マップ方式に対しては、前記決定モジュールは、前記集約レベル１に対応するＥＰＤＣＣＨ候補の数を６として決定し、前記集約レベル２に対応するＥＰＤＣＣＨ候補の数を６として決定し、前記集約レベル４に対応するＥＰＤＣＣＨ候補の数を２として決定し、前記分散マップ方式に対しては、前記決定モジュールは２つのＥＰＤＣＣＨ候補を少なくとも１つの集約レベルに割り当てると決定する、
請求項６２に記載のユーザ機器。
【請求項７２】
前記決定モジュールは、前記物理制御チャネル集合の前記検出すべき集約レベルに対応する物理制御チャネル候補の数を決定するように構成される、請求項６２に記載のユーザ機器。
【請求項７３】
前記物理制御チャネル集合が前記局所マップ方式であるとき、同一の集約レベルに対して、前記決定モジュールは、前記集約レベルに対応する物理制御チャネル候補の数を前記物理制御チャネル集合のＰＲＢの数に従って決定し、
前記物理制御チャネル集合が前記分散マップ方式であるとき、同一の集約レベルに対して、前記決定モジュールは、前記集約レベルに対応する物理制御チャネル候補の数を前記物理制御チャネル集合のＰＲＢの数に従って決定する、
請求項７２に記載のユーザ機器。
【請求項７４】
前記物理制御チャネル集合が前記局所マップ方式であるとき、前記同一の集約レベルに対して、前記決定モジュールは、前記集約レベルに対応する物理制御チャネル候補の数を前記物理制御チャネル集合のＰＲＢの数に従って決定し、物理制御チャネル候補の数はＰＲＢの数に正比例し、
前記物理制御チャネル集合が前記分散マップ方式であるとき、前記同一の集約レベルに対して、前記決定モジュールは、前記集約レベルに対応する物理制御チャネル候補の数を前記物理制御チャネル集合のＰＲＢの数に従って決定し、物理制御チャネル候補の数はＰＲＢの数に正比例する、
請求項７３に記載のユーザ機器。
【請求項７５】
前記受信モジュールは、前記分散マップ方式に対応するＥＰＤＣＣＨ候補で、ＳＩ−ＲＮＴＩまたはＲＡ−ＲＮＴＩを用いてスクランブルされたダウンリンク制御情報を受信し、前記局所マップ方式に対応するＥＰＤＣＣＨ候補で、前記ＳＩ−ＲＮＴＩと前記ＲＡ−ＲＮＴＩ以外の別のＲＮＴＩを用いてスクランブルされたダウンリンク制御情報を受信するように構成される、請求項６０乃至７４の何れかに記載のユーザ機器。
【請求項７６】
前記受信モジュールは、前記局所マップ方式と前記分散マップ方式のうち１つに対応するＥＰＤＣＣＨ候補で、クロスキャリアスケジューリング命令を含むダウンリンク制御情報を受信し、他方の方式に対応するＥＰＤＣＣＨ候補で、前記クロスキャリアスケジューリング命令を含まないダウンリンク制御情報を受信するように構成される、請求項６０乃至７４の何れかに記載のユーザ機器。
【請求項７７】
前記受信モジュールは、前記分散マップ方式に対応する前記ＥＰＤＣＣＨ候補のＥＰＤＣＣＨを通じてダウンリンク制御情報をフォーマット０および／またはフォーマット１Ａで受信し、前記局所方式に対応する前記ＥＰＤＣＣＨ候補のＥＰＤＣＣＨを通じてダウンリンク制御情報をフォーマット２Ｃで受信するように構成され、
前記決定モジュールは、前記分散マップ方式に対応するブラインド検出が実施される回数を１６として決定し、前記局所マップ方式に対応するブラインド検出が実施される回数を１６として決定するように構成される、
請求項６０乃至７４の何れかに記載のユーザ機器。
【請求項７８】
前記受信モジュールは、前記分散マップ方式に対応するＥＰＤＣＣＨ候補の設定値以上の集約レベルを有するＥＰＤＣＣＨを受信し、前記局所マップ方式に対応するＥＰＤＣＣＨ候補に関する前記設定値より小さい集約レベルを有するＥＰＤＣＣＨを受信するように構成される、請求項６０乃至７７の何れかに記載のユーザ機器。
【請求項７９】
送信サブフレームにおいて物理制御チャネル集合の検出すべき集約レベルを選択し、前記集約レベルに対応する物理制御チャネル候補の数を前記集約レベルに従って選択するように構成された選択プロセッサと、
前記選択された数に対応する物理制御チャネル候補でダウンリンク制御情報を送信するように構成された送信器と、
を備える、ネットワーク側装置。
【請求項８０】
前記選択プロセッサは特に、
物理制御チャネルに利用可能な前記物理制御チャネル集合のＰＲＢペアにおけるＲＥの数が閾値Ｘより小さいとき、前記物理制御チャネル集合の最小の検出すべき集約レベルを２と選択し、前記物理制御チャネル集合の前記ＰＲＢペアに含まれるＲＥの数は前記閾値Ｘ以上であるとき、前記物理制御チャネル集合の前記最小の検出すべき集約レベルを１と選択するか、または、
送信サブフレーム・タイプが、正常ＣＰ長を有する正常サブフレームまたは３、４、もしくは８として構成された特殊サブフレームであり、かつ、物理制御チャネルに対して利用可能な１つのＰＲＢペアの中のＲＥの数がＸより小さいとき、前記物理制御チャネル集合の最小の検出すべき集約レベルを２と選択し、正常ＣＰ長を有する正常サブフレームではなく３、４、もしくは８として構成された特殊サブフレームでもないか、または、物理制御チャネルに対して利用可能な１つのＰＲＢペアの中のＲＥの数がＸより大きいとき、前記物理制御チャネル集合の最小の検出すべき集約レベルを１と選択し、前記物理制御チャネル集合の前記最小の検出すべき集約レベルを１と選択する
ように構成される、請求項７９に記載のネットワーク側装置。
【請求項８１】
前記選択プロセッサは特に、
前記物理制御チャネル集合を２つの集合に分割し、
前記局所マップ方式と前記分散マップ方式における各集約レベルに対応するＥＰＤＣＣＨ候補の数をそれぞれ選択する
ように構成され、
一方の集合は前記物理制御チャネルの局所マップ方式に対応し、他方の集合は前記物理制御チャネルの分散マップ方式に対応する、
請求項７９に記載のネットワーク側装置。
【請求項８２】
前記集約レベルが２である場合、前記選択プロセッサは、前記局所マップ方式に対応するＥＰＤＣＣＨ候補の数と前記分散マップ方式に対応するＥＰＤＣＣＨ候補の数の合計を６として選択し、
前記集約レベルが４である場合、前記選択プロセッサは、前記局所マップ方式に対応するＥＰＤＣＣＨ候補の数と前記分散マップ方式に対応するＥＰＤＣＣＨ候補の数の合計を６として選択し、
前記集約レベルが８である場合、前記選択プロセッサは、前記局所マップ方式に対応するＥＰＤＣＣＨ候補の数と前記分散マップ方式に対応するＥＰＤＣＣＨ候補の数の合計を２として選択し、
前記集約レベルが１６である場合、前記選択プロセッサは、前記局所マップ方式に対応するＥＰＤＣＣＨ候補の数と前記分散マップ方式に対応するＥＰＤＣＣＨ候補の数の合計を２として選択する、
請求項８１に記載のネットワーク側装置。
【請求項８３】
前記局所マップ方式に対しては、前記選択プロセッサは、前記集約レベル２に対応するＥＰＤＣＣＨ候補の数と前記集約レベル４に対応するＥＰＤＣＣＨ候補の数の両方を６として選択し、前記集約レベル８に対応するＥＰＤＣＣＨ候補の数と前記集約レベル１６に対応するＥＰＤＣＣＨ候補の数の両方を０として選択し、前記分散マップ方式に対しては、前記選択プロセッサは、前記集約レベル２に対応するＥＰＤＣＣＨ候補の数と前記集約レベル４に対応するＥＰＤＣＣＨ候補の数の両方を０として選択し、前記集約レベル８に対応するＥＰＤＣＣＨ候補の数と前記集約レベル１６に対応するＥＰＤＣＣＨ候補の数の両方を２として選択するか、または、
前記局所マップ方式に対しては、前記選択プロセッサは、前記集約レベル２に対応するＥＰＤＣＣＨ候補の数と前記集約レベル４に対応するＥＰＤＣＣＨ候補の数の両方を３として選択し、前記集約レベル８に対応するＥＰＤＣＣＨ候補の数と前記集約レベル１６に対応するＥＰＤＣＣＨ候補の数の両方を１として選択し、前記分散マップ方式に対しては、前記選択プロセッサは、前記集約レベル２に対応するＥＰＤＣＣＨ候補の数と前記集約レベル４に対応するＥＰＤＣＣＨ候補の数の両方を３として選択し、前記集約レベル８に対応するＥＰＤＣＣＨ候補の数および前記集約レベル１６に対応するＥＰＤＣＣＨ候補の数を１として選択するか、または、
前記局所マップ方式に対しては、前記選択プロセッサは、前記集約レベル２に対応するＥＰＤＣＣＨ候補の数を６として選択し、前記集約レベル４に対応するＥＰＤＣＣＨ候補の数、前記集約レベル８に対応するＥＰＤＣＣＨ候補の数、および前記集約レベル１６に対応するＥＰＤＣＣＨ候補の数を０として選択し、前記分散マップ方式に対しては、前記選択プロセッサは、前記集約レベル２に対応するＥＰＤＣＣＨ候補の数を０として選択し、前記集約レベル４に対応するＥＰＤＣＣＨ候補の数を６として選択し、前記集約レベル８に対応するＥＰＤＣＣＨ候補の数と前記集約レベル１６に対応するＥＰＤＣＣＨ候補の数の両方を２として選択する、
請求項８２に記載のネットワーク側装置。
【請求項８４】
前記分散マップ方式に対しては、前記選択プロセッサは、前記集約レベル３２に対応するＥＰＤＣＣＨ候補の数を０として選択する、請求項８２に記載のネットワーク側装置。
【請求項８５】
前記集約レベルが３２である場合、および、前記集約レベルが２である場合、前記選択プロセッサは、前記局所マップ方式での前記集約レベル２に対応するＥＰＤＣＣＨ候補の数、前記分散マップ方式での前記集約レベル３２に対応するＥＰＤＣＣＨ候補の数、および前記分散マップ方式での前記集約レベル２に対応するＥＰＤＣＣＨ候補の数の合計を６として選択するか、または、
前記集約レベルが３２であり前記集約レベルが４である場合、前記選択プロセッサは、前記局所マップ方式での前記集約レベル４に対応するＥＰＤＣＣＨ候補の数、前記分散マップ方式での前記集約レベル３２に対応するＥＰＤＣＣＨ候補の数、および前記分散マップ方式での前記集約レベル２に対応するＥＰＤＣＣＨ候補の数の合計を６として選択するか、または、
前記集約レベルが３２であり前記集約レベルが８である場合、前記選択プロセッサは、前記局所マップ方式での前記集約レベル８に対応するＥＰＤＣＣＨ候補の数、前記分散マップ方式での前記集約レベル３２に対応するＥＰＤＣＣＨ候補の数、および前記分散マップ方式での前記集約レベル８に対応するＥＰＤＣＣＨ候補の数の合計を２として選択するか、または、
前記集約レベルが３２であり前記集約レベルが１６である場合、前記選択プロセッサは、前記局所マップ方式での前記集約レベル１６に対応するＥＰＤＣＣＨ候補の数、前記分散マップ方式での前記集約レベル３２に対応するＥＰＤＣＣＨ候補の数、および前記分散マップ方式での前記集約レベル１６に対応するＥＰＤＣＣＨ候補の数の合計を２として選択する、
請求項８２に記載のネットワーク側装置。
【請求項８６】
前記集約レベルが１である場合、前記選択プロセッサは、前記局所マップ方式に対応するＥＰＤＣＣＨ候補の数と前記分散マップ方式に対応するＥＰＤＣＣＨ候補の数の合計を６として選択し、
前記集約レベルが２である場合、前記選択プロセッサは、前記局所マップ方式に対応するＥＰＤＣＣＨ候補の数と前記分散マップ方式に対応するＥＰＤＣＣＨ候補の数の合計を６として選択し、
前記集約レベルが４である場合、前記選択プロセッサは、前記局所マップ方式に対応するＥＰＤＣＣＨ候補の数と前記分散マップ方式に対応するＥＰＤＣＣＨ候補の数の合計を２として選択し、
前記集約レベルが８である場合、前記選択プロセッサは、前記局所マップ方式に対応するＥＰＤＣＣＨ候補の数と前記分散マップ方式に対応するＥＰＤＣＣＨ候補の数の合計を２として選択する、
請求項８１に記載のネットワーク側装置。
【請求項８７】
前記局所マップ方式に対しては、前記選択プロセッサは、前記集約レベル１に対応するＥＰＤＣＣＨ候補の数と前記集約レベル２に対応するＥＰＤＣＣＨ候補の数の両方を６として選択し、前記集約レベル４に対応するＥＰＤＣＣＨ候補の数と前記集約レベル８に対応するＥＰＤＣＣＨ候補の数の両方を０として選択し、前記分散マップ方式に対しては、前記選択プロセッサは、前記集約レベル１に対応するＥＰＤＣＣＨ候補の数と前記集約レベル２に対応するＥＰＤＣＣＨ候補の数の両方を０として選択し、前記集約レベル４に対応するＥＰＤＣＣＨ候補の数と前記集約レベル８に対応するＥＰＤＣＣＨ候補の数の両方を２として選択するか、または、
前記局所マップ方式に対しては、前記選択プロセッサは、前記集約レベル１に対応するＥＰＤＣＣＨ候補の数と前記集約レベル２に対応するＥＰＤＣＣＨ候補の数の両方を３として選択し、前記集約レベル４に対応するＥＰＤＣＣＨ候補の数と前記集約レベル８に対応するＥＰＤＣＣＨ候補の数の両方を１として選択し、前記分散マップ方式に対しては、前記選択プロセッサは、前記集約レベル１に対応するＥＰＤＣＣＨ候補の数と前記集約レベル２に対応するＥＰＤＣＣＨ候補の数の両方を３として選択し、前記集約レベル４に対応するＥＰＤＣＣＨ候補の数と前記集約レベル８に対応するＥＰＤＣＣＨ候補の数の両方を１として選択するか、または、
前記局所マップ方式に対しては、前記選択プロセッサは、前記集約レベル１に対応するＥＰＤＣＣＨ候補の数を６として選択し、前記集約レベル２に対応するＥＰＤＣＣＨ候補の数、前記集約レベル４に対応するＥＰＤＣＣＨ候補の数、および前記集約レベル８に対応するＥＰＤＣＣＨ候補の数を０として選択し、前記分散マップ方式に対しては、前記選択プロセッサは、前記集約レベル１に対応するＥＰＤＣＣＨ候補の数を０として選択し、前記集約レベル２に対応するＥＰＤＣＣＨ候補の数を６として選択し、前記集約レベル４に対応するＥＰＤＣＣＨ候補の数と前記集約レベル８に対応するＥＰＤＣＣＨ候補の数の両方を２として選択する、
請求項８６に記載のネットワーク側装置。
【請求項８８】
前記分散マップ方式に対しては、前記選択プロセッサは、前記集約レベル１６に対応するＥＰＤＣＣＨ候補の数を０として選択する、請求項８６に記載のネットワーク側装置。
【請求項８９】
前記集約レベルが１６であり前記集約レベルが１である場合、前記選択プロセッサは、前記局所マップ方式での前記集約レベル１６に対応するＥＰＤＣＣＨ候補の数、前記局所マップ方式での前記集約レベル１に対応するＥＰＤＣＣＨ候補の数、前記分散マップ方式での前記集約レベル１６に対応するＥＰＤＣＣＨ候補の数、および前記分散マップ方式での前記集約レベル１に対応するＥＰＤＣＣＨ候補の数の合計を６として選択するか、または、
前記集約レベルが１６であり前記集約レベルが２である場合、前記選択プロセッサは、前記局所マップ方式での前記集約レベル１６に対応するＥＰＤＣＣＨ候補の数、前記局所マップ方式での前記集約レベル２に対応するＥＰＤＣＣＨ候補の数、前記分散マップ方式での前記集約レベル１６に対応するＥＰＤＣＣＨ候補の数、および前記分散マップ方式での前記集約レベル２に対応するＥＰＤＣＣＨ候補の数の合計を６として選択するか、または、
前記集約レベルが１６であり前記集約レベルが４である場合、前記選択プロセッサは、前記局所マップ方式での前記集約レベル１６に対応するＥＰＤＣＣＨ候補の数、前記局所マップ方式での前記集約レベル４に対応するＥＰＤＣＣＨ候補の数、前記分散マップ方式での前記集約レベル１６に対応するＥＰＤＣＣＨ候補の数、および前記分散マップ方式での前記集約レベル４に対応するＥＰＤＣＣＨ候補の数の合計を２として選択するか、または、
前記集約レベルが１６であり前記集約レベルが８である場合、前記選択プロセッサは、前記局所マップ方式での前記集約レベル１６に対応するＥＰＤＣＣＨ候補の数、前記局所マップ方式での前記集約レベル８に対応するＥＰＤＣＣＨ候補の数、前記分散マップ方式での前記集約レベル１６に対応するＥＰＤＣＣＨ候補の数、および前記分散マップ方式での前記集約レベル８に対応するＥＰＤＣＣＨ候補の数の合計を２として選択する、
請求項８６に記載のネットワーク側装置。
【請求項９０】
局所マップ方式に対しては、前記選択プロセッサは、前記集約レベル 2に対応するEPDCCH候補の数を６として選択し、前記集約レベル４に対応するＥＰＤＣＣＨ候補の数を２として選択し、前記集約レベル８に対応するＥＰＤＣＣＨ候補の数を２として選択し、分散マップ方式に対しては、前記選択プロセッサは、６つのＥＰＤＣＣＨ候補を少なくとも１つの集約レベルに割り当てることを選択するか、または、
局所マップ方式に対しては、前記選択プロセッサは、前記集約レベル２に対応するＥＰＤＣＣＨ候補の数を６として選択し、前記集約レベル４に対応するＥＰＤＣＣＨ候補の数を６として選択し、前記集約レベル８に対応するＥＰＤＣＣＨ候補の数を２として選択し、分散マップ方式に対しては、前記選択プロセッサは、２つのＥＰＤＣＣＨ候補を少なくとも１つの集約レベルに割り当てることを選択するか、または、
局所マップ方式に対しては、前記選択プロセッサは、前記集約レベル１に対応するＥＰＤＣＣＨ候補の数を６として選択し、前記集約レベル２に対応するＥＰＤＣＣＨ候補の数を２として選択し、前記集約レベル４に対応するＥＰＤＣＣＨ候補の数を２として選択し、分散マップ方式に対しては、前記選択プロセッサは、６つのＥＰＤＣＣＨ候補を少なくとも１つの集約レベルに割り当てることを選択するか、または、
局所マップ方式に対しては、前記選択プロセッサは、前記集約レベル１に対応するＥＰＤＣＣＨ候補の数を６として選択し、前記集約レベル２に対応するＥＰＤＣＣＨ候補の数を６として選択し、前記集約レベル４に対応するＥＰＤＣＣＨ候補の数を２として選択し、分散マップ方式に対しては、前記選択プロセッサは２つのＥＰＤＣＣＨ候補を少なくとも１つの集約レベルに割り当てることを選択する、
請求項８０に記載のネットワーク側装置。
【請求項９１】
前記選択プロセッサは、前記物理制御チャネル集合の前記検出すべき集約レベルに対応する物理制御チャネル候補の数を選択するように構成される、請求項８０に記載のネットワーク側装置。
【請求項９２】
前記物理制御チャネル集合が局所マップ方式であるとき、同一の集約レベルに対して、前記選択プロセッサは、前記集約レベルに対応する物理制御チャネル候補の数を前記物理制御チャネル集合のＰＲＢの数に従って選択し、
前記物理制御チャネル集合が分散マップ方式であるとき、同一の集約レベルに対して、前記選択プロセッサは、前記集約レベルに対応する物理制御チャネル候補の数を前記物理制御チャネル集合のＰＲＢの数に従って選択する、
請求項９１に記載のネットワーク側装置。
【請求項９３】
前記物理制御チャネル集合が前記局所マップ方式であるとき、前記同一の集約レベルに対して、前記選択プロセッサは、前記集約レベルに対応する物理制御チャネル候補の数を前記物理制御チャネル集合のＰＲＢの数に従って選択し、物理制御チャネル候補の数はＰＲＢの数に正比例し、
前記物理制御チャネル集合が前記分散マップ方式であるとき、前記同一の集約レベルに対して、前記選択プロセッサは、前記集約レベルに対応する物理制御チャネル候補の数を前記物理制御チャネル集合のＰＲＢの数に従って選択し、物理制御チャネル候補の数はＰＲＢの数に正比例する、
請求項９２に記載のネットワーク側装置。
【請求項９４】
前記送信器は、前記分散マップ方式に対応するＥＰＤＣＣＨ候補で、ＳＩ−ＲＮＴＩまたはＲＡ−ＲＮＴＩを用いてスクランブルされたダウンリンク制御情報を送信し、前記局所マップ方式に対応するＥＰＤＣＣＨ候補で、前記ＳＩ−ＲＮＴＩと前記ＲＡ−ＲＮＴＩ以外の別のＲＮＴＩを用いてスクランブルされたダウンリンク制御情報を送信するように構成される、請求項７９乃至９３の何れかに記載のユーザ機器。
【請求項９５】
前記送信器は、前記局所マップ方式と前記分散マップ方式のうち１つに対応するＥＰＤＣＣＨ候補で、クロスキャリアスケジューリング命令を含むダウンリンク制御情報を送信し、他方の方式に対応するＥＰＤＣＣＨ候補で、前記クロスキャリアスケジューリング命令を含まないダウンリンク制御情報を送信するように構成される、請求項７９乃至９３の何れかに記載のユーザ機器。
【請求項９６】
前記送信器は、前記分散マップ方式に対応する前記ＥＰＤＣＣＨ候補のＥＰＤＣＣＨを通じてダウンリンク制御情報をフォーマット０および／またはフォーマット１Ａで送信し、前記局所方式に対応する前記ＥＰＤＣＣＨ候補のＥＰＤＣＣＨを通じてダウンリンク制御情報をフォーマット２Ｃで送信するように構成され、
前記選択プロセッサはさらに、前記分散マップ方式に対応するブラインド検出が実施される回数を１６として選択し、前記局所マップ方式に対応するブラインド検出が実施される回数を１６として選択するように構成される、
請求項７９乃至９３の何れかに記載のユーザ機器。
【請求項９７】
前記送信器は、前記分散マップ方式に対応するＥＰＤＣＣＨ候補の設定値以上の集約レベルを有するＥＰＤＣＣＨを送信し、前記局所マップ方式に対応するＥＰＤＣＣＨ候補に関する前記設定値より小さい集約レベルを有するＥＰＤＣＣＨを送信するように構成される、請求項７９乃至９６の何れかに記載のユーザ機器。
【請求項９８】
送信サブフレームにおいて物理制御チャネル集合の検出すべき集約レベルを決定し、前記集約レベルに対応する物理制御チャネル候補の数を前記集約レベルに従って決定するように構成された決定プロセッサと、
前記決定された数に対応する物理制御チャネル候補でダウンリンク制御情報を受信するように構成された受信器と、
を備える、ユーザ機器。
【請求項９９】
前記決定プロセッサは、
物理制御チャネルに利用可能な前記物理制御チャネル集合のＰＲＢペアにおけるＲＥの数が閾値Ｘより小さいとき、前記物理制御チャネル集合の最小の検出すべき集約レベルを２と決定し、前記物理制御チャネル集合の前記ＰＲＢペアに含まれるＲＥの数は前記閾値Ｘ以上であるとき、前記物理制御チャネル集合の前記最小の検出すべき集約レベルを１と決定するか、または、
送信サブフレーム・タイプが、正常ＣＰ長を有する正常サブフレームまたは３、４、もしくは８として構成された特殊サブフレームであり、かつ、物理制御チャネルに対して利用可能な１つのＰＲＢペアの中のＲＥの数がＸより小さいとき、前記物理制御チャネル集合の最小の検出すべき集約レベルを２と決定し、正常ＣＰ長を有する正常サブフレームではなく３、４、もしくは８として構成された特殊サブフレームでもないか、または、物理制御チャネルに対して利用可能な１つのＰＲＢペアの中のＲＥの数がＸより大きいとき、前記物理制御チャネル集合の最小の検出すべき集約レベルを１と決定し、前記物理制御チャネル集合の前記最小の検出すべき集約レベルを１と決定する
ように構成される、請求項９８に記載のユーザ機器。
【請求項１００】
前記決定プロセッサは、
前記物理制御チャネル集合を２つの集合に分割し、
前記局所マップ方式と前記分散マップ方式における各集約レベルに対応するＥＰＤＣＣＨ候補の数をそれぞれ決定する、
ように構成され、
一方の集合は前記物理制御チャネルの局所マップ方式に対応し、他方の集合は前記物理制御チャネルの分散マップ方式に対応する、
請求項９８に記載のユーザ機器。
【請求項１０１】
前記集約レベルが２である場合、前記決定プロセッサは、前記局所マップ方式に対応するＥＰＤＣＣＨ候補の数と前記分散マップ方式に対応するＥＰＤＣＣＨ候補の数の合計を６として決定し、
前記集約レベルが４である場合、前記決定プロセッサは、前記局所マップ方式に対応するＥＰＤＣＣＨ候補の数と前記分散マップ方式に対応するＥＰＤＣＣＨ候補の数の合計を６として決定し、
前記集約レベルが８である場合、前記決定プロセッサは、前記局所マップ方式に対応するＥＰＤＣＣＨ候補の数と前記分散マップ方式に対応するＥＰＤＣＣＨ候補の数の合計を２として決定し、
前記集約レベルが１６である場合、前記決定プロセッサは、前記局所マップ方式に対応するＥＰＤＣＣＨ候補の数と前記分散マップ方式に対応するＥＰＤＣＣＨ候補の数の合計を２として決定する、
請求項１００に記載のユーザ機器。
【請求項１０２】
前記局所マップ方式に対しては、前記決定プロセッサは、前記集約レベル２に対応するＥＰＤＣＣＨ候補の数と前記集約レベル４に対応するＥＰＤＣＣＨ候補の数の両方を６として決定し、前記集約レベル８に対応するＥＰＤＣＣＨ候補の数と前記集約レベル１６に対応するＥＰＤＣＣＨ候補の数の両方を０として決定し、前記分散マップ方式に対しては、前記決定プロセッサは、前記集約レベル２に対応するＥＰＤＣＣＨ候補の数と前記集約レベル４に対応するＥＰＤＣＣＨ候補の数の両方を０として決定し、前記集約レベル８に対応するＥＰＤＣＣＨ候補の数と前記集約レベル１６に対応するＥＰＤＣＣＨ候補の数の両方を２として決定するか、または、
前記局所マップ方式に対しては、前記決定プロセッサは、前記集約レベル２に対応するＥＰＤＣＣＨ候補の数と前記集約レベル４に対応するＥＰＤＣＣＨ候補の数の両方を３として決定し、前記集約レベル８に対応するＥＰＤＣＣＨ候補の数と前記集約レベル１６に対応するＥＰＤＣＣＨ候補の数の両方を１として決定し、前記分散マップ方式に対しては、前記決定プロセッサは、前記集約レベル２に対応するＥＰＤＣＣＨ候補の数と前記集約レベル４に対応するＥＰＤＣＣＨ候補の数の両方を３として決定し、前記集約レベル８に対応するＥＰＤＣＣＨ候補の数と前記集約レベル１６に対応するＥＰＤＣＣＨ候補の数の両方を１として決定するか、または、
前記局所マップ方式に対しては、前記決定プロセッサは、前記集約レベル２に対応するＥＰＤＣＣＨ候補の数を６として決定し、前記集約レベル４に対応するＥＰＤＣＣＨ候補の数、前記集約レベル８に対応するＥＰＤＣＣＨ候補の数、および前記集約レベル１６に対応するＥＰＤＣＣＨ候補の数を０として決定し、前記分散マップ方式に対しては、前記決定プロセッサは、前記集約レベル２に対応するＥＰＤＣＣＨ候補の数を０として決定し、前記集約レベル４に対応するＥＰＤＣＣＨ候補の数を６として決定し、前記集約レベル８に対応するＥＰＤＣＣＨ候補の数と前記集約レベル１６に対応するＥＰＤＣＣＨ候補の数の両方を２として決定する、
請求項１０１に記載のユーザ機器。
【請求項１０３】
前記分散マップ方式に対しては、前記決定プロセッサは、前記集約レベル３２に対応するＥＰＤＣＣＨ候補の数を０として決定する、請求項１０１に記載のユーザ機器。
【請求項１０４】
前記集約レベルが３２である場合、および、前記集約レベルが２である場合、前記決定プロセッサは、前記局所マップ方式での前記集約レベル２に対応するＥＰＤＣＣＨ候補の数、前記分散マップ方式での前記集約レベル３２に対応するＥＰＤＣＣＨ候補の数、および前記分散マップ方式での前記集約レベル２に対応するＥＰＤＣＣＨ候補の数の合計を６として決定するか、または、
前記集約レベルが３２であり前記集約レベルが４である場合、前記決定プロセッサは、前記局所マップ方式での前記集約レベル４に対応するＥＰＤＣＣＨ候補の数、前記分散マップ方式での前記集約レベル３２に対応するＥＰＤＣＣＨ候補の数、および前記分散マップ方式での前記集約レベル２に対応するＥＰＤＣＣＨ候補の数の合計を６として決定するか、または、
前記集約レベルが３２であり前記集約レベルが８である場合、前記決定プロセッサは、前記局所マップ方式での前記集約レベル８に対応するＥＰＤＣＣＨ候補の数、前記分散マップ方式での前記集約レベル３２に対応するＥＰＤＣＣＨ候補の数、および前記分散マップ方式での前記集約レベル８に対応するＥＰＤＣＣＨ候補の数の合計を２として決定するか、または、
前記集約レベルが３２であり前記集約レベルが１６である場合、前記決定プロセッサは、前記局所マップ方式での前記集約レベル１６に対応するＥＰＤＣＣＨ候補の数、前記分散マップ方式での前記集約レベル３２に対応するＥＰＤＣＣＨ候補の数、および前記分散マップ方式での前記集約レベル１６に対応するＥＰＤＣＣＨ候補の数の合計を２として決定する、
請求項１０１に記載のユーザ機器。
【請求項１０５】
前記集約レベルが１である場合、前記決定プロセッサは、前記局所マップ方式に対応するＥＰＤＣＣＨ候補の数と前記分散マップ方式に対応するＥＰＤＣＣＨ候補の数の合計を６として決定し、
前記集約レベルが２である場合、前記決定プロセッサは、前記局所マップ方式に対応するＥＰＤＣＣＨ候補の数と前記分散マップ方式に対応するＥＰＤＣＣＨ候補の数の合計を６として決定し、
前記集約レベルが４である場合、前記決定プロセッサは、前記局所マップ方式に対応するＥＰＤＣＣＨ候補の数と前記分散マップ方式に対応するＥＰＤＣＣＨ候補の数の合計を２として決定し、
前記集約レベルが８である場合、前記決定プロセッサは、前記局所マップ方式に対応するＥＰＤＣＣＨ候補の数と前記分散マップ方式に対応するＥＰＤＣＣＨ候補の数の合計を２として決定する、
請求項１００に記載のユーザ機器。
【請求項１０６】
前記局所マップ方式に対しては、前記決定プロセッサは、前記集約レベル１に対応するＥＰＤＣＣＨ候補の数と前記集約レベル２に対応するＥＰＤＣＣＨ候補の数の両方を６として決定し、前記集約レベル４に対応するＥＰＤＣＣＨ候補の数と前記集約レベル８に対応するＥＰＤＣＣＨ候補の数の両方を０として決定し、前記分散マップ方式に対しては、前記決定プロセッサは、前記集約レベル１に対応するＥＰＤＣＣＨ候補の数と前記集約レベル２に対応するＥＰＤＣＣＨ候補の数の両方を０として決定し、前記集約レベル４に対応するＥＰＤＣＣＨ候補の数と前記集約レベル８に対応するＥＰＤＣＣＨ候補の数の両方を２として決定するか、または、
前記局所マップ方式に対しては、前記決定プロセッサは、前記集約レベル１に対応するＥＰＤＣＣＨ候補の数と前記集約レベル２に対応するＥＰＤＣＣＨ候補の数の両方を３として決定し、前記集約レベル４に対応するＥＰＤＣＣＨ候補の数と前記集約レベル８に対応するＥＰＤＣＣＨ候補の数の両方を１として決定し、前記分散マップ方式に対しては、前記決定プロセッサは、前記集約レベル１に対応するＥＰＤＣＣＨ候補の数と前記集約レベル２に対応するＥＰＤＣＣＨ候補の数の両方を３として決定し、前記集約レベル４に対応するＥＰＤＣＣＨ候補の数と前記集約レベル８に対応するＥＰＤＣＣＨ候補の数の両方を１として決定するか、または、
前記局所マップ方式に対しては、前記決定プロセッサは、前記集約レベル１に対応するＥＰＤＣＣＨ候補の数を６として決定し、前記集約レベル２に対応するＥＰＤＣＣＨ候補の数、前記集約レベル４に対応するＥＰＤＣＣＨ候補の数、および前記集約レベル８に対応するＥＰＤＣＣＨ候補の数を０として決定し、前記分散マップ方式に対しては、前記決定プロセッサは、前記集約レベル１に対応するＥＰＤＣＣＨ候補の数を０として決定し、前記集約レベル２に対応するＥＰＤＣＣＨ候補の数を６として決定し、前記集約レベル４に対応するＥＰＤＣＣＨ候補の数と前記集約レベル８に対応するＥＰＤＣＣＨ候補の数の両方を２として決定する、
請求項１０５に記載のユーザ機器。
【請求項１０７】
前記分散マップ方式に対しては、前記決定プロセッサは、前記集約レベル１６に対応するＥＰＤＣＣＨ候補の数を０として決定する、請求項１０５に記載のユーザ機器。
【請求項１０８】
前記集約レベルが１６であり前記集約レベルが１である場合、前記決定プロセッサは、前記局所マップ方式での前記集約レベル１６に対応するＥＰＤＣＣＨ候補の数、前記局所マップ方式での前記集約レベル１に対応するＥＰＤＣＣＨ候補の数、前記分散マップ方式での前記集約レベル１６に対応するＥＰＤＣＣＨ候補の数、および前記分散マップ方式での前記集約レベル１に対応するＥＰＤＣＣＨ候補の数の合計を６として決定するか、または、
前記集約レベルが１６であり前記集約レベルが２である場合、前記決定プロセッサは、前記局所マップ方式での前記集約レベル１６に対応するＥＰＤＣＣＨ候補の数、前記局所マップ方式での前記集約レベル２に対応するＥＰＤＣＣＨ候補の数、前記分散マップ方式での前記集約レベル１６に対応するＥＰＤＣＣＨ候補の数、および前記分散マップ方式での前記集約レベル２に対応するＥＰＤＣＣＨ候補の数の合計を６として決定するか、または、
前記集約レベルが１６であり前記集約レベルが４である場合、前記決定プロセッサは、前記局所マップ方式での前記集約レベル１６に対応するＥＰＤＣＣＨ候補の数、前記局所マップ方式での前記集約レベル４に対応するＥＰＤＣＣＨ候補の数、前記分散マップ方式での前記集約レベル１６に対応するＥＰＤＣＣＨ候補の数、および前記分散マップ方式での前記集約レベル４に対応するＥＰＤＣＣＨ候補の数の合計を２として決定するか、または、
前記集約レベルが１６であり前記集約レベルが８である場合、前記決定プロセッサは、前記局所マップ方式での前記集約レベル１６に対応するＥＰＤＣＣＨ候補の数、前記局所マップ方式での前記集約レベル８に対応するＥＰＤＣＣＨ候補の数、前記分散マップ方式での前記集約レベル１６に対応するＥＰＤＣＣＨ候補の数、および前記分散マップ方式での前記集約レベル８に対応するＥＰＤＣＣＨ候補の数の合計を２として決定する、
請求項１０５に記載のユーザ機器。
【請求項１０９】
前記局所マップ方式に対しては、前記決定プロセッサは、前記集約レベル２に対応するＥＰＤＣＣＨ候補の数を６として決定し、前記集約レベル４に対応するＥＰＤＣＣＨ候補の数を２として決定し、前記集約レベル８に対応するＥＰＤＣＣＨ候補の数を２として決定し、前記分散マップ方式に対しては、前記決定プロセッサは、６つのＥＰＤＣＣＨ候補を少なくとも１つの集約レベルに割り当てると決定するか、または、
前記局所マップ方式に対しては、前記決定プロセッサは、前記集約レベル２に対応するＥＰＤＣＣＨ候補の数を６として決定し、前記集約レベル４に対応するＥＰＤＣＣＨ候補の数を６として決定し、前記集約レベル８に対応するＥＰＤＣＣＨ候補の数を２として決定し、前記分散マップ方式に対しては、前記決定プロセッサは２つのＥＰＤＣＣＨ候補を少なくとも１つの集約レベルに割り当てると決定するか、または、
前記局所マップ方式に対しては、前記決定プロセッサは、前記集約レベル１に対応するＥＰＤＣＣＨ候補の数を６として決定し、前記集約レベル２に対応するＥＰＤＣＣＨ候補の数を２として決定し、前記集約レベル４に対応するＥＰＤＣＣＨ候補の数を２として決定し、前記分散マップ方式に対しては、前記決定プロセッサは、６つのＥＰＤＣＣＨ候補を少なくとも１つの集約レベルに割り当てると決定するか、または、
前記局所マップ方式に対しては、前記決定プロセッサは、前記集約レベル１に対応するＥＰＤＣＣＨ候補の数を６として決定し、前記集約レベル２に対応するＥＰＤＣＣＨ候補の数を６として決定し、前記集約レベル４に対応するＥＰＤＣＣＨ候補の数を２として決定し、前記分散マップ方式に対しては、前記決定プロセッサは２つのＥＰＤＣＣＨ候補を少なくとも１つの集約レベルに割り当てると決定する、
請求項１００に記載のユーザ機器。
【請求項１１０】
前記決定プロセッサは、前記物理制御チャネル集合の前記検出すべき集約レベルに対応する物理制御チャネル候補の数を決定するように構成される、請求項１００に記載のユーザ機器。
【請求項１１１】
前記物理制御チャネル集合が前記局所マップ方式であるとき、同一の集約レベルに対して、前記決定プロセッサは、前記集約レベルに対応する物理制御チャネル候補の数を前記物理制御チャネル集合のＰＲＢの数に従って決定するおよび
前記物理制御チャネル集合が前記分散マップ方式であるとき、同一の集約レベルに対して、前記決定プロセッサは、前記集約レベルに対応する物理制御チャネル候補の数を前記物理制御チャネル集合のＰＲＢの数に従って決定する、
請求項１１０に記載のユーザ機器。
【請求項１１２】
前記物理制御チャネル集合が前記局所マップ方式であるとき、前記同一の集約レベルに対して、前記決定プロセッサは、前記集約レベルに対応する物理制御チャネル候補の数を前記物理制御チャネル集合のＰＲＢの数に従って決定し、物理制御チャネル候補の数はＰＲＢの数に正比例し、
前記物理制御チャネル集合が前記分散マップ方式であるとき、前記同一の集約レベルに対して、前記決定プロセッサは、前記集約レベルに対応する物理制御チャネル候補の数を前記物理制御チャネル集合のＰＲＢの数に従って決定し、物理制御チャネル候補 の数はＰＲＢの数に正比例する、
請求項１１１に記載のユーザ機器。
【請求項１１３】
前記受信器は、前記分散マップ方式に対応するＥＰＤＣＣＨ候補で、ＳＩ−ＲＮＴＩまたはＲＡ−ＲＮＴＩを用いてスクランブルされたダウンリンク制御情報を受信し、前記局所マップ方式に対応するＥＰＤＣＣＨ候補で、前記ＳＩ−ＲＮＴＩと前記ＲＡ−ＲＮＴＩ以外の別のＲＮＴＩを用いてスクランブルされたダウンリンク制御情報を受信するように構成される、請求項９８乃至１１２の何れかに記載のユーザ機器。
【請求項１１４】
前記受信器は、前記局所マップ方式と前記分散マップ方式のうち１つに対応するＥＰＤＣＣＨ候補で、クロスキャリアスケジューリング命令を含むダウンリンク制御情報を受信し、他方の方式に対応するＥＰＤＣＣＨ候補で、前記クロスキャリアスケジューリング命令を含まないダウンリンク制御情報を受信するように構成される、請求項９８乃至１１２の何れかに記載のユーザ機器。
【請求項１１５】
前記受信器は、前記分散マップ方式に対応する前記ＥＰＤＣＣＨ候補のＥＰＤＣＣＨを通じてダウンリンク制御情報をフォーマット０および／またはフォーマット１Ａで受信し、前記局所方式に対応する前記ＥＰＤＣＣＨ候補のＥＰＤＣＣＨを通じてダウンリンク制御情報をフォーマット２Ｃで受信するように構成され、
前記決定プロセッサは、前記分散マップ方式に対応するブラインド検出が実施される回数を１６として決定し、前記局所マップ方式に対応するブラインド検出が実施される回数を１６として決定するように構成される、
請求項９８乃至１１２の何れかに記載のユーザ機器。
【請求項１１６】
前記受信器は、前記分散マップ方式に対応するＥＰＤＣＣＨ候補の設定値以上の集約レベルを有するＥＰＤＣＣＨを受信し、前記局所マップ方式に対応するＥＰＤＣＣＨ候補に関する前記設定値より小さい集約レベルを有するＥＰＤＣＣＨを受信するように構成される、請求項９８乃至１１５の何れかに記載のユーザ機器。
【発明の詳細な説明】
【技術分野】
【０００１】
本発明は通信技術の分野に関し、特に、ダウンリンク制御情報を送信するための方法、ネットワーク側装置、およびユーザ機器に関する。
【背景技術】
【０００２】
ＬＴＥシステムでは、物理ダウンリンク制御チャネル（Ｐｈｙｓｉｃａｌ  Ｄｏｗｎｌｉｎｋ  Ｃｏｎｔｒｏｌ、以降、簡単のためＰＤＣＣＨと称する）の制御領域は、論理分割を通じて得られた制御チャネル要素（Ｃｏｎｔｒｏｌ  Ｃｈａｎｎｅｌ  Ｅｌｅｍｅｎｔ、以降、簡単のためＣＣＥと称する）により形成される。この場合、ＣＣＥのリソース要素（ＲｅｓｏｕｒｃｅＥｌｅｍｅｎｔ、以降、簡単のためＲＥと称する）へのマッピングでは、完全なインターリーブ方式が採用されている。ダウンリンク制御情報（Ｄｏｗｎｌｉｎｋ  Ｃｏｎｔｒｏｌ  Ｉｎｆｏｒｍａｔｉｏｎ、以降、簡単のためＤＣＩと称する）の送信もＣＣＥのユニットに基づく。１つのユーザ機器（Ｕｓｅｒ  Ｅｑｕｉｐｍｅｎｔ、以降、簡単のためＵＥと称する）に対する１つのＤＣＩが、Ｎ個の連続するＣＣＥで送信されることがある。ＬＴＥシステムでのＮの可能な値は１、２、４、および８であり、これらはＣＣＥの集約レベルと呼ばれる。ＵＥは制御領域においてＰＤＣＣＨに対してブラインド検出を行い、ＵＥに送信されたＰＤＣＣＨが存在するかどうかを判定するために検索を行う。ブラインド検出とは、ＵＥの無線ネットワーク一時識別子（Ｒａｄｉｏ  Ｎｅｔｗｏｒｋ  Ｔｅｍｐｏｒａｒｙ  Ｉｄｅｎｔｉｔｙ、以降、簡単のためＲＮＴＩと称する）を用いることで異なるＤＣＩフォーマットとＣＣＥ集約レベルで復号化を試み、復号化が正確であった場合には、当該ＵＥに対するＤＣＩを受信することをいう。ブラインド検出を行うことで、各ＰＤＣＣＨの特定の時間周波数リソース位置が決定され、したがってＰＤＣＣＨの受信、システム情報のような上位層シグナリングスケジューリング情報の読取り、および対応する情報の受信が実現される。現在のプロトコルでは、ブラインド検出が様々な集約レベルのＰＤＣＣＨで実施される回数が規定され、当該規定により、ＵＥによりブラインド検出ががＰＤＣＣＨで実施される回数が、ブラインド検出が実施される最大回数を超えないことが保証される。
【０００３】
システムの性能を高め、物理ダウンリンク制御チャネル（Ｐｈｙｓｉｃａｌ  Ｄｏｗｎｌｉｎｋ  Ｃｏｎｔｒｏｌ、以降、簡単のためＰＤＣＣＨと称する）の容量を拡大するために、拡張物理ダウンリンク制御チャネル（ｅｎｈａｎｃｅ  Ｐｈｙｓｉｃａｌ  Ｄｏｗｎｌｉｎｋ  Ｃｏｎｔｒｏｌ、以降、簡単のためＥ−ＰＤＣＣＨと称する）がＲ１１バージョンで導入されている。Ｅ−ＰＤＣＣＨは、２つの送信モード、即ち、連続する周波数領域での局所送信（Ｌｏｃａｌｉｚｅｄ）と、離散周波数領域での分散送信（Ｄｉｓｔｒｉｂｕｔｅｄ）があり、これらは異なるシナリオに適用される。一般に、ＵＥによりフィードバックされたより正確なチャネル情報を基地局が取得でき、隣接セルの干渉がサブフレームの変化に対してあまり強くないシナリオでは局所送信モードが多くの場合使用され、このケースでは、基地局は、ＵＥがフィードバックしたＣＳＩに従って、端末に対するＥ−ＰＤＣＣＨを送信するのに良好な品質を有する連続する周波数リソースを選択し、プリコーディング／ビーム形成処理を実施して、送信の性能を高める。チャネル情報を正確に取得できないか、または、隣接セルの干渉がサブフレームの変化に対して強くて予測できないシナリオでは、分散方式をＥ−ＤＰＣＣＨの送信に使用する必要がある。即ち、離散周波数リソースが送信に使用され、それによりダイバーシチ利得が得られる。
【０００４】
先行技術では、ＵＥに送信されるＥ−ＰＤＣＣＨを受信するために、ＵＥはＥ−ＰＤＣＣＨが運搬するシグナリングにブラインド検出を実施する必要がある。同様に、Ｅ−ＰＤＣＣＨに対する検出は、ブラインド検出が実施される最大回数を超えないという要件を満たす必要があり、ブラインド検出が実施される回数は物理制御チャネル候補の数に対応し、したがって、物理制御チャネル候補の数が決定されると、ブラインド検出が実施される回数が決定される。
【発明の概要】
【発明が解決しようとする課題】
【０００５】
しかし、幾つかのケースでは、ＵＥは、局所マップ方式のＥ−ＤＰＣＣＨと分散マップ方式のＥ−ＤＰＣＣＨを同時に検出するように構成される。この実施シナリオでは、ＵＥが２つの方式のＥ−ＤＰＣＣＨを検出する場合、ブラインド検出が実施される回数が、ブラインド検出が実施される最大回数を超えるおそれがあり、ＵＥのブラインド検出時間が長くなり、ＵＥの他のサービス・データ処理に影響が及ぶ。
【課題を解決するための手段】
【０００６】
本発明の諸実施形態では、ブラインド検出が実施される回数を増加させることなくダウンリンク制御情報の送信を実現するための、ダウンリンク制御情報を送信するための方法、ネットワーク側装置、およびユーザ機器を提供する。
【０００７】
第１の態様では、本発明の１実施形態は、ネットワーク側装置により、送信サブフレームにおいて物理制御チャネル集合の検出すべき集約レベルを選択するステップと、当該集約レベルに対応する物理制御チャネル候補の数を当該集約レベルに従って選択するステップと、ネットワーク側装置により、当該選択された数に対応する物理制御チャネル候補でダウンリンク制御情報を送信するステップとを含む、ダウンリンク制御情報を送信するための方法を提供する。
【０００８】
さらに、送信サブフレームにおいて物理制御チャネル集合の検出すべき集約レベルを選択するステップは、
物理制御チャネルに利用可能な物理制御チャネル集合のＰＲＢペアにおけるＲＥの数が閾値Ｘより小さく、当該物理制御チャネル集合の最小の検出すべき集約レベルは２であるとき、および、当該物理制御チャネル集合のＰＲＢペアに含まれるＲＥの数が閾値Ｘ以上であるとき、当該物理制御チャネル集合の最小の検出すべき集約レベルを１と選択するステップ、または、
送信サブフレーム・タイプが、正常ＣＰ長を有する正常サブフレームまたは３、４、もしくは８として構成された特殊サブフレームであり、かつ、物理制御チャネルに対して利用可能な１つのＰＲＢペアの中のＲＥの数がＸより小さいとき、当該物理制御チャネル集合の最小の検出すべき集約レベルを２と選択し、当該サブフレームが正常ＣＰ長を有する正常サブフレームではなく３、４、もしくは８として構成された特殊サブフレームでもないか、または、物理制御チャネルに対して利用可能な１つのＰＲＢペアの中のＲＥの数がＸより大きいとき、当該物理制御チャネル集合の最小の検出すべき集約レベルを１と選択し、当該物理制御チャネル集合の検出すべき最小集約レベルを１と選択するステップ
を含む。
【０００９】
さらに、当該集約レベルに対応する物理制御チャネル候補の数を当該集約レベルに従って選択するステップは、当該物理制御チャネル集合を２つの集合に分割するステップであって、一方の集合は当該物理制御チャネルの局所マップ方式に対応し、他方の集合は当該物理制御チャネルの分散マップ方式に対応しするステップと、局所マップ方式と分散マップ方式における各集約レベルに対応するＥＰＤＣＣＨ候補の数をそれぞれ選択するステップと、を含む。
【００１０】
さらに、局所マップ方式と分散マップ方式における各集約レベルに対応するＥＰＤＣＣＨ候補の数をそれぞれ選択するステップは、
集約レベルが２である場合、ネットワーク側装置により、局所マップ方式に対応するＥＰＤＣＣＨ候補の数と分散マップ方式に対応するＥＰＤＣＣＨ候補の数の合計を６として選択するステップと、
集約レベルが４である場合、ネットワーク側装置により、局所マップ方式に対応するＥＰＤＣＣＨ候補の数と分散マップ方式に対応するＥＰＤＣＣＨ候補の数の合計を６として選択するステップと、
集約レベルが８である場合、ネットワーク側装置により、局所マップ方式に対応するＥＰＤＣＣＨ候補の数と分散マップ方式に対応するＥＰＤＣＣＨ候補の数の合計を２として選択するステップと、
集約レベルが１６である場合、ネットワーク側装置により、局所マップ方式に対応するＥＰＤＣＣＨ候補の数と分散マップ方式に対応するＥＰＤＣＣＨ候補の数の合計を２として選択するステップと、
を含む。
【００１１】
さらに、局所マップ方式と分散マップ方式における各集約レベルに対応するＥＰＤＣＣＨ候補の数をそれぞれ選択するステップは、
局所マップ方式に対しては、ネットワーク側装置により、集約レベル２に対応するＥＰＤＣＣＨ候補の数と集約レベル４に対応するＥＰＤＣＣＨ候補の数の両方を６として選択し、集約レベル８に対応するＥＰＤＣＣＨ候補の数と集約レベル１６に対応するＥＰＤＣＣＨ候補の数の両方を０として選択し、分散マップ方式に対しては、ネットワーク側装置により、集約レベル２に対応するＥＰＤＣＣＨ候補の数と集約レベル４に対応するＥＰＤＣＣＨ候補の数の両方を０として選択し、集約レベル８に対応するＥＰＤＣＣＨ候補の数と集約レベル１６に対応するＥＰＤＣＣＨ候補の数の両方を２として選択するステップ、または、
局所マップ方式に対しては、ネットワーク側装置により、集約レベル２に対応するＥＰＤＣＣＨ候補の数と集約レベル４に対応するＥＰＤＣＣＨ候補の数の両方を３として選択し、集約レベル８に対応するＥＰＤＣＣＨ候補の数と集約レベル１６に対応するＥＰＤＣＣＨ候補の数の両方を１として選択し、分散マップ方式に対しては、ネットワーク側装置により、集約レベル２に対応するＥＰＤＣＣＨ候補の数と集約レベル４に対応するＥＰＤＣＣＨ候補の数の両方を３として選択し、集約レベル８に対応するＥＰＤＣＣＨ候補の数と集約レベル１６に対応するＥＰＤＣＣＨ候補の数の両方を１として選択するステップ、または、
局所マップ方式に対しては、ネットワーク側装置により、集約レベル２に対応するＥＰＤＣＣＨ候補の数を６として選択し、集約レベル４に対応するＥＰＤＣＣＨ候補の数、集約レベル８に対応するＥＰＤＣＣＨ候補の数、および集約レベル１６に対応するＥＰＤＣＣＨ候補の数を０として選択し、分散マップ方式に対しては、ネットワーク側装置により、集約レベル２に対応するＥＰＤＣＣＨ候補の数を０として選択し、集約レベル４に対応するＥＰＤＣＣＨ候補の数を６として選択し、集約レベル８に対応するＥＰＤＣＣＨ候補の数と集約レベル１６に対応するＥＰＤＣＣＨ候補の数の両方を２として選択するステップ
を含む。
【００１２】
さらに、局所マップ方式と分散マップ方式における各集約レベルに対応するＥＰＤＣＣＨ候補の数をそれぞれ選択するステップは、分散マップ方式に対しては、ネットワーク側装置により、集約レベル３２に対応するＥＰＤＣＣＨ候補の数を０として選択するステップを含む。
【００１３】
さらに、局所マップ方式と分散マップ方式における各集約レベルに対応するＥＰＤＣＣＨ候補の数をそれぞれ選択するステップは、
集約レベルが３２である場合、および、集約レベルが２である場合、ネットワーク側装置により、局所マップ方式での集約レベル２に対応するＥＰＤＣＣＨ候補の数、分散マップ方式での集約レベル３２に対応するＥＰＤＣＣＨ候補の数、および分散マップ方式での集約レベル２に対応するＥＰＤＣＣＨ候補の数の合計を６として選択するステップ、または、
集約レベルが３２である場合、および、集約レベルが４である場合、ネットワーク側装置により、局所マップ方式での集約レベル４に対応するＥＰＤＣＣＨ候補の数、分散マップ方式での集約レベル３２に対応するＥＰＤＣＣＨ候補の数、および分散マップ方式での集約レベル２に対応するＥＰＤＣＣＨ候補の数の合計を６として選択するステップ、または、
集約レベルが３２である場合、および、集約レベルが８である場合、ネットワーク側装置により、局所マップ方式での集約レベル８に対応するＥＰＤＣＣＨ候補の数、分散マップ方式での集約レベル３２に対応するＥＰＤＣＣＨ候補の数、および分散マップ方式での集約レベル８に対応するＥＰＤＣＣＨ候補の数の合計を２として選択するステップ、または、
集約レベルが３２である場合、および、集約レベルが１６である場合、ネットワーク側装置により、局所マップ方式での集約レベル１６に対応するＥＰＤＣＣＨ候補の数、分散マップ方式での集約レベル３２に対応するＥＰＤＣＣＨ候補の数、および分散マップ方式での集約レベル１６に対応するＥＰＤＣＣＨ候補の数の合計を２として選択するステップ
を含む。
【００１４】
さらに、局所マップ方式と分散マップ方式における各集約レベルに対応するＥＰＤＣＣＨ候補の数をそれぞれ選択するステップは、
集約レベルが１である場合、ネットワーク側装置により、局所マップ方式に対応するＥＰＤＣＣＨ候補の数と分散マップ方式に対応するＥＰＤＣＣＨ候補の数の合計を６として選択するステップと、
集約レベルが２である場合、ネットワーク側装置により、局所マップ方式に対応するＥＰＤＣＣＨ候補の数と分散マップ方式に対応するＥＰＤＣＣＨ候補の数の合計を６として選択するステップと、
集約レベルが４である場合、ネットワーク側装置により、局所マップ方式に対応するＥＰＤＣＣＨ候補の数と分散マップ方式に対応するＥＰＤＣＣＨ候補の数の合計を２として選択するステップと、
集約レベルが８である場合、ネットワーク側装置により、局所マップ方式に対応するＥＰＤＣＣＨ候補の数と分散マップ方式に対応するＥＰＤＣＣＨ候補の数の合計を２として選択するステップと、
を含む。
【００１５】
さらに、局所マップ方式と分散マップ方式における各集約レベルに対応するＥＰＤＣＣＨ候補の数をそれぞれ選択するステップは、
局所マップ方式に対しては、ネットワーク側装置により、集約レベル１に対応するＥＰＤＣＣＨ候補の数と集約レベル２に対応するＥＰＤＣＣＨ候補の数の両方を６として選択し、集約レベル４に対応するＥＰＤＣＣＨ候補の数と集約レベル８に対応するＥＰＤＣＣＨ候補の数の両方を０として選択し、分散マップ方式に対しては、ネットワーク側装置により、集約レベル１に対応するＥＰＤＣＣＨ候補の数と集約レベル２に対応するＥＰＤＣＣＨ候補の数の両方を０として選択し、集約レベル４に対応するＥＰＤＣＣＨ候補の数と集約レベル８に対応するＥＰＤＣＣＨ候補の数の両方を２として選択するステップ、または、
局所マップ方式に対しては、ネットワーク側装置により、集約レベル１に対応するＥＰＤＣＣＨ候補の数と集約レベル２に対応するＥＰＤＣＣＨ候補の数の両方を３として選択し、集約レベル４に対応するＥＰＤＣＣＨ候補の数と集約レベル８に対応するＥＰＤＣＣＨ候補の数の両方を１として選択し、分散マップ方式に対しては、ネットワーク側装置により、集約レベル１に対応するＥＰＤＣＣＨ候補の数と集約レベル２に対応するＥＰＤＣＣＨ候補の数の両方を３として選択し、集約レベル４に対応するＥＰＤＣＣＨ候補の数と集約レベル８に対応するＥＰＤＣＣＨ候補の数の両方を１として選択するステップ、または、
局所マップ方式に対しては、ネットワーク側装置により、集約レベル１に対応するＥＰＤＣＣＨ候補の数を６として選択し、集約レベル２に対応するＥＰＤＣＣＨ候補の数、集約レベル４に対応するＥＰＤＣＣＨ候補の数、および集約レベル８に対応するＥＰＤＣＣＨ候補の数を０として選択し、分散マップ方式に対しては、ネットワーク側装置により、集約レベル１に対応するＥＰＤＣＣＨ候補の数を０として選択し、集約レベル２に対応するＥＰＤＣＣＨ候補の数を６として選択し、集約レベル４に対応するＥＰＤＣＣＨ候補の数と集約レベル８に対応するＥＰＤＣＣＨ候補の数の両方を２として選択するステップ
を含む。
【００１６】
さらに、局所マップ方式と分散マップ方式における各集約レベルに対応するＥＰＤＣＣＨ候補の数をそれぞれ選択するステップは、分散マップ方式に対しては、ネットワーク側装置により、集約レベル１６に対応するＥＰＤＣＣＨ候補の数を０として選択するステップを含む。
【００１７】
さらに、局所マップ方式と分散マップ方式における各集約レベルに対応するＥＰＤＣＣＨ候補の数をそれぞれ選択するステップは、
集約レベルが１６である場合、および、集約レベルが１である場合、ネットワーク側装置により、局所マップ方式での集約レベル１６に対応するＥＰＤＣＣＨ候補の数、局所マップ方式での集約レベル１に対応するＥＰＤＣＣＨ候補の数、分散マップ方式での集約レベル１６に対応するＥＰＤＣＣＨ候補の数、および分散マップ方式での集約レベル１に対応するＥＰＤＣＣＨ候補の数の合計を６として選択するステップ、または、
集約レベルが１６である場合、および、集約レベルが２である場合、ネットワーク側装置により、局所マップ方式での集約レベル１６に対応するＥＰＤＣＣＨ候補の数、局所マップ方式での集約レベル２に対応するＥＰＤＣＣＨ候補の数、分散マップ方式での集約レベル１６に対応するＥＰＤＣＣＨ候補の数、および分散マップ方式での集約レベル２に対応するＥＰＤＣＣＨ候補の数の合計を６として選択するステップ、または、
集約レベルが１６である場合、および、集約レベルが４である場合、ネットワーク側装置により、局所マップ方式での集約レベル１６に対応するＥＰＤＣＣＨ候補の数、局所マップ方式での集約レベル４に対応するＥＰＤＣＣＨ候補の数、分散マップ方式での集約レベル１６に対応するＥＰＤＣＣＨ候補の数、および分散マップ方式での集約レベル４に対応するＥＰＤＣＣＨ候補の数の合計を２として選択するステップ、または、
集約レベルが１６である場合、および、集約レベルが８である場合、ネットワーク側装置により、局所マップ方式での集約レベル１６に対応するＥＰＤＣＣＨ候補の数、局所マップ方式での集約レベル８に対応するＥＰＤＣＣＨ候補の数、分散マップ方式での集約レベル１６に対応するＥＰＤＣＣＨ候補の数、および分散マップ方式での集約レベル８に対応するＥＰＤＣＣＨ候補の数の合計を２として選択するステップ
を含む。
【００１８】
さらに、局所マップ方式と分散マップ方式における各集約レベルに対応するＥＰＤＣＣＨ候補の数をそれぞれ選択するステップは、
局所マップ方式に対しては、ネットワーク側装置により、集約レベル２に対応するＥＰＤＣＣＨ候補の数を６として選択し、集約レベル４に対応するＥＰＤＣＣＨ候補の数を２として選択し、集約レベル８に対応するＥＰＤＣＣＨ候補の数を２として選択し、分散マップ方式に対しては、ネットワーク側装置により、６つのＥＰＤＣＣＨ候補を少なくとも１つの集約レベルに割り当てることを選択するステップ、または、
局所マップ方式に対しては、ネットワーク側装置により、集約レベル２に対応するＥＰＤＣＣＨ候補の数を６として選択し、集約レベル４に対応するＥＰＤＣＣＨ候補の数を６として選択し、集約レベル８に対応するＥＰＤＣＣＨ候補の数を２として選択し、分散マップ方式に対しては、ネットワーク側装置により、２つのＥＰＤＣＣＨ候補を少なくとも１つの集約レベルに割り当てることを選択するステップ、または、
局所マップ方式に対しては、ネットワーク側装置により、集約レベル１に対応するＥＰＤＣＣＨ候補の数を６として選択し、集約レベル２に対応するＥＰＤＣＣＨ候補の数を２として選択し、集約レベル４に対応するＥＰＤＣＣＨ候補の数を２として選択し、分散マップ方式に対しては、ネットワーク側装置により、６つのＥＰＤＣＣＨ候補を少なくとも１つの集約レベルに割り当てることを選択するステップ、または、
局所マップ方式に対しては、ネットワーク側装置により、集約レベル１に対応するＥＰＤＣＣＨ候補の数を６として選択し、集約レベル２に対応するＥＰＤＣＣＨ候補の数を６として選択し、集約レベル４に対応するＥＰＤＣＣＨ候補の数を２として選択し、分散マップ方式に対しては、ネットワーク側装置により、２つのＥＰＤＣＣＨ候補を少なくとも１つの集約レベルに割り当てることを選択するステップ
を含む。
【００１９】
さらに、当該集約レベルに対応する物理制御チャネル候補の数を当該集約レベルに従って選択するステップは、当該物理制御チャネル集合の検出すべき集約レベルに対応する物理制御チャネル候補の数を選択するステップを含む。
【００２０】
さらに、物理制御チャネル集合の検出すべき集約レベルに対応する物理制御チャネル候補の数を選択するステップは、
当該物理制御チャネル集合が局所マップ方式であるとき、同一の集約レベルに対して、当該集約レベルに対応する物理制御チャネル候補の数を当該物理制御チャネル集合のＰＲＢの数に従って選択するステップと、
当該物理制御チャネル集合が分散マップ方式であるとき、同一の集約レベルに対して、当該集約レベルに対応する物理制御チャネル候補の数を当該物理制御チャネル集合のＰＲＢの数に従って選択するステップと、
を含む。
【００２１】
さらに、当該物理制御チャネル集合の検出すべき集約レベルに対応する物理制御チャネル候補の数を選択するステップは、
当該物理制御チャネル集合が局所マップ方式であるとき、同一の集約レベルに対して、当該集約レベルに対応する物理制御チャネル候補の数を当該物理制御チャネル集合のＰＲＢの数に従って選択するステップであって、物理制御チャネル候補の数はＰＲＢの数に正比例するステップと、
当該物理制御チャネル集合が分散マップ方式であるとき、同一の集約レベルに対して、当該集約レベルに対応する物理制御チャネル候補の数を当該物理制御チャネル集合のＰＲＢの数に従って選択するステップであって、物理制御チャネル候補の数はＰＲＢの数に正比例するステップと、
を含む。
【００２２】
さらに、当該物理制御チャネル集合が分散マップ方式であるとき、当該物理制御チャネル集合に含まれるＰＲＢの数Ｎが８である場合には、当該物理制御チャネル集合の中の集約レベル１に対応する物理制御チャネル候補の数は０であり、当該物理制御チャネル集合が分散マップ方式であるとき、当該物理制御チャネル集合に含まれるＰＲＢの数Ｎが１６である場合には、当該物理制御チャネル集合の中の集約レベル１および２に対応する物理制御チャネル候補の数は０である。
【００２３】
さらに、ダウンリンク制御情報を制御チャネル集合の制御チャネル候補で送信するステップは、ネットワーク側装置により、分散マップ方式に対応するＥＰＤＣＣＨ候補で、ＳＩ−ＲＮＴＩまたはＲＡ−ＲＮＴＩを用いてスクランブルされたダウンリンク制御情報を送信し、局所マップ方式に対応するＥＰＤＣＣＨ候補で、ＳＩ−ＲＮＴＩとＲＡ−ＲＮＴＩ以外の別のＲＮＴＩを用いてスクランブルされたダウンリンク制御情報を送信するステップを含む。
【００２４】
さらに、ダウンリンク制御情報を制御チャネル集合の制御チャネル候補で送信するステップは、ネットワーク側装置により、局所マップ方式と分散マップ方式のうち１つに対応するＥＰＤＣＣＨ候補で、クロスキャリアスケジューリング命令を含むダウンリンク制御情報を送信し、他方の方式に対応するＥＰＤＣＣＨ候補で、当該クロスキャリアスケジューリング命令を含まないダウンリンク制御情報を送信するステップを含む。
【００２５】
さらに、ダウンリンク制御情報を制御チャネル集合の制御チャネル候補で送信するステップは、
ネットワーク側装置により、分散マップ方式に対応するＥＰＤＣＣＨ候補のＥＰＤＣＣＨを通じてダウンリンク制御情報をフォーマット０および／またはフォーマット１Ａで送信し、局所方式に対応するＥＰＤＣＣＨ候補のＥＰＤＣＣＨを通じてダウンリンク制御情報をフォーマット２Ｃで送信するステップと、
ネットワーク側装置により、分散マップ方式に対応するブラインド検出が実施される回数を１６として選択し、局所マップ方式に対応するブラインド検出が実施される回数を１６として選択するステップと、
を含む。
【００２６】
さらに、ダウンリンク制御情報を制御チャネル集合の制御チャネル候補で送信するステップは、ネットワーク側装置により、分散マップ方式に対応するＥＰＤＣＣＨ候補の設定値以上の集約レベルを有するＥＰＤＣＣＨを送信し、局所マップ方式に対応するＥＰＤＣＣＨ候補に関する設定値より小さい集約レベルを有するＥＰＤＣＣＨを送信するステップを含む。
【００２７】
第２の態様では、本発明の１実施形態は、ユーザ機器により、送信サブフレームにおいて物理制御チャネル集合の検出すべき集約レベルを決定するステップと、当該集約レベルに対応する物理制御チャネル候補の数を当該集約レベルに従って決定するステップと、ユーザ機器により、当該決定された数に対応する物理制御チャネル候補でダウンリンク制御情報を受信するステップと、を含むダウンリンク制御情報を送信するための方法を提供する。
【００２８】
さらに、送信サブフレームにおいて物理制御チャネル集合の検出すべき集約レベルを決定するステップは、
物理制御チャネルに利用可能な物理制御チャネル集合のＰＲＢペアにおけるＲＥの数が閾値Ｘより小さく、当該物理制御チャネルの最小の検出すべき集約レベルが２であるとき、および、当該物理制御チャネル集合のＰＲＢペアに含まれるＲＥの数が閾値Ｘ以上であるとき、当該物理制御チャネル集合の最小の検出すべき集約レベルを１と決定するステップ、または、
送信サブフレーム・タイプが、正常ＣＰ長を有する正常サブフレームまたは３、４、もしくは８として構成された特殊サブフレームであり、かつ、物理制御チャネルに対して利用可能な１つのＰＲＢペアの中のＲＥの数がＸより小さいとき、当該物理制御チャネル集合の最小の検出すべき集約レベルを２と決定し、当該サブフレームが、正常ＣＰ長を有する正常サブフレームではなく３、４、もしくは８として構成された特殊サブフレームでもないか、または、物理制御チャネルに対して利用可能な１つのＰＲＢペアの中のＲＥの数がＸより大きいとき、当該物理制御チャネル集合の最小の検出すべき集約レベルを１と決定し、当該物理制御チャネル集合の最小の検出すべき集約レベルを１と決定するステップ
を含む。
【００２９】
さらに、集約レベルに対応する物理制御チャネル候補の数を当該集約レベルに従って決定するステップは、
当該物理制御チャネル集合を２つの集合に分割するステップであって、一方の集合は当該物理制御チャネルの局所マップ方式に対応し、他方の集合は当該物理制御チャネルの分散マップ方式に対応するステップと、
局所マップ方式と分散マップ方式における各集約レベルに対応するＥＰＤＣＣＨ候補の数をそれぞれ決定するステップと、
を含む。
【００３０】
さらに、局所マップ方式と分散マップ方式における各集約レベルに対応するＥＰＤＣＣＨ候補の数をそれぞれ決定するステップは、
集約レベルが２である場合、ユーザ機器により、局所マップ方式に対応するＥＰＤＣＣＨ候補の数と分散マップ方式に対応するＥＰＤＣＣＨ候補の数の合計を６として決定するステップと、
集約レベルが４である場合、ユーザ機器により、局所マップ方式に対応するＥＰＤＣＣＨ候補の数と分散マップ方式に対応するＥＰＤＣＣＨ候補の数の合計を６として決定するステップと、
集約レベルが８である場合、ユーザ機器により、局所マップ方式に対応するＥＰＤＣＣＨ候補の数と分散マップ方式に対応するＥＰＤＣＣＨ候補の数の合計を２として決定するステップと、
集約レベルが１６である場合、ユーザ機器により、局所マップ方式に対応するＥＰＤＣＣＨ候補の数と分散マップ方式に対応するＥＰＤＣＣＨ候補の数の合計を２として決定するステップと、
を含む。
【００３１】
さらに、局所マップ方式と分散マップ方式における各集約レベルに対応するＥＰＤＣＣＨ候補の数をそれぞれ決定するステップは、
局所マップ方式に対しては、ユーザ機器により、集約レベル２に対応するＥＰＤＣＣＨ候補の数と集約レベル４に対応するＥＰＤＣＣＨ候補の数の両方を６として決定し、集約レベル８に対応するＥＰＤＣＣＨ候補の数と集約レベル１６に対応するＥＰＤＣＣＨ候補の数の両方を０として決定し、分散マップ方式に対しては、ユーザ機器により、集約レベル２に対応するＥＰＤＣＣＨ候補の数と集約レベル４に対応するＥＰＤＣＣＨ候補の数の両方を０として決定し、集約レベル８に対応するＥＰＤＣＣＨ候補の数と集約レベル１６に対応するＥＰＤＣＣＨ候補の数の両方を２として決定するステップ、または、
局所マップ方式に対しては、ユーザ機器により、集約レベル２に対応するＥＰＤＣＣＨ候補の数と集約レベル４に対応するＥＰＤＣＣＨ候補の数の両方を３として決定し、集約レベル８に対応するＥＰＤＣＣＨ候補の数と集約レベル１６に対応するＥＰＤＣＣＨ候補の数の両方を１として決定し、分散マップ方式に対しては、ユーザ機器により、集約レベル２に対応するＥＰＤＣＣＨ候補の数と集約レベル４に対応するＥＰＤＣＣＨ候補の数の両方を３として決定し、集約レベル８に対応するＥＰＤＣＣＨ候補の数と集約レベル１６に対応するＥＰＤＣＣＨ候補の数の両方を１として決定するステップ、または、
局所マップ方式に対しては、ユーザ機器により、集約レベル２に対応するＥＰＤＣＣＨ候補の数を６として決定し、集約レベル４に対応するＥＰＤＣＣＨ候補の数、集約レベル８に対応するＥＰＤＣＣＨ候補の数、および集約レベル１６に対応するＥＰＤＣＣＨ候補の数を０として決定し、分散マップ方式に対しては、ユーザ機器により、集約レベル２に対応するＥＰＤＣＣＨ候補の数を０として決定し、集約レベル４に対応するＥＰＤＣＣＨ候補の数を６として決定し、集約レベル８に対応するＥＰＤＣＣＨ候補の数と集約レベル１６に対応するＥＰＤＣＣＨ候補の数の両方を２として決定するステップ
を含む。
【００３２】
さらに、局所マップ方式と分散マップ方式における各集約レベルに対応するＥＰＤＣＣＨ候補の数をそれぞれ決定するステップは、分散マップ方式に対して、ユーザ機器により、集約レベル３２に対応するＥＰＤＣＣＨ候補の数を０として決定するステップを含む。
【００３３】
さらに、局所マップ方式と分散マップ方式における各集約レベルに対応するＥＰＤＣＣＨ候補の数をそれぞれ決定するステップは、
集約レベルが３２である場合、および、集約レベルが２である場合、ユーザ機器により、局所マップ方式での集約レベル２に対応するＥＰＤＣＣＨ候補の数、分散マップ方式での集約レベル３２に対応するＥＰＤＣＣＨ候補の数、および分散マップ方式での集約レベル２に対応するＥＰＤＣＣＨ候補の数の合計を６として決定するステップ、または、
集約レベルが３２である場合、および、集約レベルが４である場合、ユーザ機器により、局所マップ方式での集約レベル４に対応するＥＰＤＣＣＨ候補の数、分散マップ方式での集約レベル３２に対応するＥＰＤＣＣＨ候補の数、および分散マップ方式での集約レベル２に対応するＥＰＤＣＣＨ候補の数の合計を６として決定するステップ、または、
集約レベルが３２である場合、および、集約レベルが８である場合、ユーザ機器により、局所マップ方式での集約レベル８に対応するＥＰＤＣＣＨ候補の数、分散マップ方式での集約レベル３２に対応するＥＰＤＣＣＨ候補の数、および分散マップ方式での集約レベル８に対応するＥＰＤＣＣＨ候補の数の合計を２として決定するステップ、または、
集約レベルが３２である場合、および、集約レベルが１６である場合、ユーザ機器により、局所マップ方式での集約レベル１６に対応するＥＰＤＣＣＨ候補の数、分散マップ方式での集約レベル３２に対応するＥＰＤＣＣＨ候補の数、および分散マップ方式での集約レベル１６に対応するＥＰＤＣＣＨ候補の数の合計を２として決定するステップ
を含む。
【００３４】
さらに、局所マップ方式と分散マップ方式における各集約レベルに対応するＥＰＤＣＣＨ候補の数をそれぞれ決定するステップは、
集約レベルが１である場合、ユーザ機器により、局所マップ方式に対応するＥＰＤＣＣＨ候補の数と分散マップ方式に対応するＥＰＤＣＣＨ候補の数の合計を６として決定するステップと、
集約レベルが２である場合、ユーザ機器により、局所マップ方式に対応するＥＰＤＣＣＨ候補の数と分散マップ方式に対応するＥＰＤＣＣＨ候補の数の合計を６として決定するステップと、
集約レベルが４である場合、ユーザ機器により、局所マップ方式に対応するＥＰＤＣＣＨ候補の数と分散マップ方式に対応するＥＰＤＣＣＨ候補の数の合計を２として決定するステップと、
集約レベルが８である場合、ユーザ機器により、局所マップ方式に対応するＥＰＤＣＣＨ候補の数と分散マップ方式に対応するＥＰＤＣＣＨ候補の数の合計を２として決定するステップと、
を含む。
【００３５】
さらに、局所マップ方式と分散マップ方式における各集約レベルに対応するＥＰＤＣＣＨ候補の数をそれぞれ決定するステップは、
局所マップ方式に対しては、ユーザ機器により、集約レベル１に対応するＥＰＤＣＣＨ候補の数と集約レベル２に対応するＥＰＤＣＣＨ候補の数の両方を６として決定し、集約レベル４に対応するＥＰＤＣＣＨ候補の数と集約レベル８に対応するＥＰＤＣＣＨ候補の数の両方を０として決定し、分散マップ方式に対しては、ユーザ機器により、集約レベル１に対応するＥＰＤＣＣＨ候補の数と集約レベル２に対応するＥＰＤＣＣＨ候補の数の両方を０として決定し、集約レベル４に対応するＥＰＤＣＣＨ候補の数と集約レベル８に対応するＥＰＤＣＣＨ候補の数の両方を２として決定するステップ、または、
局所マップ方式に対しては、ユーザ機器により、集約レベル１に対応するＥＰＤＣＣＨ候補の数と集約レベル２に対応するＥＰＤＣＣＨ候補の数の両方を３として決定し、集約レベル４に対応するＥＰＤＣＣＨ候補の数と集約レベル８に対応するＥＰＤＣＣＨ候補の数の両方を１として決定し、分散マップ方式に対しては、ユーザ機器により、集約レベル１に対応するＥＰＤＣＣＨ候補の数と集約レベル２に対応するＥＰＤＣＣＨ候補の数の両方を３として決定し、集約レベル４に対応するＥＰＤＣＣＨ候補の数と集約レベル８に対応するＥＰＤＣＣＨ候補の数の両方を１として決定するステップ、または、
局所マップ方式に対しては、ユーザ機器により、集約レベル１に対応するＥＰＤＣＣＨ候補の数を６として決定し、集約レベル２に対応するＥＰＤＣＣＨ候補の数、集約レベル４に対応するＥＰＤＣＣＨ候補の数、および集約レベル８に対応するＥＰＤＣＣＨ候補の数を０として決定し、分散マップ方式に対しては、ユーザ機器により、集約レベル１に対応するＥＰＤＣＣＨ候補の数を０として決定し、集約レベル２に対応するＥＰＤＣＣＨ候補の数を６として決定し、集約レベル４に対応するＥＰＤＣＣＨ候補の数と集約レベル８に対応するＥＰＤＣＣＨ候補の数の両方を２として決定するステップ
を含む。
【００３６】
さらに、局所マップ方式と分散マップ方式における各集約レベルに対応するＥＰＤＣＣＨ候補の数をそれぞれ決定するステップは、分散マップ方式に対して、ユーザ機器により、集約レベル１６に対応するＥＰＤＣＣＨ候補の数を０として決定するステップを含む。
【００３７】
さらに、局所マップ方式と分散マップ方式における各集約レベルに対応するＥＰＤＣＣＨ候補の数をそれぞれ決定するステップは、
集約レベルが１６である場合、および、集約レベルが１である場合、ユーザ機器により、局所マップ方式での集約レベル１６に対応するＥＰＤＣＣＨ候補の数、局所マップ方式での集約レベル１に対応するＥＰＤＣＣＨ候補の数、分散マップ方式での集約レベル１６に対応するＥＰＤＣＣＨ候補の数、および分散マップ方式での集約レベル１に対応するＥＰＤＣＣＨ候補の数の合計を６として決定するステップ、または、
集約レベルが１６である場合、および、集約レベルが２である場合、ユーザ機器により、局所マップ方式での集約レベル１６に対応するＥＰＤＣＣＨ候補の数、局所マップ方式での集約レベル２に対応するＥＰＤＣＣＨ候補の数、分散マップ方式での集約レベル１６に対応するＥＰＤＣＣＨ候補の数、および分散マップ方式での集約レベル２に対応するＥＰＤＣＣＨ候補の数の合計を６として決定するステップ、または、
集約レベルが１６である場合、および、集約レベルが４である場合、ユーザ機器により、局所マップ方式での集約レベル１６に対応するＥＰＤＣＣＨ候補の数、局所マップ方式での集約レベル４に対応するＥＰＤＣＣＨ候補の数、分散マップ方式での集約レベル１６に対応するＥＰＤＣＣＨ候補の数、および分散マップ方式での集約レベル４に対応するＥＰＤＣＣＨ候補の数の合計を２として決定するステップ、または、
集約レベルが１６である場合、および、集約レベルが８である場合、ユーザ機器により、局所マップ方式での集約レベル１６に対応するＥＰＤＣＣＨ候補の数、局所マップ方式での集約レベル８に対応するＥＰＤＣＣＨ候補の数、分散マップ方式での集約レベル１６に対応するＥＰＤＣＣＨ候補の数、および分散マップ方式での集約レベル８に対応するＥＰＤＣＣＨ候補の数の合計を２として決定するステップ
を含む。
【００３８】
さらに、局所マップ方式と分散マップ方式における各集約レベルに対応するＥＰＤＣＣＨ候補の数をそれぞれ決定するステップは、
局所マップ方式に対しては、ユーザ機器により、集約レベル２に対応するＥＰＤＣＣＨ候補の数を６として決定し、集約レベル４に対応するＥＰＤＣＣＨ候補の数を２として決定し、集約レベル８に対応するＥＰＤＣＣＨ候補の数を２として決定し、分散マップ方式に対しては、ユーザ機器により、６つのＥＰＤＣＣＨ候補を少なくとも１つの集約レベルに割り当てると決定するステップ、または、
局所マップ方式に対しては、ユーザ機器により、集約レベル２に対応するＥＰＤＣＣＨ候補の数を６として決定し、集約レベル４に対応するＥＰＤＣＣＨ候補の数を６として決定し、集約レベル８に対応するＥＰＤＣＣＨ候補の数を２として決定し、分散マップ方式に対しては、ユーザ機器により、２つのＥＰＤＣＣＨ候補を少なくとも１つの集約レベルに割り当てると決定するステップ、または、
局所マップ方式に対しては、ユーザ機器により、集約レベル１に対応するＥＰＤＣＣＨ候補の数を６として決定し、集約レベル２に対応するＥＰＤＣＣＨ候補の数を２として決定し、集約レベル４に対応するＥＰＤＣＣＨ候補の数を２として決定し、分散マップ方式に対しては、ユーザ機器により、６つのＥＰＤＣＣＨ候補を少なくとも１つの集約レベルに割り当てると決定するステップ、または、
局所マップ方式に対しては、ユーザ機器により、集約レベル１に対応するＥＰＤＣＣＨ候補の数を６として決定し、集約レベル２に対応するＥＰＤＣＣＨ候補の数を６として決定し、集約レベル４に対応するＥＰＤＣＣＨ候補の数を２として決定し、分散マップ方式に対しては、ユーザ機器により、２つのＥＰＤＣＣＨ候補を少なくとも１つの集約レベルに割り当てると決定するステップ
を含む。
【００３９】
さらに、集約レベルに対応する物理制御チャネル候補の数を当該集約レベルに従って決定するステップは、当該物理制御チャネル集合の検出すべき集約レベルに対応する物理制御チャネル候補の数を決定するステップを含む。
【００４０】
さらに、当該物理制御チャネル集合の検出すべき集約レベルに対応する物理制御チャネル候補の数を決定するステップは、
当該物理制御チャネル集合が局所マップ方式であるとき、同一の集約レベルに対して、当該集約レベルに対応する物理制御チャネル候補の数を当該物理制御チャネル集合のＰＲＢの数に従って決定するステップと、
当該物理制御チャネル集合が分散マップ方式であるとき、同一の集約レベルに対して、当該集約レベルに対応する物理制御チャネル候補の数を当該物理制御チャネル集合のＰＲＢの数に従って決定するステップと、
を含む。
【００４１】
さらに、当該物理制御チャネル集合の検出すべき集約レベルに対応する物理制御チャネル候補の数を決定するステップは、
当該物理制御チャネル集合が局所マップ方式であるとき、同一の集約レベルに対して、当該集約レベルに対応する物理制御チャネル候補の数を当該物理制御チャネル集合のＰＲＢの数に従って決定するステップであって、物理制御チャネル候補の数はＰＲＢの数に正比例するステップと、
当該物理制御チャネル集合が分散マップ方式であるとき、同一の集約レベルに対して、当該集約レベルに対応する物理制御チャネル候補の数を当該物理制御チャネル集合のＰＲＢの数に従って決定するステップであって、物理制御チャネル候補の数はＰＲＢの数に正比例するステップと、
を含む。
【００４２】
さらに、当該物理制御チャネル集合が分散マップ方式であるとき、当該物理制御チャネル集合に含まれるＰＲＢの数Ｎが８である場合には、当該物理制御チャネル集合の中の集約レベル１に対応する物理制御チャネル候補の数は０であり、当該物理制御チャネル集合が分散マップ方式であるとき、当該物理制御チャネル集合に含まれるＰＲＢの数Ｎが１６である場合には、当該物理制御チャネル集合の中の集約レベル１および２に対応する物理制御チャネル候補の数は０である。
【００４３】
さらに、ダウンリンク制御情報を制御チャネル集合の制御チャネル候補で受信するステップは、ユーザ機器により、分散マップ方式に対応するＥＰＤＣＣＨ候補で、ＳＩ−ＲＮＴＩまたはＲＡ−ＲＮＴＩを用いてスクランブルされたダウンリンク制御情報を受信するステップと、局所マップ方式に対応するＥＰＤＣＣＨ候補で、ＳＩ−ＲＮＴＩとＲＡ−ＲＮＴＩ以外の別のＲＮＴＩを用いてスクランブルされたダウンリンク制御情報を受信するステップと、を含む。
【００４４】
さらに、ダウンリンク制御情報を制御チャネル集合の制御チャネル候補で受信するステップは、ユーザ機器により、局所マップ方式と分散マップ方式のうち１つに対応するＥＰＤＣＣＨ候補で、クロスキャリアスケジューリング命令を含むダウンリンク制御情報を受信し、他方の方式に対応するＥＰＤＣＣＨ候補で、当該クロスキャリアスケジューリング命令を含まないダウンリンク制御情報を受信するステップを含む。
【００４５】
さらに、ダウンリンク制御情報を制御チャネル集合の制御チャネル候補で受信するステップは、
ユーザ機器により、分散マップ方式に対応するＥＰＤＣＣＨ候補のＥＰＤＣＣＨを通じてダウンリンク制御情報をフォーマット０および／またはフォーマット１Ａで受信し、当該局所方式に対応するＥＰＤＣＣＨ候補のＥＰＤＣＣＨを通じてダウンリンク制御情報をフォーマット２Ｃで受信するステップと、
ユーザ機器により、分散マップ方式に対応するブラインド検出が実施される回数を１６として決定し、局所マップ方式に対応するブラインド検出が実施される回数を１６として決定するステップと、
を含む。
【００４６】
さらに、ダウンリンク制御情報を制御チャネル集合の制御チャネル候補で受信するステップは、ユーザ機器により、分散マップ方式に対応するＥＰＤＣＣＨ候補の設定値以上の集約レベルを有するＥＰＤＣＣＨを受信し、局所マップ方式に対応するＥＰＤＣＣＨ候補に関する設定値より小さい集約レベルを有するＥＰＤＣＣＨを受信するステップを含む。
【００４７】
第３の態様では、本発明の１実施形態は、送信サブフレームにおいて物理制御チャネル集合の検出すべき集約レベルを選択し、当該集約レベルに対応する物理制御チャネル候補の数を当該集約レベルに従って選択するように構成された選択モジュールと、当該選択された数に対応する物理制御チャネル候補でダウンリンク制御情報を送信するように構成された送信モジュールと、を備えるネットワーク側装置を提供する。
【００４８】
さらに、当該選択モジュールは特に、物理制御チャネルに利用可能な物理制御チャネル集合のＰＲＢペアにおけるＲＥの数が閾値Ｘより小さく、当該物理制御チャネルの最小の検出すべき集約レベルが２であるとき、および、当該物理制御チャネル集合のＰＲＢペアに含まれるＲＥの数が閾値Ｘ以上であるとき、当該物理制御チャネル集合の最小の検出すべき集約レベルを１と選択するか、または、
送信サブフレーム・タイプが、正常ＣＰ長を有する正常サブフレームまたは３、４、もしくは８として構成された特殊サブフレームであり、かつ、物理制御チャネルに対して利用可能な１つのＰＲＢペアの中のＲＥの数がＸより小さいとき、当該物理制御チャネル集合の最小の検出すべき集約レベルを２と選択し、当該サブフレームが、正常ＣＰ長を有する正常サブフレームではなく３、４、もしくは８として構成された特殊サブフレームでもないか、または、物理制御チャネルに対して利用可能な１つのＰＲＢペアの中のＲＥの数がＸより大きいとき、当該物理制御チャネル集合の最小の検出すべき集約レベルを１と選択する、当該物理制御チャネル集合の最小の検出すべき集約レベルを１と選択する、
ように構成される。
【００４９】
さらに、当該選択モジュールは特に、当該物理制御チャネル集合を２つの集合に分割し、局所マップ方式と分散マップ方式における各集約レベルに対応するＥＰＤＣＣＨ候補の数をそれぞれ選択するように構成される。一方の集合は当該物理制御チャネルの局所マップ方式に対応し、他方の集合は当該物理制御チャネルの分散マップ方式に対応する。
【００５０】
さらに、集約レベルが２である場合、当該選択モジュールは、局所マップ方式に対応するＥＰＤＣＣＨ候補の数と分散マップ方式に対応するＥＰＤＣＣＨ候補の数の合計を６として選択し、
集約レベルが４である場合、当該選択モジュールは、局所マップ方式に対応するＥＰＤＣＣＨ候補の数と分散マップ方式に対応するＥＰＤＣＣＨ候補の数の合計を６として選択し、
集約レベルが８である場合、当該選択モジュールは、局所マップ方式に対応するＥＰＤＣＣＨ候補の数と分散マップ方式に対応するＥＰＤＣＣＨ候補の数の合計を２として選択し、
集約レベルが１６である場合、当該選択モジュールは、局所マップ方式に対応するＥＰＤＣＣＨ候補の数と分散マップ方式に対応するＥＰＤＣＣＨ候補の数の合計を２として選択する。
【００５１】
さらに、局所マップ方式に対しては、当該選択モジュールは、集約レベル２に対応するＥＰＤＣＣＨ候補の数と集約レベル４に対応するＥＰＤＣＣＨ候補の数の両方を６として選択し、集約レベル８に対応するＥＰＤＣＣＨ候補の数と集約レベル１６に対応するＥＰＤＣＣＨ候補の数の両方を０として選択し、分散マップ方式に対しては、当該選択モジュールは、集約レベル２に対応するＥＰＤＣＣＨ候補の数と集約レベル４に対応するＥＰＤＣＣＨ候補の数の両方を０として選択し、集約レベル８に対応するＥＰＤＣＣＨ候補の数と集約レベル１６に対応するＥＰＤＣＣＨ候補の数の両方を２として選択するか、または、
局所マップ方式に対しては、当該選択モジュールは、集約レベル２に対応するＥＰＤＣＣＨ候補の数と集約レベル４に対応するＥＰＤＣＣＨ候補の数の両方を３として選択し、集約レベル８に対応するＥＰＤＣＣＨ候補の数と集約レベル１６に対応するＥＰＤＣＣＨ候補の数の両方を１として選択し、分散マップ方式に対しては、当該選択モジュールは、集約レベル２に対応するＥＰＤＣＣＨ候補の数と集約レベル４に対応するＥＰＤＣＣＨ候補の数の両方を３として選択し、集約レベル８に対応するＥＰＤＣＣＨ候補の数と集約レベル１６に対応するＥＰＤＣＣＨ候補の数の両方を１として選択するか、または、
局所マップ方式に対しては、当該選択モジュールは、集約レベル２に対応するＥＰＤＣＣＨ候補の数を６として選択し、集約レベル４に対応するＥＰＤＣＣＨ候補の数、集約レベル８に対応するＥＰＤＣＣＨ候補の数、および集約レベル１６に対応するＥＰＤＣＣＨ候補の数を０として選択し、分散マップ方式に対しては、当該選択モジュールは、集約レベル２に対応するＥＰＤＣＣＨ候補の数を０として選択し、集約レベル４に対応するＥＰＤＣＣＨ候補の数を６として選択し、集約レベル８に対応するＥＰＤＣＣＨ候補の数と集約レベル１６に対応するＥＰＤＣＣＨ候補の数の両方を２として選択する。
【００５２】
さらに、分散マップ方式に対しては、当該選択モジュールは、集約レベル３２に対応するＥＰＤＣＣＨ候補の数を０として選択する。
【００５３】
さらに、集約レベルが３２である場合、および、集約レベルが２である場合、当該選択モジュールは、局所マップ方式での集約レベル２に対応するＥＰＤＣＣＨ候補の数、分散マップ方式での集約レベル３２に対応するＥＰＤＣＣＨ候補の数、および分散マップ方式での集約レベル２に対応するＥＰＤＣＣＨ候補の数の合計を６として選択するか、または、
集約レベルが３２である場合、および、集約レベルが４である場合、当該選択モジュールは、局所マップ方式での集約レベル４に対応するＥＰＤＣＣＨ候補の数、分散マップ方式での集約レベル３２に対応するＥＰＤＣＣＨ候補の数、および分散マップ方式での集約レベル２に対応するＥＰＤＣＣＨ候補の数の合計を６として選択するか、または、
集約レベルが３２である場合、および、集約レベルが８である場合、当該選択モジュールは、局所マップ方式での集約レベル８に対応するＥＰＤＣＣＨ候補の数、分散マップ方式での集約レベル３２に対応するＥＰＤＣＣＨ候補の数、および分散マップ方式での集約レベル８に対応するＥＰＤＣＣＨ候補の数の合計を２として選択するか、または、
集約レベルが３２である場合、および、集約レベルが１６である場合、当該選択モジュールは、局所マップ方式での集約レベル１６に対応するＥＰＤＣＣＨ候補の数、分散マップ方式での集約レベル３２に対応するＥＰＤＣＣＨ候補の数、および分散マップ方式での集約レベル１６に対応するＥＰＤＣＣＨ候補の数の合計を２として選択する。
【００５４】
さらに、集約レベルが１である場合、当該選択モジュールは、局所マップ方式に対応するＥＰＤＣＣＨ候補の数と分散マップ方式に対応するＥＰＤＣＣＨ候補の数の合計を６として選択し、
集約レベルが２である場合、当該選択モジュールは、局所マップ方式に対応するＥＰＤＣＣＨ候補の数と分散マップ方式に対応するＥＰＤＣＣＨ候補の数の合計を６として選択し、
集約レベルが４である場合、当該選択モジュールは、局所マップ方式に対応するＥＰＤＣＣＨ候補の数と分散マップ方式に対応するＥＰＤＣＣＨ候補の数の合計を２として選択し、
集約レベルが８である場合、当該選択モジュールは、局所マップ方式に対応するＥＰＤＣＣＨ候補の数と分散マップ方式に対応するＥＰＤＣＣＨ候補の数の合計を２として選択する。
【００５５】
さらに、局所マップ方式に対しては、当該選択モジュールは、集約レベル１に対応するＥＰＤＣＣＨ候補の数と集約レベル２に対応するＥＰＤＣＣＨ候補の数の両方を６として選択し、集約レベル４に対応するＥＰＤＣＣＨ候補の数と集約レベル８に対応するＥＰＤＣＣＨ候補の数の両方を０として選択し、分散マップ方式に対しては、当該選択モジュールは、集約レベル１に対応するＥＰＤＣＣＨ候補の数と集約レベル２に対応するＥＰＤＣＣＨ候補の数の両方を０として選択し、集約レベル４に対応するＥＰＤＣＣＨ候補の数と集約レベル８に対応するＥＰＤＣＣＨ候補の数の両方を２として選択するか、または、
局所マップ方式に対しては、当該選択モジュールは、集約レベル１に対応するＥＰＤＣＣＨ候補の数と集約レベル２に対応するＥＰＤＣＣＨ候補の数の両方を３として選択し、集約レベル４に対応するＥＰＤＣＣＨ候補の数と集約レベル８に対応するＥＰＤＣＣＨ候補の数の両方を１として選択し、分散マップ方式に対しては、当該選択モジュールは、集約レベル１に対応するＥＰＤＣＣＨ候補の数と集約レベル２に対応するＥＰＤＣＣＨ候補の数の両方を３として選択し、集約レベル４に対応するＥＰＤＣＣＨ候補の数と集約レベル８に対応するＥＰＤＣＣＨ候補の数の両方を１として選択するか、または、
局所マップ方式に対しては、当該選択モジュールは、集約レベル１に対応するＥＰＤＣＣＨ候補の数を６として選択し、集約レベル２に対応するＥＰＤＣＣＨ候補の数、集約レベル４に対応するＥＰＤＣＣＨ候補の数、および集約レベル８に対応するＥＰＤＣＣＨ候補の数を０として選択し、分散マップ方式に対しては、当該選択モジュールは、集約レベル１に対応するＥＰＤＣＣＨ候補の数を０として選択し、集約レベル２に対応するＥＰＤＣＣＨ候補の数を６として選択し、集約レベル４に対応するＥＰＤＣＣＨ候補の数と集約レベル８に対応するＥＰＤＣＣＨ候補の数の両方を２として選択する。
【００５６】
さらに、分散マップ方式に対しては、当該選択モジュールは、集約レベル１６に対応するＥＰＤＣＣＨ候補の数を０として選択する。
【００５７】
さらに、集約レベルが１６である場合、および、集約レベルが１である場合、当該選択モジュールは、局所マップ方式での集約レベル１６に対応するＥＰＤＣＣＨ候補の数、局所マップ方式での集約レベル１に対応するＥＰＤＣＣＨ候補の数、分散マップ方式での集約レベル１６に対応するＥＰＤＣＣＨ候補の数、および分散マップ方式での集約レベル１に対応するＥＰＤＣＣＨ候補の数の合計を６として選択するか、または、
集約レベルが１６である場合、および、集約レベルが２である場合、当該選択モジュールは、局所マップ方式での集約レベル１６に対応するＥＰＤＣＣＨ候補の数、局所マップ方式での集約レベル２に対応するＥＰＤＣＣＨ候補の数、分散マップ方式での集約レベル１６に対応するＥＰＤＣＣＨ候補の数、および分散マップ方式での集約レベル２に対応するＥＰＤＣＣＨ候補の数の合計を６として選択するか、または、
集約レベルが１６である場合、および、集約レベルが４である場合、当該選択モジュールは、局所マップ方式での集約レベル１６に対応するＥＰＤＣＣＨ候補の数、局所マップ方式での集約レベル４に対応するＥＰＤＣＣＨ候補の数、分散マップ方式での集約レベル１６に対応するＥＰＤＣＣＨ候補の数、および分散マップ方式での集約レベル４に対応するＥＰＤＣＣＨ候補の数の合計を２として選択するか、または、
集約レベルが１６である場合、および、集約レベルが８である場合、当該選択モジュールは、局所マップ方式での集約レベル１６に対応するＥＰＤＣＣＨ候補の数、局所マップ方式での集約レベル８に対応するＥＰＤＣＣＨ候補の数、分散マップ方式での集約レベル１６に対応するＥＰＤＣＣＨ候補の数、および分散マップ方式での集約レベル８に対応するＥＰＤＣＣＨ候補の数の合計を２として選択する。
【００５８】
さらに、局所マップ方式に対しては、当該選択モジュールは、集約レベル２に対応するＥＰＤＣＣＨ候補の数を６として選択し、集約レベル４に対応するＥＰＤＣＣＨ候補の数を２として選択し、集約レベル８に対応するＥＰＤＣＣＨ候補の数を２として選択し、分散マップ方式に対しては、当該選択モジュールは、６つのＥＰＤＣＣＨ候補を少なくとも１つの集約レベルに割り当てることを選択するか、または、
局所マップ方式に対しては、当該選択モジュールは、集約レベル２に対応するＥＰＤＣＣＨ候補の数を６として選択し、集約レベル４に対応するＥＰＤＣＣＨ候補の数を６として選択し、集約レベル８に対応するＥＰＤＣＣＨ候補の数を２として選択し、分散マップ方式に対しては、当該選択モジュールは、２つのＥＰＤＣＣＨ候補を少なくとも１つの集約レベルに割り当てることを選択するか、または、
局所マップ方式に対しては、当該選択モジュールは、集約レベル１に対応するＥＰＤＣＣＨ候補の数を６として選択し、集約レベル２に対応するＥＰＤＣＣＨ候補の数を２として選択し、集約レベル４に対応するＥＰＤＣＣＨ候補の数を２として選択し、分散マップ方式に対しては、当該選択モジュールは、６つのＥＰＤＣＣＨ候補を少なくとも１つの集約レベルに割り当てることを選択するか、または、
局所マップ方式に対しては、当該選択モジュールは、集約レベル１に対応するＥＰＤＣＣＨ候補の数を６として選択し、集約レベル２に対応するＥＰＤＣＣＨ候補の数を６として選択し、集約レベル４に対応するＥＰＤＣＣＨ候補の数を２として選択し、分散マップ方式に対しては、当該選択モジュールは、２つのＥＰＤＣＣＨ候補を少なくとも１つの集約レベルに割り当てることを選択する。
【００５９】
さらに、当該選択モジュールは、当該物理制御チャネル集合の検出すべき集約レベルに対応する物理制御チャネル候補の数を選択するように構成される。
【００６０】
さらに、当該物理制御チャネル集合が局所マップ方式であるとき、同一の集約レベルに対して、当該選択モジュールは、当該集約レベルに対応する物理制御チャネル候補の数を当該物理制御チャネル集合のＰＲＢの数に従って選択し、
当該物理制御チャネル集合が分散マップ方式であるとき、同一の集約レベルに対して、当該選択モジュールは、当該集約レベルに対応する物理制御チャネル候補の数を当該物理制御チャネル集合のＰＲＢの数に従って選択する。
【００６１】
さらに、当該物理制御チャネル集合が局所マップ方式であるとき、同一の集約レベルに対して、当該選択モジュールは、当該集約レベルに対応する物理制御チャネル候補の数を当該物理制御チャネル集合のＰＲＢの数に従って選択し、物理制御チャネル候補の数はＰＲＢの数に正比例する。
当該物理制御チャネル集合が分散マップ方式であるとき、同一の集約レベルに対して、当該選択モジュールは、当該集約レベルに対応する物理制御チャネル候補の数を当該物理制御チャネル集合のＰＲＢの数に従って選択し、物理制御チャネル候補の数はＰＲＢの数に正比例する。
【００６２】
さらに、当該送信モジュールは、分散マップ方式に対応するＥＰＤＣＣＨ候補で、ＳＩ−ＲＮＴＩまたはＲＡ−ＲＮＴＩを用いてスクランブルされたダウンリンク制御情報を送信し、局所マップ方式に対応するＥＰＤＣＣＨ候補で、ＳＩ−ＲＮＴＩとＲＡ−ＲＮＴＩ以外の別のＲＮＴＩを用いてスクランブルされたダウンリンク制御情報を送信するように構成される。
【００６３】
さらに、当該送信モジュールは、局所マップ方式と分散マップ方式のうち１つに対応するＥＰＤＣＣＨ候補で、クロスキャリアスケジューリング命令を含むダウンリンク制御情報を送信し、他方の方式に対応するＥＰＤＣＣＨ候補で、当該クロスキャリアスケジューリング命令を含まないダウンリンク制御情報を送信するように構成される。
【００６４】
さらに、当該送信モジュールは、分散マップ方式に対応するＥＰＤＣＣＨ候補のＥＰＤＣＣＨを通じてダウンリンク制御情報をフォーマット０および／またはフォーマット１Ａで送信し、当該局所方式に対応するＥＰＤＣＣＨ候補のＥＰＤＣＣＨを通じてダウンリンク制御情報をフォーマット２Ｃで送信するように構成され、
当該選択モジュールはさらに、分散マップ方式に対応するブラインド検出が実施される回数を１６として選択し、局所マップ方式に対応するブラインド検出が実施される回数を１６として選択するように構成される。
【００６５】
さらに、当該送信モジュールは、分散マップ方式に対応するＥＰＤＣＣＨ候補の設定値以上の集約レベルを有するＥＰＤＣＣＨを送信し、局所マップ方式に対応するＥＰＤＣＣＨ候補に関する設定値より小さい集約レベルを有するＥＰＤＣＣＨを送信するように構成される。
【００６６】
第４の態様では、本発明の１実施形態では、送信サブフレームにおいて物理制御チャネル集合の検出すべき集約レベルを決定し、当該集約レベルに対応する物理制御チャネル候補の数を当該集約レベルに従って決定するように構成された決定モジュールと、当該決定された数に対応する物理制御チャネル候補でダウンリンク制御情報を受信するように構成された受信モジュールと、を備えるユーザ機器を提供する。
【００６７】
さらに、当該決定モジュールは、物理制御チャネルに利用可能な物理制御チャネル集合のＰＲＢペアにおけるＲＥの数が閾値Ｘより小さく、当該物理制御チャネルの最小の検出すべき集約レベルが２であるとき、および、当該物理制御チャネル集合のＰＲＢペアに含まれるＲＥの数が閾値Ｘ以上であるとき、当該物理制御チャネル集合の最小の検出すべき集約レベルを１と決定するか、または、
送信サブフレーム・タイプが、正常ＣＰ長を有する正常サブフレームまたは３、４、もしくは８として構成された特殊サブフレームであり、かつ、物理制御チャネルに対して利用可能な１つのＰＲＢペアの中のＲＥの数がＸより小さいとき、当該物理制御チャネル集合の最小の検出すべき集約レベルを２と決定し、正常ＣＰ長を有する正常サブフレームではなく３、４、もしくは８として構成された特殊サブフレームでもないか、または、物理制御チャネルに対して利用可能な１つのＰＲＢペアの中のＲＥの数がＸより大きいとき、当該物理制御チャネル集合の最小の検出すべき集約レベルを１と決定し、当該物理制御チャネル集合の最小の検出すべき集約レベルを１と決定する
ように構成される。
【００６８】
さらに、当該決定モジュールは、当該物理制御チャネル集合を２つの集合に分割し、局所マップ方式と分散マップ方式における各集約レベルに対応するＥＰＤＣＣＨ候補の数をそれぞれ決定するように構成される。一方の集合は当該物理制御チャネルの局所マップ方式に対応し、他方の集合は当該物理制御チャネルの分散マップ方式に対応する。
【００６９】
さらに、集約レベルが２である場合、当該決定モジュールは、局所マップ方式に対応するＥＰＤＣＣＨ候補の数と分散マップ方式に対応するＥＰＤＣＣＨ候補の数の合計を６として決定し、
集約レベルが４である場合、当該決定モジュールは、局所マップ方式に対応するＥＰＤＣＣＨ候補の数と分散マップ方式に対応するＥＰＤＣＣＨ候補の数の合計を６として決定し、
集約レベルが８である場合、当該決定モジュールは、局所マップ方式に対応するＥＰＤＣＣＨ候補の数と分散マップ方式に対応するＥＰＤＣＣＨ候補の数の合計を２として決定し、
集約レベルが１６である場合、当該決定モジュールは、局所マップ方式に対応するＥＰＤＣＣＨ候補の数と分散マップ方式に対応するＥＰＤＣＣＨ候補の数の合計を２として決定する。
【００７０】
さらに、局所マップ方式に対しては、当該決定モジュールは、集約レベル２に対応するＥＰＤＣＣＨ候補の数と集約レベル４に対応するＥＰＤＣＣＨ候補の数の両方を６として決定し、集約レベル８に対応するＥＰＤＣＣＨ候補の数と集約レベル１６に対応するＥＰＤＣＣＨ候補の数の両方を０として決定し、分散マップ方式に対しては、当該決定モジュールは、集約レベル２に対応するＥＰＤＣＣＨ候補の数と集約レベル４に対応するＥＰＤＣＣＨ候補の数の両方を０として決定し、集約レベル８に対応するＥＰＤＣＣＨ候補の数と集約レベル１６に対応するＥＰＤＣＣＨ候補の数の両方を２として決定するか、または、
局所マップ方式に対しては、当該決定モジュールは、集約レベル２に対応するＥＰＤＣＣＨ候補の数と集約レベル４に対応するＥＰＤＣＣＨ候補の数の両方を３として決定し、集約レベル８に対応するＥＰＤＣＣＨ候補の数と集約レベル１６に対応するＥＰＤＣＣＨ候補の数の両方を１として決定し、分散マップ方式に対しては、当該決定モジュールは、集約レベル２に対応するＥＰＤＣＣＨ候補の数と集約レベル４に対応するＥＰＤＣＣＨ候補の数の両方を３として決定し、集約レベル８に対応するＥＰＤＣＣＨ候補の数と集約レベル１６に対応するＥＰＤＣＣＨ候補の数の両方を１として決定するか、または、
局所マップ方式に対しては、当該決定モジュールは、集約レベル２に対応するＥＰＤＣＣＨ候補の数を６として決定し、集約レベル４に対応するＥＰＤＣＣＨ候補の数、集約レベル８に対応するＥＰＤＣＣＨ候補の数、および集約レベル１６に対応するＥＰＤＣＣＨ候補の数を０として決定し、分散マップ方式に対しては、当該決定モジュールは、集約レベル２に対応するＥＰＤＣＣＨ候補の数を０として決定し、集約レベル４に対応するＥＰＤＣＣＨ候補の数を６として決定し、集約レベル８に対応するＥＰＤＣＣＨ候補の数と集約レベル１６に対応するＥＰＤＣＣＨ候補の数の両方を２として決定する。
【００７１】
さらに、分散マップ方式に対しては、当該決定モジュールは、集約レベル３２に対応するＥＰＤＣＣＨ候補の数を０として決定する。
【００７２】
さらに、集約レベルが３２である場合、および、集約レベルが２である場合、当該決定モジュールは、局所マップ方式での集約レベル２に対応するＥＰＤＣＣＨ候補の数、分散マップ方式での集約レベル３２に対応するＥＰＤＣＣＨ候補の数、および分散マップ方式での集約レベル２に対応するＥＰＤＣＣＨ候補の数の合計を６として決定するか、または、
集約レベルが３２である場合、および、集約レベルが４である場合、当該決定モジュールは、局所マップ方式での集約レベル４に対応するＥＰＤＣＣＨ候補の数、分散マップ方式での集約レベル３２に対応するＥＰＤＣＣＨ候補の数、および分散マップ方式での集約レベル２に対応するＥＰＤＣＣＨ候補の数の合計を６として決定するか、または、
集約レベルが３２である場合、および、集約レベルが８である場合、当該決定モジュールは、局所マップ方式での集約レベル８に対応するＥＰＤＣＣＨ候補の数、分散マップ方式での集約レベル３２に対応するＥＰＤＣＣＨ候補の数、および分散マップ方式での集約レベル８に対応するＥＰＤＣＣＨ候補の数の合計を２として決定するか、または、
集約レベルが３２である場合、および、集約レベルが１６である場合、当該決定モジュールは、局所マップ方式での集約レベル１６に対応するＥＰＤＣＣＨ候補の数、分散マップ方式での集約レベル３２に対応するＥＰＤＣＣＨ候補の数、および分散マップ方式での集約レベル１６に対応するＥＰＤＣＣＨ候補の数の合計を２として決定する。
【００７３】
さらに、集約レベルが１である場合、当該決定モジュールは、局所マップ方式に対応するＥＰＤＣＣＨ候補の数と分散マップ方式に対応するＥＰＤＣＣＨ候補の数の合計を６として決定し、
集約レベルが２である場合、当該決定モジュールは、局所マップ方式に対応するＥＰＤＣＣＨ候補の数と分散マップ方式に対応するＥＰＤＣＣＨ候補の数の合計を６として決定し、
集約レベルが４である場合、当該決定モジュールは、局所マップ方式に対応するＥＰＤＣＣＨ候補の数と分散マップ方式に対応するＥＰＤＣＣＨ候補の数の合計を２として決定し、
集約レベルが８である場合、当該決定モジュールは、局所マップ方式に対応するＥＰＤＣＣＨ候補の数と分散マップ方式に対応するＥＰＤＣＣＨ候補の数の合計を２として決定する。
【００７４】
さらに、局所マップ方式に対しては、当該決定モジュールは、集約レベル１に対応するＥＰＤＣＣＨ候補の数と集約レベル２に対応するＥＰＤＣＣＨ候補の数の両方を６として決定し、集約レベル４に対応するＥＰＤＣＣＨ候補の数と集約レベル８に対応するＥＰＤＣＣＨ候補の数の両方を０として決定し、分散マップ方式に対しては、当該決定モジュールは、集約レベル１に対応するＥＰＤＣＣＨ候補の数と集約レベル２に対応するＥＰＤＣＣＨ候補の数の両方を０として決定し、集約レベル４に対応するＥＰＤＣＣＨ候補の数と集約レベル８に対応するＥＰＤＣＣＨ候補の数の両方を２として決定するか、または、
局所マップ方式に対しては、当該決定モジュールは、集約レベル１に対応するＥＰＤＣＣＨ候補の数と集約レベル２に対応するＥＰＤＣＣＨ候補の数の両方を３として決定し、集約レベル４に対応するＥＰＤＣＣＨ候補の数と集約レベル８に対応するＥＰＤＣＣＨ候補の数の両方を１として決定し、分散マップ方式に対しては、当該決定モジュールは、集約レベル１に対応するＥＰＤＣＣＨ候補の数と集約レベル２に対応するＥＰＤＣＣＨ候補の数の両方を３として決定し、集約レベル４に対応するＥＰＤＣＣＨ候補の数と集約レベル８に対応するＥＰＤＣＣＨ候補の数の両方を１として決定するか、または、
局所マップ方式に対しては、当該決定モジュールは、集約レベル１に対応するＥＰＤＣＣＨ候補の数を６として決定し、集約レベル２に対応するＥＰＤＣＣＨ候補の数、集約レベル４に対応するＥＰＤＣＣＨ候補の数、および集約レベル８に対応するＥＰＤＣＣＨ候補の数を０として決定し、分散マップ方式に対しては、当該決定モジュールは、集約レベル１に対応するＥＰＤＣＣＨ候補の数を０として決定し、集約レベル２に対応するＥＰＤＣＣＨ候補の数を６として決定し、集約レベル４に対応するＥＰＤＣＣＨ候補の数と集約レベル８に対応するＥＰＤＣＣＨ候補の数の両方を２として決定する。
【００７５】
さらに、分散マップ方式に対しては、当該決定モジュールは、集約レベル１６に対応するＥＰＤＣＣＨ候補の数を０として決定する。
【００７６】
さらに、集約レベルが１６である場合、および、集約レベルが１である場合、当該決定モジュールは、局所マップ方式での集約レベル１６に対応するＥＰＤＣＣＨ候補の数、局所マップ方式での集約レベル１に対応するＥＰＤＣＣＨ候補の数、分散マップ方式での集約レベル１６に対応するＥＰＤＣＣＨ候補の数、および分散マップ方式での集約レベル１に対応するＥＰＤＣＣＨ候補の数の合計を６として決定するか、または、
集約レベルが１６である場合、および、集約レベルが２である場合、当該決定モジュールは、局所マップ方式での集約レベル１６に対応するＥＰＤＣＣＨ候補の数、局所マップ方式での集約レベル２に対応するＥＰＤＣＣＨ候補の数、分散マップ方式での集約レベル１６に対応するＥＰＤＣＣＨ候補の数、および分散マップ方式での集約レベル２に対応するＥＰＤＣＣＨ候補の数の合計を６として決定するか、または、
集約レベルが１６である場合、および、集約レベルが４である場合、当該決定モジュールは、局所マップ方式での集約レベル１６に対応するＥＰＤＣＣＨ候補の数、局所マップ方式での集約レベル４に対応するＥＰＤＣＣＨ候補の数、分散マップ方式での集約レベル１６に対応するＥＰＤＣＣＨ候補の数、および分散マップ方式での集約レベル４に対応するＥＰＤＣＣＨ候補の数の合計を２として決定するか、または、
集約レベルが１６である場合、および、集約レベルが８である場合、当該決定モジュールは、局所マップ方式での集約レベル１６に対応するＥＰＤＣＣＨ候補の数、局所マップ方式での集約レベル８に対応するＥＰＤＣＣＨ候補の数、分散マップ方式での集約レベル１６に対応するＥＰＤＣＣＨ候補の数、および分散マップ方式での集約レベル８に対応するＥＰＤＣＣＨ候補の数の合計を２として決定する。
【００７７】
さらに、局所マップ方式に対しては、当該決定モジュールは、集約レベル２に対応するＥＰＤＣＣＨ候補の数を６として決定し、集約レベル４に対応するＥＰＤＣＣＨ候補の数を２として決定し、集約レベル８に対応するＥＰＤＣＣＨ候補の数を２として決定し、分散マップ方式に対しては、当該決定モジュールは、６つのＥＰＤＣＣＨ候補を少なくとも１つの集約レベルに割り当てると決定するか、または、
局所マップ方式に対しては、当該決定モジュールは、集約レベル２に対応するＥＰＤＣＣＨ候補の数を６として決定し、集約レベル４に対応するＥＰＤＣＣＨ候補の数を６として決定し、集約レベル８に対応するＥＰＤＣＣＨ候補の数を２として決定し、分散マップ方式に対しては、当該決定モジュールは２つのＥＰＤＣＣＨ候補を少なくとも１つの集約レベルに割り当てると決定するか、または、
局所マップ方式に対しては、当該決定モジュールは、集約レベル１に対応するＥＰＤＣＣＨ候補の数を６として決定し、集約レベル２に対応するＥＰＤＣＣＨ候補の数を２として決定し、集約レベル４に対応するＥＰＤＣＣＨ候補の数を２として決定し、分散マップ方式に対しては、当該決定モジュールは、６つのＥＰＤＣＣＨ候補を少なくとも１つの集約レベルに割り当てると決定するか、または、
局所マップ方式に対しては、当該決定モジュールは、集約レベル１に対応するＥＰＤＣＣＨ候補の数を６として決定し、集約レベル２に対応するＥＰＤＣＣＨ候補の数を６として決定し、集約レベル４に対応するＥＰＤＣＣＨ候補の数を２として決定し、分散マップ方式に対しては、当該決定モジュールは２つのＥＰＤＣＣＨ候補を少なくとも１つの集約レベルに割り当てると決定する。
【００７８】
さらに、当該決定モジュールは、当該物理制御チャネル集合の検出すべき集約レベルに対応する物理制御チャネル候補の数を決定するように構成される。
【００７９】
さらに、当該物理制御チャネル集合が局所マップ方式であるとき、同一の集約レベルに対して、当該決定モジュールは、当該集約レベルに対応する物理制御チャネル候補の数を当該物理制御チャネル集合のＰＲＢの数に従って決定し、
当該物理制御チャネル集合が分散マップ方式であるとき、同一の集約レベルに対して、当該決定モジュールは、当該集約レベルに対応する物理制御チャネル候補の数を当該物理制御チャネル集合のＰＲＢの数に従って決定する。
【００８０】
さらに、当該物理制御チャネル集合が局所マップ方式であるとき、同一の集約レベルに対して、当該決定モジュールは、当該集約レベルに対応する物理制御チャネル候補の数を当該物理制御チャネル集合のＰＲＢの数に従って決定し、物理制御チャネル候補の数はＰＲＢの数に正比例する。
当該物理制御チャネル集合が分散マップ方式であるとき、同一の集約レベルに対して、当該決定モジュールは、当該集約レベルに対応する物理制御チャネル候補の数を当該物理制御チャネル集合のＰＲＢの数に従って決定し、物理制御チャネル候補の数はＰＲＢの数に正比例する。
【００８１】
さらに、当該受信モジュールは、分散マップ方式に対応するＥＰＤＣＣＨ候補で、ＳＩ−ＲＮＴＩまたはＲＡ−ＲＮＴＩを用いてスクランブルされたダウンリンク制御情報を受信し、局所マップ方式に対応するＥＰＤＣＣＨ候補で、ＳＩ−ＲＮＴＩとＲＡ−ＲＮＴＩ以外の別のＲＮＴＩを用いてスクランブルされたダウンリンク制御情報を受信するように構成される。
【００８２】
さらに、当該受信モジュールは、局所マップ方式と分散マップ方式のうち１つに対応するＥＰＤＣＣＨ候補で、クロスキャリアスケジューリング命令を含むダウンリンク制御情報を受信し、他方の方式に対応するＥＰＤＣＣＨ候補で、当該クロスキャリアスケジューリング命令を含まないダウンリンク制御情報を受信するように構成される。
【００８３】
さらに、当該受信モジュールは、分散マップ方式に対応するＥＰＤＣＣＨ候補のＥＰＤＣＣＨを通じてダウンリンク制御情報をフォーマット０および／またはフォーマット１Ａで受信し、当該局所方式に対応するＥＰＤＣＣＨ候補のＥＰＤＣＣＨを通じてダウンリンク制御情報をフォーマット２Ｃで受信するように構成され、
当該決定モジュールは、分散マップ方式に対応するブラインド検出が実施される回数を１６として決定し、局所マップ方式に対応するブラインド検出が実施される回数を１６として決定するように構成される。
【００８４】
さらに、当該受信モジュールは、分散マップ方式に対応するＥＰＤＣＣＨ候補の設定値以上の集約レベルを有するＥＰＤＣＣＨを受信し、局所マップ方式に対応するＥＰＤＣＣＨ候補に関する設定値より小さい集約レベルを有するＥＰＤＣＣＨを受信するように構成される。
【００８５】
第５の態様では、本発明の１実施形態は、送信サブフレームにおいて物理制御チャネル集合の検出すべき集約レベルを選択し、当該集約レベルに対応する物理制御チャネル候補の数を当該集約レベルに従って選択するように構成された選択プロセッサと、当該選択された数に対応する物理制御チャネル候補でダウンリンク制御情報を送信するように構成された送信器と、を備えるネットワーク側装置を提供する。
【００８６】
さらに、当該選択プロセッサは特に、物理制御チャネルに利用可能な物理制御チャネル集合のＰＲＢペアにおけるＲＥの数が閾値Ｘより小さいとき、当該物理制御チャネル集合の最小の検出すべき集約レベルを２と選択し、当該物理制御チャネル集合のＰＲＢペアに含まれるＲＥの数が閾値Ｘ以上であるとき、当該物理制御チャネル集合の最小の検出すべき集約レベルを１と選択するか、または、
送信サブフレーム・タイプが、正常ＣＰ長を有する正常サブフレームまたは３、４、もしくは８として構成された特殊サブフレームであり、かつ、物理制御チャネルに対して利用可能な１つのＰＲＢペアの中のＲＥの数がＸより小さいとき、当該物理制御チャネル集合の最小の検出すべき集約レベルを２と選択し、当該サブフレームが、正常ＣＰ長を有する正常サブフレームではなく３、４、もしくは８として構成された特殊サブフレームでもないか、または、物理制御チャネルに対して利用可能な１つのＰＲＢペアの中のＲＥの数がＸより大きいとき、当該物理制御チャネル集合の最小の検出すべき集約レベルを１と選択し、当該物理制御チャネル集合の最小の検出すべき集約レベルを１と決定する
ように構成される。
【００８７】
さらに、当該選択プロセッサは特に、当該物理制御チャネル集合を２つの集合に分割し、局所マップ方式と分散マップ方式における各集約レベルに対応するＥＰＤＣＣＨ候補の数をそれぞれ選択するように構成される。一方の集合は当該物理制御チャネルの局所マップ方式に対応し、他方の集合は当該物理制御チャネルの分散マップ方式に対応する。
【００８８】
さらに、集約レベルが２である場合、当該選択プロセッサは、局所マップ方式に対応するＥＰＤＣＣＨ候補の数と分散マップ方式に対応するＥＰＤＣＣＨ候補の数の合計を６として選択し、
集約レベルが４である場合、当該選択プロセッサは、局所マップ方式に対応するＥＰＤＣＣＨ候補の数と分散マップ方式に対応するＥＰＤＣＣＨ候補の数の合計を６として選択し、
集約レベルが８である場合、当該選択プロセッサは、局所マップ方式に対応するＥＰＤＣＣＨ候補の数と分散マップ方式に対応するＥＰＤＣＣＨ候補の数の合計を２として選択し、
集約レベルが１６である場合、当該選択プロセッサは、局所マップ方式に対応するＥＰＤＣＣＨ候補の数と分散マップ方式に対応するＥＰＤＣＣＨ候補の数の合計を２として選択する。
【００８９】
さらに、局所マップ方式に対しては、当該選択プロセッサは、集約レベル２に対応するＥＰＤＣＣＨ候補の数と集約レベル４に対応するＥＰＤＣＣＨ候補の数の両方を６として選択し、集約レベル８に対応するＥＰＤＣＣＨ候補の数と集約レベル１６に対応するＥＰＤＣＣＨ候補の数の両方を０として選択し、分散マップ方式に対しては、当該選択プロセッサは、集約レベル２に対応するＥＰＤＣＣＨ候補の数と集約レベル４に対応するＥＰＤＣＣＨ候補の数の両方を０として選択し、集約レベル８に対応するＥＰＤＣＣＨ候補の数と集約レベル１６に対応するＥＰＤＣＣＨ候補の数の両方を２として選択するか、または、
局所マップ方式に対しては、当該選択プロセッサは、集約レベル２に対応するＥＰＤＣＣＨ候補の数と集約レベル４に対応するＥＰＤＣＣＨ候補の数の両方を３として選択し、集約レベル８に対応するＥＰＤＣＣＨ候補の数と集約レベル１６に対応するＥＰＤＣＣＨ候補の数の両方を１として選択し、分散マップ方式に対しては、当該選択プロセッサは、集約レベル２に対応するＥＰＤＣＣＨ候補の数と集約レベル４に対応するＥＰＤＣＣＨ候補の数の両方を３として選択し、集約レベル８に対応するＥＰＤＣＣＨ候補の数および集約レベル１６に対応するＥＰＤＣＣＨ候補の数を１として選択するか、または、
局所マップ方式に対しては、当該選択プロセッサは、集約レベル２に対応するＥＰＤＣＣＨ候補の数を６として選択し、集約レベル４に対応するＥＰＤＣＣＨ候補の数、集約レベル８に対応するＥＰＤＣＣＨ候補の数、および集約レベル１６に対応するＥＰＤＣＣＨ候補の数を０として選択し、分散マップ方式に対しては、当該選択プロセッサは、集約レベル２に対応するＥＰＤＣＣＨ候補の数を０として選択し、集約レベル４に対応するＥＰＤＣＣＨ候補の数を６として選択し、集約レベル８に対応するＥＰＤＣＣＨ候補の数と集約レベル１６に対応するＥＰＤＣＣＨ候補の数の両方を２として選択する。
【００９０】
さらに、分散マップ方式に対しては、当該選択プロセッサは、集約レベル３２に対応するＥＰＤＣＣＨ候補の数を０として選択する。
【００９１】
さらに、集約レベルが３２である場合、および、集約レベルが２である場合、当該選択プロセッサは、局所マップ方式での集約レベル２に対応するＥＰＤＣＣＨ候補の数、分散マップ方式での集約レベル３２に対応するＥＰＤＣＣＨ候補の数、および分散マップ方式での集約レベル２に対応するＥＰＤＣＣＨ候補の数の合計を６として選択するか、または、
集約レベルが３２である場合、および、集約レベルが４である場合、当該選択プロセッサは、局所マップ方式での集約レベル４に対応するＥＰＤＣＣＨ候補の数、分散マップ方式での集約レベル３２に対応するＥＰＤＣＣＨ候補の数、および分散マップ方式での集約レベル２に対応するＥＰＤＣＣＨ候補の数の合計を６として選択するか、または、
集約レベルが３２である場合、および、集約レベルが８である場合、当該選択プロセッサは、局所マップ方式での集約レベル８に対応するＥＰＤＣＣＨ候補の数、分散マップ方式での集約レベル３２に対応するＥＰＤＣＣＨ候補の数、および分散マップ方式での集約レベル８に対応するＥＰＤＣＣＨ候補の数の合計を２として選択するか、または、
集約レベルが３２である場合、および、集約レベルが１６である場合、当該選択プロセッサは、局所マップ方式での集約レベル１６に対応するＥＰＤＣＣＨ候補の数、分散マップ方式での集約レベル３２に対応するＥＰＤＣＣＨ候補の数、および分散マップ方式での集約レベル１６に対応するＥＰＤＣＣＨ候補の数の合計を２として選択する。
【００９２】
さらに、集約レベルが１である場合、当該選択プロセッサは、局所マップ方式に対応するＥＰＤＣＣＨ候補の数と分散マップ方式に対応するＥＰＤＣＣＨ候補の数の合計を６として選択し、
集約レベルが２である場合、当該選択プロセッサは、局所マップ方式に対応するＥＰＤＣＣＨ候補の数と分散マップ方式に対応するＥＰＤＣＣＨ候補の数の合計を６として選択し、
集約レベルが４である場合、当該選択プロセッサは、局所マップ方式に対応するＥＰＤＣＣＨ候補の数と分散マップ方式に対応するＥＰＤＣＣＨ候補の数の合計を２として選択し、
集約レベルが８である場合、当該選択プロセッサは、局所マップ方式に対応するＥＰＤＣＣＨ候補の数と分散マップ方式に対応するＥＰＤＣＣＨ候補の数の合計を２として選択する。
【００９３】
さらに、局所マップ方式に対しては、当該選択プロセッサは、集約レベル１に対応するＥＰＤＣＣＨ候補の数と集約レベル２に対応するＥＰＤＣＣＨ候補の数の両方を６として選択し、集約レベル４に対応するＥＰＤＣＣＨ候補の数と集約レベル８に対応するＥＰＤＣＣＨ候補の数の両方を０として選択し、分散マップ方式に対しては、当該選択プロセッサは、集約レベル１に対応するＥＰＤＣＣＨ候補の数と集約レベル２に対応するＥＰＤＣＣＨ候補の数の両方を０として選択し、集約レベル４に対応するＥＰＤＣＣＨ候補の数と集約レベル８に対応するＥＰＤＣＣＨ候補の数の両方を２として選択するか、または、
局所マップ方式に対しては、当該選択プロセッサは、集約レベル１に対応するＥＰＤＣＣＨ候補の数と集約レベル２に対応するＥＰＤＣＣＨ候補の数の両方を３として選択し、集約レベル４に対応するＥＰＤＣＣＨ候補の数と集約レベル８に対応するＥＰＤＣＣＨ候補の数の両方を１として選択し、分散マップ方式に対しては、当該選択プロセッサは、集約レベル１に対応するＥＰＤＣＣＨ候補の数と集約レベル２に対応するＥＰＤＣＣＨ候補の数の両方を３として選択し、集約レベル４に対応するＥＰＤＣＣＨ候補の数と集約レベル８に対応するＥＰＤＣＣＨ候補の数の両方を１として選択するか、または、
局所マップ方式に対しては、当該選択プロセッサは、集約レベル１に対応するＥＰＤＣＣＨ候補の数を６として選択し、集約レベル２に対応するＥＰＤＣＣＨ候補の数、集約レベル４に対応するＥＰＤＣＣＨ候補の数、および集約レベル８に対応するＥＰＤＣＣＨ候補の数を０として選択し、分散マップ方式に対しては、当該選択プロセッサは、集約レベル１に対応するＥＰＤＣＣＨ候補の数を０として選択し、集約レベル２に対応するＥＰＤＣＣＨ候補の数を６として選択し、集約レベル４に対応するＥＰＤＣＣＨ候補の数と集約レベル８に対応するＥＰＤＣＣＨ候補の数の両方を２として選択する。
【００９４】
さらに、分散マップ方式に対しては、当該選択プロセッサは、集約レベル１６に対応するＥＰＤＣＣＨ候補の数を０として選択する。
【００９５】
さらに、集約レベルが１６である場合、および、集約レベルが１である場合、当該選択プロセッサは、局所マップ方式での集約レベル１６に対応するＥＰＤＣＣＨ候補の数、局所マップ方式での集約レベル１に対応するＥＰＤＣＣＨ候補の数、分散マップ方式での集約レベル１６に対応するＥＰＤＣＣＨ候補の数、および分散マップ方式での集約レベル１に対応するＥＰＤＣＣＨ候補の数の合計を６として選択するか、または、
集約レベルが１６である場合、および、集約レベルが２である場合、当該選択プロセッサは、局所マップ方式での集約レベル１６に対応するＥＰＤＣＣＨ候補の数、局所マップ方式での集約レベル２に対応するＥＰＤＣＣＨ候補の数、分散マップ方式での集約レベル１６に対応するＥＰＤＣＣＨ候補の数、および分散マップ方式での集約レベル２に対応するＥＰＤＣＣＨ候補の数の合計を６として選択するか、または、
集約レベルが１６である場合、および、集約レベルが４である場合、当該選択プロセッサは、局所マップ方式での集約レベル１６に対応するＥＰＤＣＣＨ候補の数、局所マップ方式での集約レベル４に対応するＥＰＤＣＣＨ候補の数、分散マップ方式での集約レベル１６に対応するＥＰＤＣＣＨ候補の数、および分散マップ方式での集約レベル４に対応するＥＰＤＣＣＨ候補の数の合計を２として選択するか、または、
集約レベルが１６である場合、および、集約レベルが８である場合、当該選択プロセッサは、局所マップ方式での集約レベル１６に対応するＥＰＤＣＣＨ候補の数、局所マップ方式での集約レベル８に対応するＥＰＤＣＣＨ候補の数、分散マップ方式での集約レベル１６に対応するＥＰＤＣＣＨ候補の数、および分散マップ方式での集約レベル８に対応するＥＰＤＣＣＨ候補の数の合計を２として選択する。
【００９６】
さらに、局所マップ方式に対しては、当該選択プロセッサは、集約レベル２に対応するＥＰＤＣＣＨ候補の数を６として選択し、集約レベル４に対応するＥＰＤＣＣＨ候補の数を２として選択し、集約レベル８に対応するＥＰＤＣＣＨ候補の数を２として選択し、分散マップ方式に対しては、当該選択プロセッサは、６つのＥＰＤＣＣＨ候補を少なくとも１つの集約レベルに割り当てることを選択するか、または、
局所マップ方式に対しては、当該選択プロセッサは、集約レベル２に対応するＥＰＤＣＣＨ候補の数を６として選択し、集約レベル４に対応するＥＰＤＣＣＨ候補の数を６として選択し、集約レベル８に対応するＥＰＤＣＣＨ候補の数を２として選択し、分散マップ方式に対しては、当該選択プロセッサは、２つのＥＰＤＣＣＨ候補を少なくとも１つの集約レベルに割り当てることを選択するか、または、
局所マップ方式に対しては、当該選択プロセッサは、集約レベル１に対応するＥＰＤＣＣＨ候補の数を６として選択し、集約レベル２に対応するＥＰＤＣＣＨ候補の数を２として選択し、集約レベル４に対応するＥＰＤＣＣＨ候補の数を２として選択し、分散マップ方式に対しては、当該選択プロセッサは、６つのＥＰＤＣＣＨ候補を少なくとも１つの集約レベルに割り当てることを選択するか、または、
局所マップ方式に対しては、当該選択プロセッサは、集約レベル１に対応するＥＰＤＣＣＨ候補の数を６として選択し、集約レベル２に対応するＥＰＤＣＣＨ候補の数を６として選択し、集約レベル４に対応するＥＰＤＣＣＨ候補の数を２として選択し、分散マップ方式に対しては、当該選択プロセッサは２つのＥＰＤＣＣＨ候補を少なくとも１つの集約レベルに割り当てることを選択する。
【００９７】
さらに、当該選択プロセッサは、当該物理制御チャネル集合の検出すべき集約レベルに対応する物理制御チャネル候補の数を選択するように構成される。
【００９８】
さらに、当該物理制御チャネル集合が局所マップ方式であるとき、同一の集約レベルに対して、当該選択プロセッサは、当該集約レベルに対応する物理制御チャネル候補の数を当該物理制御チャネル集合のＰＲＢの数に従って選択し、
当該物理制御チャネル集合が分散マップ方式であるとき、同一の集約レベルに対して、当該選択プロセッサは、当該集約レベルに対応する物理制御チャネル候補の数を当該物理制御チャネル集合のＰＲＢの数に従って選択する。
【００９９】
さらに、当該物理制御チャネル集合が局所マップ方式であるとき、同一の集約レベルに対して、当該選択プロセッサは、当該集約レベルに対応する物理制御チャネル候補の数を当該物理制御チャネル集合のＰＲＢの数に従って選択し、物理制御チャネル候補の数はＰＲＢの数に正比例する。当該物理制御チャネル集合が分散マップ方式であるとき、同一の集約レベルに対して、当該選択プロセッサは、当該集約レベルに対応する物理制御チャネル候補の数を当該物理制御チャネル集合のＰＲＢの数に従って選択し、物理制御チャネル候補の数はＰＲＢの数に正比例する。
【０１００】
さらに、当該送信器は、分散マップ方式に対応するＥＰＤＣＣＨ候補で、ＳＩ−ＲＮＴＩまたはＲＡ−ＲＮＴＩを用いてスクランブルされたダウンリンク制御情報を送信し、局所マップ方式に対応するＥＰＤＣＣＨ候補で、ＳＩ−ＲＮＴＩとＲＡ−ＲＮＴＩ以外の別のＲＮＴＩを用いてスクランブルされたダウンリンク制御情報を送信するように構成される。
【０１０１】
さらに、当該送信器は、局所マップ方式と分散マップ方式のうち１つに対応するＥＰＤＣＣＨ候補で、クロスキャリアスケジューリング命令を含むダウンリンク制御情報を送信し、他方の方式に対応するＥＰＤＣＣＨ候補で、当該クロスキャリアスケジューリング命令を含まないダウンリンク制御情報を送信するように構成される。
【０１０２】
さらに、当該送信器は、分散マップ方式に対応するＥＰＤＣＣＨ候補のＥＰＤＣＣＨを通じてダウンリンク制御情報をフォーマット０および／またはフォーマット１Ａで送信し、当該局所方式に対応するＥＰＤＣＣＨ候補のＥＰＤＣＣＨを通じてダウンリンク制御情報をフォーマット２Ｃで送信するように構成され、
当該選択プロセッサはさらに、分散マップ方式に対応するブラインド検出が実施される回数を１６として選択し、局所マップ方式に対応するブラインド検出が実施される回数を１６として選択するように構成される。
【０１０３】
さらに、当該送信器は、分散マップ方式に対応するＥＰＤＣＣＨ候補の設定値以上の集約レベルを有するＥＰＤＣＣＨを送信し、局所マップ方式に対応するＥＰＤＣＣＨ候補に関する設定値より小さい集約レベルを有するＥＰＤＣＣＨを送信するように構成される。
【０１０４】
第６の態様では、本発明の１実施形態は、送信サブフレームにおいて物理制御チャネル集合の検出すべき集約レベルを決定し、当該集約レベルに対応する物理制御チャネル候補の数を当該集約レベルに従って決定するように構成された決定プロセッサと、当該決定された数に対応する物理制御チャネル候補でダウンリンク制御情報を受信するように構成された受信器と、を備えるユーザ機器を提供する。
【０１０５】
さらに、当該決定プロセッサは特に、物理制御チャネルに利用可能な物理制御チャネル集合のＰＲＢペアにおけるＲＥの数が閾値Ｘより小さいとき、当該物理制御チャネル集合の最小の検出すべき集約レベルを２と決定し、当該物理制御チャネル集合のＰＲＢペアに含まれるＲＥの数が閾値Ｘ以上であるとき、当該物理制御チャネル集合の最小の検出すべき集約レベルを１と決定するか、または、
送信サブフレーム・タイプが、正常ＣＰ長を有する正常サブフレームまたは３、４、もしくは８として構成された特殊サブフレームであり、かつ、物理制御チャネルに対して利用可能な１つのＰＲＢペアの中のＲＥの数がＸより小さいとき、当該物理制御チャネル集合の最小の検出すべき集約レベルを２と決定し、当該サブフレームが、正常ＣＰ長を有する正常サブフレームではなく３、４、もしくは８として構成された特殊サブフレームでもないか、または、物理制御チャネルに対して利用可能な１つのＰＲＢペアの中のＲＥの数がＸより大きいとき、当該物理制御チャネル集合の最小の検出すべき集約レベルを１と決定し、当該物理制御チャネル集合の最小の検出すべき集約レベルを１と決定する
ように構成される。
【０１０６】
さらに、当該決定プロセッサは、当該物理制御チャネル集合を２つの集合に分割し、局所マップ方式と分散マップ方式における各集約レベルに対応するＥＰＤＣＣＨ候補の数をそれぞれ決定するように構成される。一方の集合は当該物理制御チャネルの局所マップ方式に対応し、他方の集合は当該物理制御チャネルの分散マップ方式に対応する。
【０１０７】
さらに、集約レベルが２である場合、当該決定プロセッサは、局所マップ方式に対応するＥＰＤＣＣＨ候補の数と分散マップ方式に対応するＥＰＤＣＣＨ候補の数の合計を６として決定し、
集約レベルが４である場合、当該決定プロセッサは、局所マップ方式に対応するＥＰＤＣＣＨ候補の数と分散マップ方式に対応するＥＰＤＣＣＨ候補の数の合計を６として決定し、
集約レベルが８である場合、当該決定プロセッサは、局所マップ方式に対応するＥＰＤＣＣＨ候補の数と分散マップ方式に対応するＥＰＤＣＣＨ候補の数の合計を２として決定し、
集約レベルが１６である場合、当該決定プロセッサは、局所マップ方式に対応するＥＰＤＣＣＨ候補の数と分散マップ方式に対応するＥＰＤＣＣＨ候補の数の合計を２として決定する。
【０１０８】
さらに、局所マップ方式に対しては、当該決定プロセッサは、集約レベル２に対応するＥＰＤＣＣＨ候補の数と集約レベル４に対応するＥＰＤＣＣＨ候補の数の両方を６として決定し、集約レベル８に対応するＥＰＤＣＣＨ候補の数と集約レベル１６に対応するＥＰＤＣＣＨ候補の数の両方を０として決定し、分散マップ方式に対しては、当該決定プロセッサは、集約レベル２に対応するＥＰＤＣＣＨ候補の数と集約レベル４に対応するＥＰＤＣＣＨ候補の数の両方を０として決定し、集約レベル８に対応するＥＰＤＣＣＨ候補の数と集約レベル１６に対応するＥＰＤＣＣＨ候補の数の両方を２として決定するか、または、
局所マップ方式に対しては、当該決定プロセッサは、集約レベル２に対応するＥＰＤＣＣＨ候補の数と集約レベル４に対応するＥＰＤＣＣＨ候補の数の両方を３として決定し、集約レベル８に対応するＥＰＤＣＣＨ候補の数と集約レベル１６に対応するＥＰＤＣＣＨ候補の数の両方を１として決定し、分散マップ方式に対しては、当該決定プロセッサは、集約レベル２に対応するＥＰＤＣＣＨ候補の数と集約レベル４に対応するＥＰＤＣＣＨ候補の数の両方を３として決定し、集約レベル８に対応するＥＰＤＣＣＨ候補の数と集約レベル１６に対応するＥＰＤＣＣＨ候補の数の両方を１として決定するか、または、
局所マップ方式に対しては、当該決定プロセッサは、集約レベル２に対応するＥＰＤＣＣＨ候補の数を６として決定し、集約レベル４に対応するＥＰＤＣＣＨ候補の数、集約レベル８に対応するＥＰＤＣＣＨ候補の数、および集約レベル１６に対応するＥＰＤＣＣＨ候補の数を０として決定し、分散マップ方式に対しては、当該決定プロセッサは、集約レベル２に対応するＥＰＤＣＣＨ候補の数を０として決定し、集約レベル４に対応するＥＰＤＣＣＨ候補の数を６として決定し、集約レベル８に対応するＥＰＤＣＣＨ候補の数と集約レベル１６に対応するＥＰＤＣＣＨ候補の数の両方を２として決定する。
【０１０９】
さらに、分散マップ方式に対しては、当該決定プロセッサは、集約レベル３２に対応するＥＰＤＣＣＨ候補の数を０として決定する。
【０１１０】
さらに、集約レベルが３２である場合、および、集約レベルが２である場合、当該決定プロセッサは、局所マップ方式での集約レベル２に対応するＥＰＤＣＣＨ候補の数、分散マップ方式での集約レベル３２に対応するＥＰＤＣＣＨ候補の数、および分散マップ方式での集約レベル２に対応するＥＰＤＣＣＨ候補の数の合計を６として決定するか、または、
集約レベルが３２である場合、および、集約レベルが４である場合、当該決定プロセッサは、局所マップ方式での集約レベル４に対応するＥＰＤＣＣＨ候補の数、分散マップ方式での集約レベル３２に対応するＥＰＤＣＣＨ候補の数、および分散マップ方式での集約レベル２に対応するＥＰＤＣＣＨ候補の数の合計を６として決定するか、または、
集約レベルが３２である場合、および、集約レベルが８である場合、当該決定プロセッサは、局所マップ方式での集約レベル８に対応するＥＰＤＣＣＨ候補の数、分散マップ方式での集約レベル３２に対応するＥＰＤＣＣＨ候補の数、および分散マップ方式での集約レベル８に対応するＥＰＤＣＣＨ候補の数の合計を２として決定するか、または、
集約レベルが３２である場合、および、集約レベルが１６である場合、当該決定プロセッサは、局所マップ方式での集約レベル１６に対応するＥＰＤＣＣＨ候補の数、分散マップ方式での集約レベル３２に対応するＥＰＤＣＣＨ候補の数、および分散マップ方式での集約レベル１６に対応するＥＰＤＣＣＨ候補の数の合計を２として決定する。
【０１１１】
さらに、集約レベルが１である場合、当該決定プロセッサは、局所マップ方式に対応するＥＰＤＣＣＨ候補の数と分散マップ方式に対応するＥＰＤＣＣＨ候補の数の合計を６として決定し、
集約レベルが２である場合、当該決定プロセッサは、局所マップ方式に対応するＥＰＤＣＣＨ候補の数と分散マップ方式に対応するＥＰＤＣＣＨ候補の数の合計を６として決定し、
集約レベルが４である場合、当該決定プロセッサは、局所マップ方式に対応するＥＰＤＣＣＨ候補の数と分散マップ方式に対応するＥＰＤＣＣＨ候補の数の合計を２として決定し、
集約レベルが８である場合、当該決定プロセッサは、局所マップ方式に対応するＥＰＤＣＣＨ候補の数と分散マップ方式に対応するＥＰＤＣＣＨ候補の数の合計を２として決定する。
【０１１２】
さらに、局所マップ方式に対しては、当該決定プロセッサは、集約レベル１に対応するＥＰＤＣＣＨ候補の数と集約レベル２に対応するＥＰＤＣＣＨ候補の数の両方を６として決定し、集約レベル４に対応するＥＰＤＣＣＨ候補の数と集約レベル８に対応するＥＰＤＣＣＨ候補の数の両方を０として決定し、分散マップ方式に対しては、当該決定プロセッサは、集約レベル１に対応するＥＰＤＣＣＨ候補の数と集約レベル２に対応するＥＰＤＣＣＨ候補の数の両方を０として決定し、集約レベル４に対応するＥＰＤＣＣＨ候補の数と集約レベル８に対応するＥＰＤＣＣＨ候補の数の両方を２として決定するか、または、
局所マップ方式に対しては、当該決定プロセッサは、集約レベル１に対応するＥＰＤＣＣＨ候補の数と集約レベル２に対応するＥＰＤＣＣＨ候補の数の両方を３として決定し、集約レベル４に対応するＥＰＤＣＣＨ候補の数と集約レベル８に対応するＥＰＤＣＣＨ候補の数の両方を１として決定し、分散マップ方式に対しては、当該決定プロセッサは、集約レベル１に対応するＥＰＤＣＣＨ候補の数と集約レベル２に対応するＥＰＤＣＣＨ候補の数の両方を３として決定し、集約レベル４に対応するＥＰＤＣＣＨ候補の数と集約レベル８に対応するＥＰＤＣＣＨ候補の数の両方を１として決定するか、または、
局所マップ方式に対しては、当該決定プロセッサは、集約レベル１に対応するＥＰＤＣＣＨ候補の数を６として決定し、集約レベル２に対応するＥＰＤＣＣＨ候補の数、集約レベル４に対応するＥＰＤＣＣＨ候補の数、および集約レベル８に対応するＥＰＤＣＣＨ候補の数を０として決定し、分散マップ方式に対しては、当該決定プロセッサは、集約レベル１に対応するＥＰＤＣＣＨ候補の数を０として決定し、集約レベル２に対応するＥＰＤＣＣＨ候補の数を６として決定し、集約レベル４に対応するＥＰＤＣＣＨ候補の数と集約レベル８に対応するＥＰＤＣＣＨ候補の数の両方を２として決定する。
【０１１３】
さらに、分散マップ方式に対しては、当該決定プロセッサは、集約レベル１６に対応するＥＰＤＣＣＨ候補の数を０として決定する。
【０１１４】
さらに、集約レベルが１６である場合、および、集約レベルが１である場合、当該決定プロセッサは、局所マップ方式での集約レベル１６に対応するＥＰＤＣＣＨ候補の数、局所マップ方式での集約レベル１に対応するＥＰＤＣＣＨ候補の数、分散マップ方式での集約レベル１６に対応するＥＰＤＣＣＨ候補の数、および分散マップ方式での集約レベル１に対応するＥＰＤＣＣＨ候補の数の合計を６として決定するか、または、
集約レベルが１６である場合、および、集約レベルが２である場合、当該決定プロセッサは、局所マップ方式での集約レベル１６に対応するＥＰＤＣＣＨ候補の数、局所マップ方式での集約レベル２に対応するＥＰＤＣＣＨ候補の数、分散マップ方式での集約レベル１６に対応するＥＰＤＣＣＨ候補の数、および分散マップ方式での集約レベル２に対応するＥＰＤＣＣＨ候補の数の合計を６として決定するか、または、
集約レベルが１６である場合、および、集約レベルが４である場合、当該決定プロセッサは、局所マップ方式での集約レベル１６に対応するＥＰＤＣＣＨ候補の数、局所マップ方式での集約レベル４に対応するＥＰＤＣＣＨ候補の数、分散マップ方式での集約レベル１６に対応するＥＰＤＣＣＨ候補の数、および分散マップ方式での集約レベル４に対応するＥＰＤＣＣＨ候補の数の合計を２として決定するか、または、
集約レベルが１６である場合、および、集約レベルが８である場合、当該決定プロセッサは、局所マップ方式での集約レベル１６に対応するＥＰＤＣＣＨ候補の数、局所マップ方式での集約レベル８に対応するＥＰＤＣＣＨ候補の数、分散マップ方式での集約レベル１６に対応するＥＰＤＣＣＨ候補の数、および分散マップ方式での集約レベル８に対応するＥＰＤＣＣＨ候補の数の合計を２として決定する。
【０１１５】
さらに、局所マップ方式に対しては、当該決定プロセッサは、集約レベル２に対応するＥＰＤＣＣＨ候補の数を６として決定し、集約レベル４に対応するＥＰＤＣＣＨ候補の数を２として決定し、集約レベル８に対応するＥＰＤＣＣＨ候補の数を２として決定し、分散マップ方式に対しては、当該決定プロセッサは、６つのＥＰＤＣＣＨ候補を少なくとも１つの集約レベルに割り当てると決定するか、または、
局所マップ方式に対しては、当該決定プロセッサは、集約レベル２に対応するＥＰＤＣＣＨ候補の数を６として決定し、集約レベル４に対応するＥＰＤＣＣＨ候補の数を６として決定し、集約レベル８に対応するＥＰＤＣＣＨ候補の数を２として決定し、分散マップ方式に対しては、当該決定プロセッサは２つのＥＰＤＣＣＨ候補を少なくとも１つの集約レベルに割り当てると決定するか、または、
局所マップ方式に対しては、当該決定プロセッサは、集約レベル１に対応するＥＰＤＣＣＨ候補の数を６として決定し、集約レベル２に対応するＥＰＤＣＣＨ候補の数を２として決定し、集約レベル４に対応するＥＰＤＣＣＨ候補の数を２として決定し、分散マップ方式に対しては、当該決定プロセッサは、６つのＥＰＤＣＣＨ候補を少なくとも１つの集約レベルに割り当てると決定するか、または、
局所マップ方式に対しては、当該決定プロセッサは、集約レベル１に対応するＥＰＤＣＣＨ候補の数を６として決定し、集約レベル２に対応するＥＰＤＣＣＨ候補の数を６として決定し、集約レベル４に対応するＥＰＤＣＣＨ候補の数を２として決定し、分散マップ方式に対しては、当該決定プロセッサは２つのＥＰＤＣＣＨ候補を少なくとも１つの集約レベルに割り当てると決定する。
【０１１６】
さらに、当該決定プロセッサは、当該物理制御チャネル集合の検出すべき集約レベルに対応する物理制御チャネル候補の数を決定するように構成される。
【０１１７】
さらに、当該物理制御チャネル集合が局所マップ方式であるとき、同一の集約レベルに対して、当該決定プロセッサは、当該集約レベルに対応する物理制御チャネル候補の数を当該物理制御チャネル集合のＰＲＢの数に従って決定し、
当該物理制御チャネル集合が分散マップ方式であるとき、同一の集約レベルに対して、当該決定プロセッサは、当該集約レベルに対応する物理制御チャネル候補の数を当該物理制御チャネル集合のＰＲＢの数に従って決定する。
【０１１８】
さらに、当該物理制御チャネル集合が局所マップ方式であるとき、同一の集約レベルに対して、当該決定プロセッサは、当該集約レベルに対応する物理制御チャネル候補の数を当該物理制御チャネル集合のＰＲＢの数に従って決定し、物理制御チャネル候補の数はＰＲＢの数に正比例する。
当該物理制御チャネル集合が分散マップ方式であるとき、同一の集約レベルに対して、当該決定プロセッサは、当該集約レベルに対応する物理制御チャネル候補の数を当該物理制御チャネル集合のＰＲＢの数に従って決定し、物理制御チャネル候補の数はＰＲＢの数に正比例する。
【０１１９】
さらに、当該受信器は、分散マップ方式に対応するＥＰＤＣＣＨ候補で、ＳＩ−ＲＮＴＩまたはＲＡ−ＲＮＴＩを用いてスクランブルされたダウンリンク制御情報を受信し、局所マップ方式に対応するＥＰＤＣＣＨ候補で、ＳＩ−ＲＮＴＩとＲＡ−ＲＮＴＩ以外の別のＲＮＴＩを用いてスクランブルされたダウンリンク制御情報を受信するように構成される。
【０１２０】
さらに、当該受信器は、局所マップ方式と分散マップ方式のうち１つに対応するＥＰＤＣＣＨ候補で、クロスキャリアスケジューリング命令を含むダウンリンク制御情報を受信し、他方の方式に対応するＥＰＤＣＣＨ候補で、当該クロスキャリアスケジューリング命令を含まないダウンリンク制御情報を受信するように構成される。
【０１２１】
さらに、当該受信器は、分散マップ方式に対応するＥＰＤＣＣＨ候補のＥＰＤＣＣＨを通じてダウンリンク制御情報をフォーマット０および／またはフォーマット１Ａで受信し、当該局所方式に対応するＥＰＤＣＣＨ候補のＥＰＤＣＣＨを通じてダウンリンク制御情報をフォーマット２Ｃで受信するように構成され、
当該決定プロセッサは、分散マップ方式に対応するブラインド検出が実施される回数を１６として決定し、局所マップ方式に対応するブラインド検出が実施される回数を１６として決定するように構成される。
【０１２２】
さらに、当該受信器は、分散マップ方式に対応するＥＰＤＣＣＨ候補の設定値以上の集約レベルを有するＥＰＤＣＣＨを受信し、局所マップ方式に対応するＥＰＤＣＣＨ候補に関する設定値より小さい集約レベルを有するＥＰＤＣＣＨを受信するように構成される。
【０１２３】
本発明の実施形態で提供する、ダウンリンク制御情報を送信するための方法、ネットワーク側装置、およびユーザ機器では、当該ネットワーク側装置は、送信サブフレームにおける物理制御チャネル集合の検出すべき集約レベルを選択し、当該集約レベルに対応する物理制御チャネル候補の数を当該集約レベルに従って選択し、当該ネットワーク側は、当該選択された数に対応する物理制御チャネル候補でダウンリンク制御情報を送信し、ユーザ機器は、当該送信サブフレームにおける当該物理制御チャネル集合の検出すべき集約レベルを決定し、当該集約レベルに対応する物理制御チャネル候補の数を当該集約レベルに従って決定し、当該ダウンリンク制御情報を受信するためにブラインド検出を当該物理制御チャネル集合で実施する。それにより、物理制御チャネル候補の数が当該集約レベルに従って決定される。即ち、ブラインド検出が実施される回数が決定される。したがって、ネットワーク側装置とユーザ機器はブラインド検出が実施される回数を増大させることなく互いと通信することができる。
【０１２４】
本発明の諸実施形態または先行技術の技術的解決策をより明確に説明するために、以下では当該諸実施形態または先行技術を説明するのに必要な添付図面を簡単に説明する。明らかに、以下の説明における添付図面は本発明の幾つかの実施形態を示すにすぎず、当業者は依然として創造的作業なしにこれらの添付図面から他の図面を導出することができる。
【図面の簡単な説明】
【０１２５】
【図１】本発明に従うネットワーク側によるダウンリンク制御情報を送信するための方法の１実施形態の流れ図である。
【図２】本発明に従うユーザ機器によるダウンリンク制御情報を送信するための方法の１実施形態の流れ図である。
【図３】本発明に従うネットワーク側装置の実施形態１の略構造図である。
【図４】本発明に従うユーザ機器の実施形態１の略構造図である。
【図５】本発明に従うネットワーク側装置の実施形態２の略構造図である。
【図６】本発明に従うユーザ機器の実施形態２の略構造図である。
【発明を実施するための形態】
【０１２６】
本発明の実施形態の目的、技術的解決策、および利点をより分かり易くするために、以下では本発明の実施形態における添付図面を参照して、本発明の実施形態における技術的解決策を明確かつ十分に説明する。明らかに、説明する諸実施形態は本発明の実施形態の全てではなく一部にすぎない。当業者が創造的作業なしに本発明の実施形態に基づいて得る他の全ての実施形態は本発明の保護範囲に入るものとする。
【０１２７】
図１は、本発明に従うネットワーク側によるダウンリンク制御情報を送信するための方法の１実施形態の流れ図である。図１に示すように、本発明に従うネットワーク側によりダウンリンク制御情報を送信するための方法は以下のステップを含む。
【０１２８】
ステップ１０１で、送信サブフレームにおいて物理制御チャネル集合の検出すべき集約レベルを選択する。
【０１２９】
システム性能を改善しＰＤＣＣＨ容量を拡大するために、ＥＰＤＣＣＨがＲ１１バージョンに導入されている。今日、ＥＰＤＣＣＨが２つのモード、即ち、局所モードと分散モードをサポートする必要があると標準化の会議で決定されている。これらの２つのモードは、２つの異なるシナリオ、即ち、連続する周波数領域と離散周波数領域に適用される。さらに、３ＧＰＰ  ＲＡＮ１  ＃７０会合では、ＥＰＤＣＣＨの検索空間が物理制御チャネル集合（以降、簡単のためＥＰＤＣＣＨ集合と称する）を単位とし、１つのＥＰＤＣＣＨ集合がＮ個の物理リソース・ブロック（Ｐｈｙｓｉｃａｌ  Ｒｅｓｏｕｒｃｅ  Ｂｌｏｃｋ、以降、簡単のためＰＲＢと称する）により形成され、ＥＰＤＣＣＨ集合は局所マップ方式、または、マップ方式であり、１つのＵＥをＫ個の（Ｋ≧１）ＥＰＤＣＣＨ集合で構成してもよく、ＵＥは構成されたＥＰＤＣＣＨ集合においてＥＰＤＣＣＨを検索する、と規定されている。
【０１３０】
一般に、ＤＣＩは、符号化率に従って様々な集約レベルを用いることで送信され、ネットワーク側装置は、様々なＤＣＩに従って送信サブフレームにおいてＥＰＤＣＣＨ集合の検出すべき集約レベルを選択する。
【０１３１】
ステップ１０２で、集約レベルに対応する物理制御チャネル候補の数を当該集約レベルに従って選択する。
【０１３２】
当該集約レベルに対応する物理制御チャネル候補の数は当該集約レベルに従って選択される。即ち、ブラインド検出が実施される回数が決定され、それにより、ブラインド検出が実施される回数は、当該プロトコルで規定された数を超えることができない。特に、当該集約レベルに対応するブラインド検出が実施される回数は物理制御チャネル候補の数に対応する。例えば、集約レベルが２である場合、それに対応する物理チャネル候補の数は６であり、ブラインド検出が実施される回数は６×２＝１２であり、２は１つのＥＰＤＣＣＨ候補がブラインド検出を２種類のＤＣＩフォーマットで実施する必要があることを示す。
【０１３３】
ステップ１０３で、当該選択された数に対応する物理制御チャネル候補でダウンリンク制御情報を送信する。
【０１３４】
ネットワーク側装置が、物理制御チャネル集合を２つの集合に分割し、各集合内の各集約レベルに対応するＥＰＤＣＣＨ候補の数を決定する。当該集合を分割せずに各制御チャネル集合内の各集約レベルに対応するＥＰＤＣＣＨ候補の数を決定してもよい。
【０１３５】
それに応じて、ユーザ機器は、様々な集約レベルに対して物理制御チャネル候補の数を決定し、当該ダウンリンク制御情報を受信するためにブラインド検出を当該物理制御チャネル集合で実施する。
【０１３６】
本発明の当該実施形態で提供する物理制御チャネルを送信するための方法では、ネットワーク側装置は、送信サブフレームにおける物理制御チャネル集合の検出すべき集約レベルを選択し、当該集約レベルに対応する物理制御チャネル候補の数を当該集約レベルに従って選択し、当該ネットワーク側は、当該選択された数に対応する物理制御チャネル候補でダウンリンク制御情報を送信し、ユーザ機器は、当該送信サブフレームにおける当該物理制御チャネル集合の検出すべき集約レベルを決定し、当該集約レベルに対応する物理制御チャネル候補の数を当該集約レベルに従って決定し、当該ダウンリンク制御情報を受信するためにブラインド検出を当該物理制御チャネル集合で実施する。それにより、物理制御チャネル候補の数が当該集約レベルに従って決定される。即ち、ブラインド検出が実施される回数が決定される。したがって、ネットワーク側装置とユーザ機器はブラインド検出が実施される回数を増大させることなく互いと通信することができる。
【０１３７】
物理制御チャネルに利用可能な物理制御チャネル集合のＰＲＢペアにおけるＲＥの数が閾値Ｘより小さいとき、ネットワーク側装置は、当該物理制御チャネル集合の最小の検出すべき集約レベルを２と選択してもよく、当該物理制御チャネル集合のＰＲＢペアに含まれるＲＥの数が閾値Ｘ以上であるとき、ネットワーク側装置は、当該物理制御チャネル集合の最小の検出すべき集約レベルを１と選択してもよい。
【０１３８】
それに応じて、物理制御チャネルに利用可能な物理制御チャネル集合のＰＲＢペアにおけるＲＥの数は閾値Ｘより小さいとき、ユーザ機器は、当該物理制御チャネル集合の最小の検出すべき集約レベルを２と選択してもよく、当該物理制御チャネル集合のＰＲＢペアに含まれるＲＥの数が閾値Ｘ以上であるとき、ユーザ機器は、当該物理制御チャネル集合の最小の検出すべき集約レベルを１と決定してもよい。
【０１３９】
当該実施形態では、当該物理制御チャネル集合に対して当該閾値のみが考慮される。ネットワーク側装置によりユーザ機器に対して構成されたリソース内の当該物理制御チャネル集合のＰＲＢペアにある物理制御チャネルを送信するために利用可能なＲＥの数がＸより小さいとき、当該最小の検出すべき集約レベルは２と設定され、そうでなければ、当該最小集約レベルは１と設定される。閾値Ｘを、事前に設定してもよく、例えばＥＰＤＣＣＨの送信符号率の観点からはＸ＝１０４と規定される。
【０１４０】
送信サブフレーム・タイプが、正常ＣＰ長を有する正常サブフレームまたは３、４、もしくは８として構成された特殊サブフレームであり、かつ、物理制御チャネルに対して利用可能な１つのＰＲＢペアの中のＲＥの数がＸより小さいとき、ネットワーク側装置は、物理制御チャネル集合の最小の検出すべき集約レベルを２と選択してもよく、または、そうでなければ、当該サブフレームが正常ＣＰ長を有する正常サブフレームでなく、３、４、もしくは８として構成された特殊サブフレームを除く別のサブフレーム・タイプであり、または、物理制御チャネルに対して利用可能な１つのＰＲＢペアの中のＲＥの数がＸより大きいとき、当該ネットワーク側装置は、当該物理制御チャネル集合の最小の検出すべき集約レベルを１と選択してもよい。
【０１４１】
それに応じて、送信サブフレーム・タイプが、正常ＣＰ長を有する正常サブフレームまたは３、４、もしくは８として構成された特殊サブフレームであり、かつ、物理制御チャネルに対して利用可能な１つのＰＲＢペアの中のＲＥの数がＸより小さいとき、ユーザ機器は、当該物理制御チャネル集合の最小の検出すべき集約レベルを２と決定してもよく、または、そうでなければ、当該サブフレームが正常ＣＰ長を有する正常サブフレームでなく、３、４、もしくは８として構成された特殊サブフレームを除く別のサブフレーム・タイプであり、または、物理制御チャネルに対して利用可能な１つのＰＲＢペアの中のＲＥの数がＸより大きいとき、ユーザ機器は、当該物理制御チャネル集合の最小の検出すべき集約レベルを１と決定してもよい。
【０１４２】
当該実施形態では、当該サブフレーム・タイプに従い、当該閾値と関連して、当該サブフレームが、正常ＣＰ長を有する正常サブフレームまたは３、４、もしくは８として構成された特殊サブフレームであり、物理制御チャネルに対して利用可能な１つのＰＲＢペアの中のＲＥの数がＸより小さいとき、ネットワーク側装置は、当該物理制御チャネル集合の最小の検出すべき集約レベルを２と選択し、または、そうでなければ、最小集約レベルを１に設定する。当該プロトコルでは、Ｘ＝１０４と規定される。
【０１４３】
一般に、集約レベルに対応する物理制御チャネル候補の数を当該集約レベルに従って選択する間に、ネットワーク側装置は、物理制御チャネル集合を２つの集合に分割し、各集合の各集約レベルに対応するＥＰＤＣＣＨ候補の数を決定し、当該集合を分割することなく各制御チャネル集合の各集約レベルに対応するＥＰＤＣＣＨ候補の数を決定してもよい。当該２つの方式を以下で詳細に説明する。
【０１４４】
方式１
ネットワーク側装置は、物理制御チャネル集合を２つの集合に分割し、局所マップ方式と分散マップ方式における各集約レベルに対応するＥＰＤＣＣＨ候補の数をそれぞれ選択する。一方の集合は当該物理制御チャネルの局所マップ方式に対応し、他方の集合は当該物理制御チャネルの分散マップ方式に対応する。
【０１４５】
それに応じて、ユーザ機器は、物理制御チャネル集合を２つの集合に分割し、局所マップ方式と分散マップ方式における各集約レベルに対応するＥＰＤＣＣＨ候補の数をそれぞれ決定してもよい。一方の集合は当該物理制御チャネルの局所マップ方式に対応し、他方の集合は当該物理制御チャネルの分散マップ方式に対応する。
【０１４６】
ＥＰＤＣＣＨ候補の数をプロトコルで規定、即ち、事前に設定してもよく、ネットワーク側装置によりシグナリングを送信することでユーザ機器に通知してもよい。
【０１４７】
特に、送信サブフレームが正常サブフレームであるかまたは３、４、もしくは８として構成された特殊サブフレームであり、ＰＲＢペア内にありＥＰＤＣＨを送信するために利用可能なＲＥの数が閾値より小さいとき、または、当該閾値のみが考慮され、当該物理制御チャネル集合のＰＲＢペア内にあり物理制御チャネルに利用可能なＲＥの数が閾値Ｘより小さいとき、集約レベルが２である場合、当該ネットワーク側は、局所マップ方式に対応するＥＰＤＣＣＨ候補の数と分散マップ方式に対応するＥＰＤＣＣＨ候補の数の合計を６として選択し、集約レベルが４である場合、当該ネットワーク側は、局所マップ方式に対応するＥＰＤＣＣＨ候補の数と分散マップ方式に対応するＥＰＤＣＣＨ候補の数の合計を６として選択し、集約レベルが８である場合、当該ネットワーク側は、局所マップ方式に対応するＥＰＤＣＣＨ候補の数と分散マップ方式に対応するＥＰＤＣＣＨ候補の数の合計を２として選択し、集約レベルが１６である場合、当該ネットワーク側は、局所マップ方式に対応するＥＰＤＣＣＨ候補の数と分散マップ方式に対応するＥＰＤＣＣＨ候補の数の合計を２として選択する。
【０１４８】
それに応じて、集約レベルが２である場合、ユーザ機器は、局所マップ方式に対応するＥＰＤＣＣＨ候補の数と分散マップ方式に対応するＥＰＤＣＣＨ候補の数の合計を６として決定し、集約レベルが４である場合、ユーザ機器は、局所マップ方式に対応するＥＰＤＣＣＨ候補の数と分散マップ方式に対応するＥＰＤＣＣＨ候補の数の合計を６として決定し、集約レベルが８である場合、ユーザ機器は、局所マップ方式に対応するＥＰＤＣＣＨ候補の数と分散マップ方式に対応するＥＰＤＣＣＨ候補の数の合計を２として決定し、集約レベルが１６である場合、ユーザ機器は、局所マップ方式に対応するＥＰＤＣＣＨ候補の数と分散マップ方式に対応するＥＰＤＣＣＨ候補の数の合計を２として決定する。
【０１４９】
当該実施形態では、局所マップ方式でサポートされる集約レベルは２、４、８、および（１６）であり、分散マップ方式でサポートされる集約レベルは２、４、８、１６、および（３２）である。（１６）は、局所マップ方式における集約レベル１６が任意的であることを示し、（３２）は、分散マップ方式における集約レベル３２が任意的であることを示し、当該局所方式における集約レベル（１６）と当該分散方式における集約レベル（３２）を幾つかのＥＰＤＣＣＨ送信シナリオで使用する必要がある。当該ＰＲＢペア内にありＥＰＤＣＣＨを送信するのに使用されるＲＥの数が閾値より小さいとき、局所マップ方式と分散マップ方式の両方は集約レベル｛２、４、８、１６｝をサポートし、ＰＤＣＣＨ候補チャネルの設定が使用され続け、集約レベル｛２、４、８、１６｝に対応するＥＰＤＣＣＨ候補の数は｛６、６、２、２｝である。集約レベルが２である場合、それに対応するＥＰＤＣＣＨ候補の数は６であり、ネットワーク側装置またはユーザ機器は当該６個のＥＰＤＣＣＨ候補を１組の局所マッピングと１組の分散マッピングに割り当ててもよく、例えば、当該６個のＥＰＤＣＣＨ候補の全てを当該１組の局所マップ方式に割り当て、当該１組の分散マップ方式にはＥＰＤＣＣＨ候補を割り当てなくともよい。具体的な構成を当該プロトコルで指定、即ち、事前に設定してもよく、ネットワーク側装置によりシグナリングを送信することでユーザ機器に通知してもよい。ユーザ機器がネットワーク側装置から通知された場合、ユーザ機器は、ブラインド検出を実施する前に、当該ネットワーク側により通知されたＥＰＤＣＣＨにおける各集約レベルに対応するＥＰＤＣＣＨ候補の数を受信する。
【０１５０】
表１は、ＥＰＤＣＣＨ候補が当該１組の局所マップ方式と当該１組の分散マップ方式として構成される第１の解決策である。表１に示すように、局所マップ方式に対しては、ネットワーク側装置は、集約レベル２に対応するＥＰＤＣＣＨ候補の数と集約レベル４に対応するＥＰＤＣＣＨ候補の数の両方を６として選択し、集約レベル８に対応するＥＰＤＣＣＨ候補の数と集約レベル１６に対応するＥＰＤＣＣＨ候補の数の両方を０として選択し、分散マップ方式に対しては、ネットワーク側装置は、集約レベル２に対応するＥＰＤＣＣＨ候補の数と集約レベル４に対応するＥＰＤＣＣＨ候補の数の両方を０として選択し、集約レベル８に対応するＥＰＤＣＣＨ候補の数と集約レベル１６に対応するＥＰＤＣＣＨ候補の数の両方を２として選択し、それに応じて、局所マップ方式に対しては、ユーザ機器は、集約レベル２に対応するＥＰＤＣＣＨ候補の数と集約レベル４に対応するＥＰＤＣＣＨ候補の数の両方を６として決定し、集約レベル８に対応するＥＰＤＣＣＨ候補の数と集約レベル１６に対応するＥＰＤＣＣＨ候補の数の両方を０として決定し、分散マップ方式に対しては、ユーザ機器は、集約レベル２に対応するＥＰＤＣＣＨ候補の数と集約レベル４に対応するＥＰＤＣＣＨ候補の数の両方を０として決定し、集約レベル８に対応するＥＰＤＣＣＨ候補の数と集約レベル１６に対応するＥＰＤＣＣＨ候補の数の両方を２として決定する。
【０１５１】
【表１】
2015532069.tif 000003
【０１５２】
表２は、ＥＰＤＣＣＨ候補が１組の局所マップ方式と１組の分散マップ方式に対して構成される第２の解決策である。表２に示すように、局所マップ方式に対しては、ネットワーク側装置は、集約レベル２に対応するＥＰＤＣＣＨ候補の数と集約レベル４に対応するＥＰＤＣＣＨ候補の数の両方を３として選択し、集約レベル８に対応するＥＰＤＣＣＨ候補の数と集約レベル１６に対応するＥＰＤＣＣＨ候補の数の両方を１として選択し、分散マップ方式に対しては、ネットワーク側装置は、集約レベル２に対応するＥＰＤＣＣＨ候補の数と集約レベル４に対応するＥＰＤＣＣＨ候補の数の両方を３として選択し、集約レベル８に対応するＥＰＤＣＣＨ候補の数と集約レベル１６に対応するＥＰＤＣＣＨ候補の数の両方を１として選択する。
【０１５３】
それに応じて、局所マップ方式に対しては、ユーザ機器は、集約レベル２に対応するＥＰＤＣＣＨ候補の数と集約レベル４に対応するＥＰＤＣＣＨ候補の数の両方を３として決定し、集約レベル８に対応するＥＰＤＣＣＨ候補の数と集約レベル１６に対応するＥＰＤＣＣＨ候補の数の両方を１として決定し、分散マップ方式に対しては、ユーザ機器は、集約レベル２に対応するＥＰＤＣＣＨ候補の数と集約レベル４に対応するＥＰＤＣＣＨ候補の数の両方を３として決定し、集約レベル８に対応するＥＰＤＣＣＨ候補の数と集約レベル１６に対応するＥＰＤＣＣＨ候補の数の両方を１として決定する。
【０１５４】
【表２】
2015532069.tif 000004
【０１５５】
表３は、ＥＰＤＣＣＨ候補が１組の局所マップ方式と１組の分散マップ方式に対して構成される第３の解決策である。表３に示すように、局所マップ方式に対しては、ネットワーク側装置は、集約レベル２に対応するＥＰＤＣＣＨ候補の数を６として選択し、集約レベル４に対応するＥＰＤＣＣＨ候補の数、集約レベル８に対応するＥＰＤＣＣＨ候補の数、および集約レベル１６に対応するＥＰＤＣＣＨ候補の数を０として選択し、分散マップ方式に対しては、ネットワーク側装置は、集約レベル２に対応するＥＰＤＣＣＨ候補の数を０として選択し、集約レベル４に対応するＥＰＤＣＣＨ候補の数を６として選択し、集約レベル８に対応するＥＰＤＣＣＨ候補の数と集約レベル１６に対応するＥＰＤＣＣＨ候補の数の両方を２として選択する。
【０１５６】
それに応じて、局所マップ方式に対しては、ユーザ機器は、集約レベル２に対応するＥＰＤＣＣＨ候補の数を６として決定し、集約レベル４に対応するＥＰＤＣＣＨ候補の数、集約レベル８に対応するＥＰＤＣＣＨ候補の数、および集約レベル１６に対応するＥＰＤＣＣＨ候補の数を０として決定し、分散マップ方式に対しては、ユーザ機器は、集約レベル２に対応するＥＰＤＣＣＨ候補の数を０として決定し、集約レベル４に対応するＥＰＤＣＣＨ候補の数を６として決定し、集約レベル８に対応するＥＰＤＣＣＨ候補の数と集約レベル１６に対応するＥＰＤＣＣＨ候補の数の両方を２として決定する。
【０１５７】
【表３】
2015532069.tif 000005
【０１５８】
表１、表２、および表３は構成方式の一部を与えるにすぎないが、本発明はそれに限定されるものではない。１組の局所マップ方式における各集約レベルに対応するＥＰＤＣＣＨの数と当該１組の分散マップ方式における各集約レベルに対応するＥＰＤＣＣＨ候補の数の合計がＥＰＤＣＣＨの対応する数を満たすようにできる任意の方法を使用して、本発明を実装することができる。例えば、集約レベルが２である場合、以上は、６または３個のＥＰＤＣＣＨ候補が当該１組の局所マップ方式に割り当てられ、０または３個のＥＰＤＣＣＨが当該１組の分散マップ方式に割り当てられる構成方式の１例を示すにすぎない。別の実施形態では、以下の構成方式を使用してもよい。即ち、２または５個のＥＰＤＣＣＨ候補を当該１組の局所マップ方式に割り当ててもよく、４または１個のＥＰＤＣＣＨを当該１組の分散マップ方式に割り当ててもよい。
【０１５９】
上述の実施形態では、１組の局所分散と１組の分散マッピングの両方が集約レベル｛２、４、８、１６｝をサポートし、局所方式に対しては、集約レベル１６は任意的である。別の実施形態では、局所方式に対しては、集約レベル１６を考慮しなくともよく、このケースでは、集約レベル１６に対応する２つのＥＰＤＣＣＨ候補は両方とも、当該１組の分散マッピングに対して構成される。
【０１６０】
１組の分散マッピングが集約レベル３２をサポートするケースが考慮されないとき、ネットワーク側装置は、集約レベル３２に対応するＥＰＤＣＣＨ候補の数を０として選択し、ユーザ機器は、集約レベル３２に対応するＥＰＤＣＣＨ候補の数を０として決定する。
【０１６１】
１組の分散マッピングが集約レベル３２をサポートするケースが考慮されないとき、本発明はＰＤＣＣＨ候補チャネルの設定を使用し続け、集約レベル｛２、４、８、１６｝に対応するＥＰＤＣＣＨ候補の数｛６、６、２、２｝の合計が不変であるので、集約レベル２に対応するＥＰＤＣＣＨ候補の一部を集約レベル３２に対応する１組の分散マップ方式に割り当ててもよく、または、集約レベル４に対応するＥＰＤＣＣＨ候補の一部を集約レベル３２に対応する１組の分散マップ方式に割り当ててもよく、または、集約レベル８に対応するＥＰＤＣＣＨ候補の一部を集約レベル３２に対応する１組の分散マップ方式に割り当ててもよく、または、集約レベル１６に対応するＥＰＤＣＣＨ候補の一部を集約レベル３２に対応する１組の分散マップ方式に割り当ててもよい。
【０１６２】
表４は、ＥＰＤＣＣＨ候補が１組の局所マップ方式と１組の分散マップ方式に対して構成される第４の解決策である。表４に示すように、集約レベルが３２である場合、および、集約レベルが２である場合、ネットワーク側装置１０は、局所マップ方式での集約レベル２に対応するＥＰＤＣＣＨ候補の数、分散マップ方式での集約レベル３２に対応するＥＰＤＣＣＨ候補の数、および分散マップ方式での集約レベル２に対応するＥＰＤＣＣＨ候補の数の合計を６として選択し、それに応じて、集約レベルが３２である場合、および、集約レベルが２である場合、ユーザ機器は、局所マップ方式での集約レベル２に対応するＥＰＤＣＣＨ候補の数、分散マップ方式での集約レベル３２に対応するＥＰＤＣＣＨ候補の数、および分散マップ方式での集約レベル２に対応するＥＰＤＣＣＨ候補の数の合計を６として決定する。
【０１６３】
【表４】
2015532069.tif 000006
【０１６４】
表４では、ネットワーク側装置１０は、集約レベル２に対応するＥＰＤＣＣＨ候補のうち２つを分散マップ方式における集約レベル３２に割り当てるが、本発明はそれに限定されるものではない。別の実施形態では、当該ネットワーク側装置は、集約レベル２に対応するＥＰＤＣＣＨ候補のうち１つまたはＮ個を分散マップ方式における集約レベル３２に割り当ててもよい。
【０１６５】
表５は、ＥＰＤＣＣＨ候補が１組の局所マップ方式と１組の分散マップ方式に対して構成される第５の解決策である。表５に示すように、集約レベルが３２である場合、および、集約レベルが４である場合、ネットワーク側装置は、局所マップ方式での集約レベル４に対応するＥＰＤＣＣＨ候補の数、分散マップ方式での集約レベル３２に対応するＥＰＤＣＣＨ候補の数、および分散マップ方式での集約レベル２に対応するＥＰＤＣＣＨ候補の数の合計を６として選択し、それに応じて、集約レベルが３２である場合、および、集約レベルが４である場合、ユーザ機器は、局所マップ方式での集約レベル４に対応するＥＰＤＣＣＨ候補の数、分散マップ方式での集約レベル３２に対応するＥＰＤＣＣＨ候補の数、および分散マップ方式での集約レベル２に対応するＥＰＤＣＣＨ候補の数の合計を６として決定する。
【０１６６】
【表５】
2015532069.tif 000007
【０１６７】
表５では、ネットワーク側装置１０は、集約レベル４に対応するＥＰＤＣＣＨ候補のうち１つを分散マップ方式における集約レベル３２に割り当てるが、本発明はそれに限定されるものではない。別の実施形態では、当該ネットワーク側装置は、集約レベル４に対応するＥＰＤＣＣＨ候補のうち１つまたはＮ個を分散マップ方式における集約レベル３２に割り当ててもよい。
【０１６８】
表６は、ＥＰＤＣＣＨ候補が１組の局所マップ方式と１組の分散マップ方式に対して構成される第６の解決策である。表６に示すように、集約レベルが３２である場合、および、集約レベルが８である場合、当該ネットワーク側装置は、局所マップ方式での集約レベル８に対応するＥＰＤＣＣＨ候補の数、分散マップ方式での集約レベル３２に対応するＥＰＤＣＣＨ候補の数、および分散マップ方式での集約レベル８に対応するＥＰＤＣＣＨ候補の数の合計を２として選択し、それに応じて、集約レベルが３２である場合、および、集約レベルが８である場合、ユーザ機器は、局所マップ方式での集約レベル８に対応するＥＰＤＣＣＨ候補の数、分散マップ方式での集約レベル３２に対応するＥＰＤＣＣＨ候補の数、および分散マップ方式での集約レベル８に対応するＥＰＤＣＣＨ候補の数の合計を２として決定する。
【０１６９】
【表６】
2015532069.tif 000008
【０１７０】
表６では、ネットワーク側装置１０は、集約レベル８に対応するＥＰＤＣＣＨ候補の１つを分散マップ方式における集約レベル３２に割り当てるが、本発明はそれに限定されるものではない。別の実施形態では、当該ネットワーク側装置は集約レベル８に対応するＥＰＤＣＣＨ候補のうち１つまたは２つを分散マップ方式における集約レベル３２に割り当ててもよい。
【０１７１】
表７は、ＥＰＤＣＣＨ候補が１組の局所マップ方式と１組の分散マップ方式に対して構成される第７の解決策である。表７に示すように、集約レベルが３２である場合、および、集約レベルが１６である場合、当該ネットワーク側装置は、局所マップ方式での集約レベル１６に対応するＥＰＤＣＣＨ候補の数、分散マップ方式での集約レベル３２に対応するＥＰＤＣＣＨ候補の数、および分散マップ方式での集約レベル１６に対応するＥＰＤＣＣＨ候補の数の合計を２として選択し、それに応じて、集約レベルが３２である場合、および、集約レベルが１６である場合、ユーザ機器は、局所マップ方式での集約レベル１６に対応するＥＰＤＣＣＨ候補の数、分散マップ方式での集約レベル３２に対応するＥＰＤＣＣＨ候補の数、および分散マップ方式での集約レベル１６に対応するＥＰＤＣＣＨ候補の数の合計を２として決定する。
【０１７２】
【表７】
2015532069.tif 000009
【０１７３】
表７では、ネットワーク側装置１０は、集約レベル１６に対応するＥＰＤＣＣＨ候補のうち１つを分散マップ方式における集約レベル３２に割り当てるが、本発明はそれに限定されるものではない。別の実施形態では、当該ネットワーク側装置は、集約レベル１６に対応するＥＰＤＣＣＨ候補のうち１つまたは２つを分散マップ方式における集約レベル３２に割り当ててもよい。
【０１７４】
閾値のみが考慮されず、物理制御チャネル集合のＰＲＢペアの中の、物理制御チャネルに対して利用可能なＲＥの数が閾値Ｘ以上であるとき、または、送信サブフレームが、正常サブフレーム以外の別のサブフレームまたは３、４、もしくは８として構成された特殊サブフレーム以外の別のサブフレームであり、当該物理制御チャネル集合のＰＲＢペアの中の、物理制御チャネルに対して利用可能なＲＥの数が閾値Ｘ以上であるとき、集約レベルが１である場合、ネットワーク側装置は、局所マップ方式に対応するＥＰＤＣＣＨ候補の数と分散マップ方式に対応するＥＰＤＣＣＨ候補の数の合計を６として選択し、集約レベルが２である場合、当該ネットワーク側装置は、局所マップ方式に対応するＥＰＤＣＣＨ候補の数と分散マップ方式に対応するＥＰＤＣＣＨ候補の数の合計を６として選択し、集約レベルが４である場合、当該ネットワーク側装置は、局所マップ方式に対応するＥＰＤＣＣＨ候補の数と分散マップ方式に対応するＥＰＤＣＣＨ候補の数の合計を２として選択し、集約レベルが８である場合、当該ネットワーク側は、局所マップ方式に対応するＥＰＤＣＣＨ候補の数と分散マップ方式に対応するＥＰＤＣＣＨ候補の数の合計を２として選択する。
【０１７５】
それに応じて、集約レベルが１である場合、ユーザ機器は、局所マップ方式に対応するＥＰＤＣＣＨ候補の数と分散マップ方式に対応するＥＰＤＣＣＨ候補の数の合計を６として決定し、集約レベルが２である場合、ユーザ機器は、局所マップ方式に対応するＥＰＤＣＣＨ候補の数と分散マップ方式に対応するＥＰＤＣＣＨ候補の数の合計を６として決定し、集約レベルが４である場合、ユーザ機器は、局所マップ方式に対応するＥＰＤＣＣＨ候補の数と分散マップ方式に対応するＥＰＤＣＣＨ候補の数の合計を２として決定し、集約レベルが８である場合、ユーザ機器は、局所マップ方式に対応するＥＰＤＣＣＨ候補の数と分散マップ方式に対応するＥＰＤＣＣＨ候補の数の合計を２として決定する。
【０１７６】
当該実施形態では、局所マップ方式でサポートされる集約レベルは１、２、４、および（８）であり、分散マップ方式でサポートされる集約レベルは１、２、４、８、および（１６）である。（８）は、局所マップ方式における集約レベル８が任意的であることを示し、（１６）は、分散マップ方式における集約レベル１６が任意的であることを示し、当該局所方式における集約レベル（８）および当該分散方式における集約レベル（１６）を幾つかのＥＰＤＣＣＨ送信シナリオで使用する必要がある。当該ＰＲＢペア内にありＥＰＤＣＣＨを送信するのに使用されるＲＥの数が閾値以上であるとき、局所マップ方式と分散マップ方式の両方は集約レベル｛１、２、４、８｝をサポートし、ＰＤＣＣＨ候補チャネルの設定が使用され続け、集約レベル｛１、２、４、８｝に対応するＥＰＤＣＣＨ候補の数は｛６、６、２、２｝である。集約レベルが１である場合、それに対応するＥＰＤＣＣＨ候補の数は６であり、ネットワーク側装置またはユーザ機器は当該６個のＥＰＤＣＣＨ候補を１組の局所マッピングと１組の分散マッピングに割り当ててもよく、例えば、当該６個のＥＰＤＣＣＨ候補の全てを当該１組の局所マップ方式に割り当て、当該１組の分散マップ方式にはＥＰＤＣＣＨ候補を割り当てなくともよい。具体的な構成を当該プロトコルで指定、即ち、事前に設定してもよく、ネットワーク側装置によりシグナリングを送信することでユーザ機器に通知してもよい。ユーザ機器がネットワーク側装置から通知された場合、ユーザ機器は、ブラインド検出を実施する前に、ネットワーク側により通知されたＥＰＤＣＣＨにおける各集約レベルに対応するＥＰＤＣＣＨ候補の数を受信する。
【０１７７】
表８は、ＥＰＤＣＣＨ候補が１組の局所マップ方式と１組の分散マップ方式に対して構成される第８の解決策である。表８に示すように、局所マップ方式に対しては、ネットワーク側装置は、集約レベル１に対応するＥＰＤＣＣＨ候補の数と集約レベル２に対応するＥＰＤＣＣＨ候補の数の両方を６として選択し、集約レベル４に対応するＥＰＤＣＣＨ候補の数と集約レベル８に対応するＥＰＤＣＣＨ候補の数の両方を０として選択し、分散マップ方式に対しては、当該ネットワーク側装置は、集約レベル１に対応するＥＰＤＣＣＨ候補の数と集約レベル２に対応するＥＰＤＣＣＨ候補の数の両方を０として選択し、集約レベル４に対応するＥＰＤＣＣＨ候補の数と集約レベル８に対応するＥＰＤＣＣＨ候補の数の両方を２として選択し、それに応じて、局所マップ方式に対しては、ユーザ機器は、集約レベル１に対応するＥＰＤＣＣＨ候補の数と集約レベル２に対応するＥＰＤＣＣＨ候補の数の両方を６として決定し、集約レベル４に対応するＥＰＤＣＣＨ候補の数と集約レベル８に対応するＥＰＤＣＣＨ候補の数の両方を０として決定し、分散マップ方式に対しては、ユーザ機器は、集約レベル１に対応するＥＰＤＣＣＨ候補の数と集約レベル２に対応するＥＰＤＣＣＨ候補の数の両方を０として決定し、集約レベル４に対応するＥＰＤＣＣＨ候補の数と集約レベル８に対応するＥＰＤＣＣＨ候補の数の両方を２として決定する。
【０１７８】
【表８】
2015532069.tif 000010
【０１７９】
表９は、ＥＰＤＣＣＨ候補が１組の局所マップ方式と１組の分散マップ方式に対して構成される第９の解決策である。表９に示すように、局所マップ方式に対しては、ネットワーク側装置は、集約レベル１に対応するＥＰＤＣＣＨ候補の数と集約レベル２に対応するＥＰＤＣＣＨ候補の数の両方を３として選択し、集約レベル４に対応するＥＰＤＣＣＨ候補の数と集約レベル８に対応するＥＰＤＣＣＨ候補の数の両方を１として選択し、分散マップ方式に対しては、当該ネットワーク側装置は、集約レベル１に対応するＥＰＤＣＣＨ候補の数と集約レベル２に対応するＥＰＤＣＣＨ候補の数の両方を３として選択し、集約レベル４に対応するＥＰＤＣＣＨ候補の数と集約レベル８に対応するＥＰＤＣＣＨ候補の数の両方を１として選択する。
【０１８０】
それに応じて、局所マップ方式に対しては、ユーザ機器は、集約レベル１に対応するＥＰＤＣＣＨ候補の数と集約レベル２に対応するＥＰＤＣＣＨ候補の数の両方を３として決定し、集約レベル４に対応するＥＰＤＣＣＨ候補の数と集約レベル８に対応するＥＰＤＣＣＨ候補の数の両方を１として決定し、分散マップ方式に対しては、ユーザ機器は、集約レベル１に対応するＥＰＤＣＣＨ候補の数と集約レベル２に対応するＥＰＤＣＣＨ候補の数の両方を３として決定し、集約レベル４に対応するＥＰＤＣＣＨ候補の数と集約レベル８に対応するＥＰＤＣＣＨ候補の数の両方を１として決定する。
【０１８１】
【表９】
2015532069.tif 000011
【０１８２】
表１０は、ＥＰＤＣＣＨ候補が１組の局所マップ方式と１組の分散マップ方式に対して構成される第１０の解決策である。表１０に示すように、局所マップ方式に対しては、ネットワーク側装置は、集約レベル１に対応するＥＰＤＣＣＨ候補の数を６として選択し、集約レベル２に対応するＥＰＤＣＣＨ候補の数、集約レベル４に対応するＥＰＤＣＣＨ候補の数、および集約レベル８に対応するＥＰＤＣＣＨ候補の数を０として選択し、分散マップ方式に対しては、当該ネットワーク側装置は、集約レベル１に対応するＥＰＤＣＣＨ候補の数を０として選択し、集約レベル２に対応するＥＰＤＣＣＨ候補の数を６として選択し、集約レベル４に対応するＥＰＤＣＣＨ候補の数と集約レベル８に対応するＥＰＤＣＣＨ候補の数の両方を２として選択する。
【０１８３】
それに応じて、局所マップ方式に対しては、ユーザ機器は、集約レベル１に対応するＥＰＤＣＣＨ候補の数を６として決定し、集約レベル２に対応するＥＰＤＣＣＨ候補の数、集約レベル４に対応するＥＰＤＣＣＨ候補の数、および集約レベル８に対応するＥＰＤＣＣＨ候補の数を０として決定し、分散マップ方式に対しては、ユーザ機器は、集約レベル１に対応するＥＰＤＣＣＨ候補の数を０として決定し、集約レベル２に対応するＥＰＤＣＣＨ候補の数を６として決定し、集約レベル４に対応するＥＰＤＣＣＨ候補の数と集約レベル８に対応するＥＰＤＣＣＨ候補の数の両方を２として決定する。
【０１８４】
【表１０】
2015532069.tif 000012
【０１８５】
表８、表９、および表１０は構成方式の一部を与えるにすぎないが、本発明はそれに限定されるものではない。１組の局所マップ方式における各集約レベルに対応するＥＰＤＣＣＨの数と１組の分散マップ方式における各集約レベルに対応するＥＰＤＣＣＨ候補の数の合計がＥＰＤＣＣＨの対応する数を満たすようにできる任意の方法を使用して、本発明を実装することができる。例えば、集約レベルが１である場合、以上は、６または３個のＥＰＤＣＣＨ候補が当該１組の局所マップ方式に割り当てられ、０または３個のＥＰＤＣＣＨが当該１組の分散マップ方式に割り当てられる構成方式の１例を示すにすぎない。別の実施形態では、以下の構成方式を使用してもよい。即ち、２または５個のＥＰＤＣＣＨ候補を当該１組の局所マップ方式に割り当ててもよく、４または１個のＥＰＤＣＣＨを当該１組の分散マップ方式に割り当ててもよい。
【０１８６】
上述の実施形態では、１組の局所分散と１組の分散マッピングの両方は集約レベル｛２、４、８、１６｝をサポートし、局所方式に対しては、集約レベル１６は任意的である。別の実施形態では、局所方式に対しては、集約レベル１６を考慮しなくともよく、このケースでは、集約レベル１６に対応する２つのＥＰＤＣＣＨ候補は両方とも、当該１組の分散マッピングに対して構成される。
【０１８７】
１組の分散マッピングが集約レベル１６をサポートするケースが考慮されないとき、ネットワーク側装置は、集約レベル１６に対応するＥＰＤＣＣＨ候補の数を０として選択し、ユーザ機器は、集約レベル１６に対応するＥＰＤＣＣＨ候補の数を０として決定する。
【０１８８】
１組の分散マッピングが集約レベル１６をサポートするケースが考慮されないとき、本発明はＰＤＣＣＨ候補チャネルの設定を使用し続け、集約レベル｛１、２、４、８｝に対応するＥＰＤＣＣＨ候補の数｛６、６、２、２｝の合計が不変であるので、集約レベル２に対応するＥＰＤＣＣＨ候補の一部を、集約レベル１６に対応する１組の分散マップ方式に割り当ててもよく、または、集約レベル４に対応するＥＰＤＣＣＨ候補の一部を集約レベル１６に対応する１組の分散マップ方式に割り当ててもよく、または、集約レベル８に対応するＥＰＤＣＣＨ候補の一部を、集約レベル１６に対応する１組の分散マップ方式に割り当ててもよく、または、集約レベル１６に対応するＥＰＤＣＣＨ候補の一部を集約レベル１６に対応する１組の分散マップ方式に割り当ててもよい。
【０１８９】
表１１は、ＥＰＤＣＣＨ候補が１組の局所マップ方式と１組の分散マップ方式に対して構成される第１１の解決策である。表１１に示すように、集約レベルが１６である場合、および、集約レベルが１である場合、ネットワーク側装置は、局所マップ方式での集約レベル１６に対応するＥＰＤＣＣＨ候補の数、局所マップ方式での集約レベル１に対応するＥＰＤＣＣＨ候補の数、分散マップ方式での集約レベル１６に対応するＥＰＤＣＣＨ候補の数、および分散マップ方式での集約レベル１に対応するＥＰＤＣＣＨ候補の数の合計を６として選択し、それに応じて、集約レベルが１６である場合、および、集約レベルが１である場合、ユーザ機器は、局所マップ方式での集約レベル１６に対応するＥＰＤＣＣＨ候補の数、局所マップ方式での集約レベル１に対応するＥＰＤＣＣＨ候補の数、分散マップ方式での集約レベル１６に対応するＥＰＤＣＣＨ候補の数、および分散マップ方式での集約レベル１に対応するＥＰＤＣＣＨ候補の数の合計を６として決定する。
【０１９０】
【表１１】
2015532069.tif 000013
【０１９１】
表１１では、ネットワーク側装置１０は、集約レベル１に対応するＥＰＤＣＣＨ候補のうち２つを分散マップ方式における集約レベル１６に割り当てるが、本発明はそれに限定されるものではない。別の実施形態では、ネットワーク側装置は、集約レベル１に対応するＥＰＤＣＣＨ候補のうち１つまたはＮ個を分散マップ方式における集約レベル１６に割り当ててもよい。
【０１９２】
表１２は、ＥＰＤＣＣＨ候補が１組の局所マップ方式と１組の分散マップ方式に対して構成される第１２の解決策である。表１２に示すように、集約レベルが１６である場合、および、集約レベルが２である場合、ネットワーク側装置は、局所マップ方式での集約レベル１６に対応するＥＰＤＣＣＨ候補の数、局所マップ方式での集約レベル２に対応するＥＰＤＣＣＨ候補の数、分散マップ方式での集約レベル１６に対応するＥＰＤＣＣＨ候補の数、および分散マップ方式での集約レベル２に対応するＥＰＤＣＣＨ候補の数の合計を６として選択し、それに応じて、集約レベルが１６である場合、および、集約レベルが２である場合、ユーザ機器は、局所マップ方式での集約レベル１６に対応するＥＰＤＣＣＨ候補の数、局所マップ方式での集約レベル２に対応するＥＰＤＣＣＨ候補の数、分散マップ方式での集約レベル１６に対応するＥＰＤＣＣＨ候補の数、および分散マップ方式での集約レベル２に対応するＥＰＤＣＣＨ候補の数の合計を６として決定する。
【０１９３】
【表１２】
2015532069.tif 000014
【０１９４】
表１２では、ネットワーク側装置１０は、集約レベル２に対応するＥＰＤＣＣＨ候補のうち２つを分散マップ方式における集約レベル１６に割り当てるが、本発明はそれに限定されるものではない。別の実施形態では、当該ネットワーク側装置は、集約レベル２に対応するＥＰＤＣＣＨ候補のうち１つまたはＮ個を分散マップ方式における集約レベル１６に割り当ててもよい。
【０１９５】
表１３は、ＥＰＤＣＣＨ候補が１組の局所マップ方式と１組の分散マップ方式に対して構成される第１３の解決策である。表１３に示すように、集約レベルが１６である場合、および、集約レベルが４である場合、ネットワーク側装置は、局所マップ方式での集約レベル１６に対応するＥＰＤＣＣＨ候補の数、局所マップ方式での集約レベル４に対応するＥＰＤＣＣＨ候補の数、分散マップ方式での集約レベル１６に対応するＥＰＤＣＣＨ候補の数、および分散マップ方式での集約レベル４に対応するＥＰＤＣＣＨ候補の数の合計を２として選択し、それに応じて、集約レベルが１６である場合、および、集約レベルが４である場合、ユーザ機器は、局所マップ方式での集約レベル１６に対応するＥＰＤＣＣＨ候補の数、局所マップ方式での集約レベル４に対応するＥＰＤＣＣＨ候補の数、分散マップ方式での集約レベル１６に対応するＥＰＤＣＣＨ候補の数、および分散マップ方式での集約レベル４に対応するＥＰＤＣＣＨ候補の数の合計を２として決定する。
【０１９６】
【表１３】
2015532069.tif 000015
【０１９７】
表１３では、ネットワーク側装置１０は、集約レベル４に対応するＥＰＤＣＣＨ候補のうち２つを分散マップ方式における集約レベル１６に割り当てるが、本発明はそれに限定されるものではない。別の実施形態では、当該ネットワーク側装置は、集約レベル４に対応するＥＰＤＣＣＨ候補のうち１つまたは２つを分散マップ方式における集約レベル１６に割り当ててもよい。
【０１９８】
表１４は、ＥＰＤＣＣＨ候補が１組の局所マップ方式と１組の分散マップ方式に対して構成される第１４の解決策である。表１４に示すように、集約レベルが１６である場合、および、集約レベルが８である場合、当該ネットワーク側装置は、局所マップ方式での集約レベル１６に対応するＥＰＤＣＣＨ候補の数、局所マップ方式での集約レベル８に対応するＥＰＤＣＣＨ候補の数、分散マップ方式での集約レベル１６に対応するＥＰＤＣＣＨ候補の数、および分散マップ方式での集約レベル８に対応するＥＰＤＣＣＨ候補の数の合計を２として選択し、それに応じて、集約レベルが１６である場合、および、集約レベルが８である場合、ユーザ機器は、局所マップ方式での集約レベル１６に対応するＥＰＤＣＣＨ候補の数、局所マップ方式での集約レベル８に対応するＥＰＤＣＣＨ候補の数、分散マップ方式での集約レベル１６に対応するＥＰＤＣＣＨ候補の数、および分散マップ方式での集約レベル８に対応するＥＰＤＣＣＨ候補の数の合計を２として決定する。
【０１９９】
【表１４】
2015532069.tif 000016
【０２００】
表１４では、ネットワーク側装置１０は、集約レベル８に対応するＥＰＤＣＣＨ候補の１つを分散マップ方式における集約レベル１６に割り当てるが、本発明はそれに限定されるものではない。別の実施形態では、当該ネットワーク側装置は、集約レベル８に対応するＥＰＤＣＣＨ候補のうち１つまたは２つを分散マップ方式における集約レベル１６に割り当ててもよい。
【０２０１】
上述の方法１では、物理制御チャネル集合を２つの集合に分割した後、ＥＰＤＣＣＨ候補の数を異なる形のＥＰＤＣＣＨに従って割り当ててもよい。即ち、ブラインド検出が実施される回数が構成される。例えば、当該送信サブフレームが正常サブフレームまたは３、４、もしくは８として構成された特殊サブフレームであり、ＰＲＢペアの中のＥＰＤＣＣＨを送信するために利用できるＲＥの数が閾値より小さいとき、局所マップ方式でサポートされる集約レベルは２、４、８、および（１６）であり、分散マップ方式でサポートされる集約レベルは２、４、８、１６、および（３２）である。（１６）は、局所マップ方式における集約レベル１６が任意的であることを示し、（３２）は、分散マップ方式における集約レベル３２が任意的であることを示し、当該局所方式における集約レベル（１６）および当該分散方式における集約レベル（３２）を幾つかのＥＰＤＣＣＨ送信シナリオで使用する必要がある。ＰＤＣＣＨ候補チャネルの設定が使用され続けるので、ＥＰＤＣＣＨ候補の数｛６、６、２、２｝の合計が不変である。したがって、当該１組の局所マップ方式に対して、割り当てられたＥＰＤＣＣＨ候補の数は１０であり、残りのＥＰＤＣＣＨ候補は分散マップ方式に割り当てられる。具体的な構成を当該プロトコルで指定、即ち、事前に設定してもよく、ネットワーク側装置によりシグナリングを送信することでユーザ機器に通知してもよい。ユーザ機器がネットワーク側装置から通知された場合、ユーザ機器は、ブラインド検出を実施する前に、当該ネットワーク側により通知されたＥＰＤＣＣＨにおける各集約レベルに対応するＥＰＤＣＣＨ候補の数を受信する。
【０２０２】
表１５は、ＥＰＤＣＣＨ候補が当該１組の局所マップ方式に対して構成される第１の解決策である。表１５に示すように、局所マップ方式に対しては、ネットワーク側装置は、集約レベル２に対応するＥＰＤＣＣＨ候補の数を６として選択し、集約レベル４に対応するＥＰＤＣＣＨ候補の数を２として選択し、集約レベル８に対応するＥＰＤＣＣＨ候補の数を２として選択し、分散マップ方式に対しては、当該ネットワーク側装置は、６つのＥＰＤＣＣＨ候補を少なくとも１つの集約レベルに割り当てることを選択し、それに応じて、局所マップ方式に対しては、ユーザ機器は、集約レベル２に対応するＥＰＤＣＣＨ候補の数を６として決定し、集約レベル４に対応するＥＰＤＣＣＨ候補の数を６として決定し、集約レベル８に対応するＥＰＤＣＣＨ候補の数を２として決定し、分散マップ方式に対しては、ユーザ機器は２つのＥＰＤＣＣＨ候補を少なくとも１つの集約レベルに割り当てると決定する。
【０２０３】
【表１５】
2015532069.tif 000017
【０２０４】
表１５では、局所マップ方式に割り当てられるＥＰＤＣＣＨ候補の数は６＋２＋２＝１０であり、アップリンク多入力多出力（Ｍｕｌｔｉｐｌｅ  Ｉｎｐｕｔ  Ｍｕｌｔｉｐｌｅ  Ｏｕｔｐｕｔ、以降、簡単のためＭＩＭＯと称する）がサポートされない場合には、ブラインド検出が実施される回数の合計は１０×２＝２０である。２は、ブラインド検出を１つのＥＰＤＣＣＨ候補における２種類のＤＣＩフォーマットで実施する必要があることを示す。アップリンクＭＩＭＯがサポートされる場合、アップリンクのスケジューリングに対して、ブラインド検出も（ＤＣＩフォーマット４のような）別のＤＣＩフォーマットで実施する必要があり、ブラインド検出が実施される回数は（６＋２＋２）×１＝１０である。このケースでは、ブラインド検出が実施される回数の合計は２０＋１０＝３０である。残りの６個のＥＰＤＣＣＨ候補が１組の分散マップ方式に割り当てられる、即ち、アップリンクＭＩＭＯがサポートされない場合、当該１組の分散マップ方式に割り当てられるブラインド検出が実施される回数は６×２＝１２であり、アップリンクＭＩＭＯがサポートされる場合、アップリンクのスケジューリングのためにブラインド検出が別のＤＣＩフォーマットで実施される回数は６×１であり、ブラインド検出が実施される回数の合計は１２＋６＝１８である。特に、残りの６個のＥＰＤＣＣＨ候補が割り当てられる分散マップ方式の１つの集約レベルまたは幾つかの集約レベルは送信されたＤＣＩに従って選択され、一般に、残りの６個のＥＰＤＣＣＨ候補が、集約レベル８または集約レベル１６または集約レベル３２のような、高い集約レベルの分散マップ方式に割り当てられる。
【０２０５】
表１６は、ＥＰＤＣＣＨ候補が１組の局所マップ方式に対して構成される第２の解決策である。表１６に示すように、局所マップ方式に対しては、ネットワーク側装置は、集約レベル２に対応するＥＰＤＣＣＨ候補の数を６として選択し、集約レベル４に対応するＥＰＤＣＣＨ候補の数を６として選択し、集約レベル８に対応するＥＰＤＣＣＨ候補の数を２として選択し、分散マップ方式に対しては、当該ネットワーク側装置は、２つのＥＰＤＣＣＨ候補を少なくとも１つの集約レベルに割り当てることを選択し、それに応じて、局所マップ方式に対しては、ユーザ機器２０は、集約レベル２に対応するＥＰＤＣＣＨ候補の数を６として決定し、集約レベル４に対応するＥＰＤＣＣＨ候補の数を６として決定し、集約レベル８に対応するＥＰＤＣＣＨ候補の数を２として決定し、分散マップ方式に対しては、ユーザ機器２０は２つのＥＰＤＣＣＨ候補を少なくとも１つの集約レベルに割り当てると決定する。
【０２０６】
【表１６】
2015532069.tif 000018
【０２０７】
表１６では、局所マップ方式に割り当てられるＥＰＤＣＣＨ候補の数は６＋６＋２＝１４であり、アップリンク多入力多出力（Ｍｕｌｔｉｐｌｅ  Ｉｎｐｕｔ  Ｍｕｌｔｉｐｌｅ  Ｏｕｔｐｕｔ、以降、簡単のためＭＩＭＯと称する）がサポートされない場合には、ブラインド検出が実施される回数の合計は１４×２＝２８である。２は、ブラインド検出を１つのＥＰＤＣＣＨ候補における２種類のＤＣＩフォーマットで実施する必要があることを示す。アップリンクＭＩＭＯがサポートされる場合、アップリンクのスケジューリングに対して、ブラインド検出も（ＤＣＩフォーマット４のような）別のＤＣＩフォーマットで実施する必要があり、ブラインド検出が実施される回数は（６＋６＋２）×１＝１４である。このケースでは、ブラインド検出が実施される回数の合計は２８＋１４＝４２である。残りの２個のＥＰＤＣＣＨ候補が１組の分散マップ方式に割り当てられる、即ち、アップリンクＭＩＭＯがサポートされない場合、当該１組の分散マップ方式に割り当てられるブラインド検出が実施される回数は２×２＝４であり、アップリンクＭＩＭＯがサポートされる場合、アップリンクのスケジューリングのためにブラインド検出が別のＤＣＩフォーマットで実施される回数は２×１であり、ブラインド検出が実施される回数の合計は４＋２＝６である。特に、残りの２個のＥＰＤＣＣＨ候補が割り当てられる分散マップ方式の１つの集約レベルまたは幾つかの集約レベルは送信されたＤＣＩに従って選択され、一般に、残りの２個のＥＰＤＣＣＨ候補が、集約レベル８または集約レベル１６または集約レベル３２のような高い集約レベルの分散マップ方式に割り当てられる。
【０２０８】
送信サブフレームが、正常サブフレーム以外の別のサブフレームまたは３、４、もしくは８として構成された特殊サブフレーム以外の別のサブフレームであり、かつ、１つのＰＲＢペアの中の、当該ＥＰＤＣＣＨを送信するために利用可能なＲＥの数が閾値以上であるとき、局所マップ方式でサポートされる集約レベルは１、２、４、および（８）であり、分散マップ方式でサポートされる集約レベルは１、２、４、８、および（１６）である。（８）は、局所マップ方式における集約レベル８が任意的であることを示し、（１６）は、分散マップ方式における集約レベル１６が任意的であることを示し、当該局所方式における集約レベル（８）および当該分散方式における集約レベル（１６）を幾つかのＥＰＤＣＣＨ送信シナリオで使用する必要がある。ＰＤＣＣＨ候補チャネルの設定が使用され続けるので、ＥＰＤＣＣＨ候補の数｛６、６、２、２｝の合計が不変である。したがって、当該１組の局所マップ方式に対して、割り当てられたＥＰＤＣＣＨ候補の数は１０であり、残りのＥＰＤＣＣＨ候補は分散マップ方式に割り当てられる。具体的な構成を当該プロトコルで指定、即ち、事前に設定してもよく、ネットワーク側装置によりシグナリングを送信することでユーザ機器に通知してもよい。ユーザ機器がネットワーク側装置から通知された場合、ユーザ機器は、ブラインド検出を実施する前に、当該ネットワーク側により通知されたＥＰＤＣＣＨにおける各集約レベルに対応するＥＰＤＣＣＨ候補の数を受信する。
【０２０９】
表１７は、ＥＰＤＣＣＨ候補が１組の局所マップ方式に対して構成される第３の解決策である。表１７に示すように、局所マップ方式に対しては、ネットワーク側装置は、集約レベル１に対応するＥＰＤＣＣＨ候補の数を６として選択し、集約レベル２に対応するＥＰＤＣＣＨ候補の数を２として選択し、集約レベル４に対応するＥＰＤＣＣＨ候補の数を２として選択し、分散マップ方式に対しては、当該ネットワーク側装置は、６つのＥＰＤＣＣＨ候補を少なくとも１つの集約レベルに割り当てることを選択し、それに応じて、局所マップ方式に対しては、ユーザ機器は、集約レベル１に対応するＥＰＤＣＣＨ候補の数を６として決定し、集約レベル２に対応するＥＰＤＣＣＨ候補の数を２として決定し、集約レベル４に対応するＥＰＤＣＣＨ候補の数を２として決定し、分散マップ方式に対しては、ユーザ機器は、６つのＥＰＤＣＣＨ候補を少なくとも１つの集約レベルに割り当てると決定する。
【０２１０】
【表１７】
2015532069.tif 000019
【０２１１】
表１７では、局所マップ方式に割り当てられるＥＰＤＣＣＨ候補の数は６＋２＋２＝１０であり、アップリンク多入力多出力（Ｍｕｌｔｉｐｌｅ  Ｉｎｐｕｔ  Ｍｕｌｔｉｐｌｅ  Ｏｕｔｐｕｔ、以降、簡単のためＭＩＭＯと称する）がサポートされない場合には、ブラインド検出が実施される回数の合計は１０×２＝２０である。２は、ブラインド検出を１つのＥＰＤＣＣＨ候補における２種類のＤＣＩフォーマットで実施する必要があることを示す。アップリンクＭＩＭＯがサポートされる場合、アップリンクのスケジューリングに対して、ブラインド検出も（ＤＣＩフォーマット４のような）別のＤＣＩフォーマットで実施する必要があり、ブラインド検出が実施される回数は（６＋２＋２）×１＝１０である。このケースでは、ブラインド検出が実施される回数の合計は２０＋１０＝３０である。残りの６個のＥＰＤＣＣＨ候補が１組の分散マップ方式に割り当てられる、即ち、アップリンクＭＩＭＯがサポートされない場合、当該１組の分散マップ方式に割り当てられるブラインド検出が実施される回数は６×２＝１２であり、アップリンクＭＩＭＯがサポートされる場合、アップリンクのスケジューリングのためにブラインド検出が別のＤＣＩフォーマットで実施される回数は６×１であり、ブラインド検出が実施される回数の合計は１２＋６＝１８である。特に、残りの６個のＥＰＤＣＣＨ候補が割り当てられる分散マップ方式の１つの集約レベルまたは幾つかの集約レベルは送信されたＤＣＩに従って選択され、一般に、残りの６個のＥＰＤＣＣＨ候補が、集約レベル８または集約レベル１６のような高い集約レベルの分散マップ方式に割り当てられる。
【０２１２】
表１８は、ＥＰＤＣＣＨ候補が１組の局所マップ方式に対して構成される第４の解決策である。表１８に示すように、局所マップ方式に対しては、ネットワーク側装置は、集約レベル１に対応するＥＰＤＣＣＨ候補の数を６として選択し、集約レベル２に対応するＥＰＤＣＣＨ候補の数を６として選択し、集約レベル４に対応するＥＰＤＣＣＨ候補の数を２として選択し、分散マップ方式に対しては、当該ネットワーク側装置は、２つのＥＰＤＣＣＨ候補を少なくとも１つの集約レベルに割り当てることを選択し、それに応じて、局所マップ方式に対しては、ユーザ機器は、集約レベル１に対応するＥＰＤＣＣＨ候補の数を６として決定し、集約レベル２に対応するＥＰＤＣＣＨ候補の数を６として決定し、集約レベル４に対応するＥＰＤＣＣＨ候補の数を２として決定し、分散マップ方式に対しては、ユーザ機器は２つのＥＰＤＣＣＨ候補を少なくとも１つの集約レベルに割り当てると決定する。
【０２１３】
【表１８】
2015532069.tif 000020
【０２１４】
表１８では、局所マップ方式に割り当てられるＥＰＤＣＣＨ候補の数は６＋６＋２＝１４であり、アップリンク多入力多出力（Ｍｕｌｔｉｐｌｅ  Ｉｎｐｕｔ  Ｍｕｌｔｉｐｌｅ  Ｏｕｔｐｕｔ、以降、簡単のためＭＩＭＯと称する）がサポートされない場合には、ブラインド検出が実施される回数の合計は１４×２＝２８である。２は、ブラインド検出を１つのＥＰＤＣＣＨ候補における２種類のＤＣＩフォーマットで実施する必要があることを示す。アップリンクＭＩＭＯがサポートされる場合、アップリンクのスケジューリングに対して、ブラインド検出も（ＤＣＩフォーマット４のような）別のＤＣＩフォーマットで実施する必要があり、ブラインド検出が実施される回数は（６＋６＋２）×１＝１４である。このケースでは、ブラインド検出が実施される回数の合計は２８＋１４＝３２である。残りの２個のＥＰＤＣＣＨ候補が１組の分散マップ方式に割り当てられる。即ち、アップリンクＭＩＭＯがサポートされない場合、当該１組の分散マップ方式に割り当てられるブラインド検出が実施される回数は２×２＝４であり、アップリンクＭＩＭＯがサポートされる場合、アップリンクのスケジューリングのためにブラインド検出が別のＤＣＩフォーマットで実施される回数は２×１であり、ブラインド検出が実施される回数の合計は４＋２＝６である。特に、残りの２個のＥＰＤＣＣＨ候補が割り当てられる分散マップ方式の１つの集約レベルまたは幾つかの集約レベルは送信されたＤＣＩに従って選択され、一般に、残りの２個のＥＰＤＣＣＨ候補が、集約レベル８または集約レベル１６のような高い集約レベルの分散マップ方式に割り当てられる。
【０２１５】
以上の実施形態は可能な実装方式の一部を示すにすぎず、本発明はそれに限定されるものではない。別の実装方式では、当１組の局所マップ方式の１つまたは幾つかの集約レベルのブラインド検出が実施される回数はＸであり、当該１組の分散マップ方式の１つまたは幾つかの集約レベルのブラインド検出が実施される回数は［（３２または４８）−Ｘ］である。Ｘの値が所定の値であってもよく、または、シグナリングを通じてユーザ機器に通知されてもよく、または、帯域幅関連パラメータであってもよい。
【０２１６】
方式２
集約レベルに対応する物理制御チャネル候補の数を当該集約レベルに従って選択するプロセスでは、ネットワーク側装置は、物理制御チャネル集合を２つの集合に分割する必要はなく、その代わり、物理制御チャネル集合の検出すべき集約レベルに対応する物理制御チャネル候補の数を選択する。それに応じて、ユーザ機器は、物理制御チャネル集合の検出すべき集約レベルに対応する物理制御チャネル候補の数を決定する。
【０２１７】
特に、物理制御チャネル集合が局所マップ方式であるとき、同一の集約レベルに対して、ネットワーク側装置は、当該集約レベルに対応する物理制御チャネル候補の数を物理制御チャネル集合のＰＲＢの数に従って選択する。それに応じて、物理制御チャネル集合が局所マップ方式であるとき、同一の集約レベルに対して、ユーザ機器は、当該集約レベルに対応する物理制御チャネル候補の数を物理制御チャネル集合のＰＲＢの数に従って決定し、
物理制御チャネル集合が分散マップ方式であるとき、同一の集約レベルに対して、当該ネットワーク側装置は、当該集約レベルに対応する物理制御チャネル候補の数を物理制御チャネル集合のＰＲＢの数に従って選択する。それに応じて、物理制御チャネル集合が分散マップ方式であるとき、同一の集約レベルに対して、ユーザ機器は、当該集約レベルに対応する物理制御チャネル候補の数を物理制御チャネル集合のＰＲＢの数に従って決定する。
【０２１８】
物理制御チャネル集合が局所マップ方式であるとき、同一の集約レベルに対して、ネットワーク側装置は、当該集約レベルに対応する物理制御チャネル候補の数を物理制御チャネル集合のＰＲＢの数に従って選択し、物理制御チャネル候補の数はＰＲＢの数に正比例し、それに応じて、物理制御チャネル集合が局所マップ方式であるとき、同一の集約レベルに対して、ユーザ機器は、当該集約レベルに対応する物理制御チャネル候補の数を物理制御チャネル集合のＰＲＢの数に従って決定し、物理制御チャネル候補の数はＰＲＢの数に正比例する、といったことが好ましい。
【０２１９】
それに応じて、物理制御チャネル集合が分散マップ方式であるとき、同一の集約レベルに対して、ネットワーク側装置は、当該集約レベルに対応する物理制御チャネル候補の数を物理制御チャネル集合のＰＲＢの数に従って選択し、物理制御チャネル候補の数は当該数に正比例する。それに応じて、物理制御チャネル集合が分散マップ方式であるとき、同一の集約レベルに対して、ユーザ機器は、当該集約レベルに対応する物理制御チャネル候補の数を物理制御チャネル集合のＰＲＢの数に従って決定し、物理制御チャネル候補の数は当該数に正比例する。
【０２２０】
上述の実施形態では、局所マップ方式であろうと分散マップ方式であろうと、同一の集約レベルに対して、構成されたＥＰＤＣＣＨ候補は各ＥＰＤＣＣＨ集合内のＰＲＢの数Ｎに関連する。例えば、Ｎ＝８であるとき、分散マップ方式のＥＰＤＣＣＨの集約レベルは少なくとも２である。一般に、Ｎが大きいとき、これは物理制御チャネル候補の数が大きいことを示す。
【０２２１】
特に、物理制御チャネル集合が分散マップ方式であるとき、物理制御チャネル集合に含まれるＰＲＢの数Ｎが８である場合には、ネットワーク側装置は、物理制御チャネル集合の集約レベル１に対応する物理制御チャネル候補の数を０として選択し、物理制御チャネル集合が分散マップ方式であるとき、物理制御チャネル集合に含まれるＰＲＢの数Ｎが１６である場合には、ネットワーク側装置は、物理制御チャネル集合の集約レベル１に対応する物理制御チャネル候補の数と物理制御チャネル集合の集約レベル２に対応する物理制御チャネル候補の数を０として選択する。
【０２２２】
それに応じて、物理制御チャネル集合が分散マップ方式であるとき、物理制御チャネル集合に含まれるＰＲＢの数Ｎが８である場合には、ユーザ機器は、物理制御チャネル集合の集約レベル１に対応する物理制御チャネル候補の数を０と決定し、物理制御チャネル集合が分散マップ方式であるとき、物理制御チャネル集合に含まれるＰＲＢの数Ｎが１６である場合には、ユーザ機器は、物理制御チャネル集合の集約レベル１に対応する物理制御チャネル候補の数と物理制御チャネル集合の集約レベル２に対応する物理制御チャネル候補の数を０と決定する。
【０２２３】
ネットワーク側装置１０は、分散マップ方式に対応するＥＰＤＣＣＨ候補で、ＳＩ−ＲＮＴＩまたはＲＡ−ＲＮＴＩを用いてスクランブルされたダウンリンク制御情報を送信し、局所マップ方式に対応するＥＰＤＣＣＨ候補で、ＳＩ−ＲＮＴＩとＲＡ−ＲＮＴＩ以外の別のＲＮＴＩを用いてスクランブルされたダウンリンク制御情報を送信する。それに応じて、ユーザ機器は、分散マップ方式に対応するＥＰＤＣＣＨ候補で、ＳＩ−ＲＮＴＩまたはＲＡ−ＲＮＴＩを用いてスクランブルされたダウンリンク制御情報を受信し、局所マップ方式に対応するＥＰＤＣＣＨ候補で、ＳＩ−ＲＮＴＩとＲＡ−ＲＮＴＩ以外の別のＲＮＴＩを用いてスクランブルされたダウンリンク制御情報を受信する。
【０２２４】
当該実施形態では、システム情報無線ネットワーク一時識別子（Ｓｙｓｔｅｍ  Ｉｎｆｏｒｍａｔｉｏｎ−Ｒａｄｉｏ  Ｎｅｔｗｏｒｋ  Ｔｅｍｐｏｒａｒｙ  Ｉｄｅｎｔｉｆｉｅｒ、以降、簡単のためＳＩ−ＲＮＴＩと称する）、ランダム・アクセスＲＮＴＩ（Ｒａｎｄｏｍ  Ａｃｃｅｓｓ−ＲＮＴＩ、以降、簡単のためＲＡ−ＲＮＴＩと称する）、およびページングＰＮＴＩ（Ｐａｇｉｎｇ−ＲＮＴＩ、以降、簡単のためＰ−ＲＮＴＩと称する）を用いることでスクランブルされたダウンリンク制御情報が分散マップ方式の当該ＥＰＤＣＣＨ候補で運搬される。さらに、当該ダウンリンク制御情報がフォーマット０またはフォーマット１Ａである場合、当該ダウンリンク制御情報も分散マップ方式のＥＰＤＣＣＨ候補で運搬される。別のＲＮＴＩを用いてスクランブルされた制御シグナリングは局所マップ方式のＥＰＤＣＣＨ候補で運搬される。
【０２２５】
ネットワーク側装置は、局所マップ方式と分散マップ方式の何れかに対応するＥＰＤＣＣＨ候補で、クロスキャリアスケジューリング命令を含むダウンリンク制御情報を送信し、他方の方式に対応するＥＰＤＣＣＨ候補で、当該クロスキャリアスケジューリング命令を含まないダウンリンク制御情報を送信する。それに応じて、ユーザ機器は、局所マップ方式と分散マップ方式の何れかに対応するＥＰＤＣＣＨ候補で、クロスキャリアスケジューリング命令を含むダウンリンク制御情報を受信し、他方の方式に対応するＥＰＤＣＣＨ候補で、当該クロスキャリアスケジューリング命令を含まないダウンリンク制御情報を受信する。
【０２２６】
ネットワーク側装置は、フォーマット０および／またはフォーマット１Ａのダウンリンク制御情報を分散マップ方式に対応するＥＰＤＣＣＨ候補のＥＰＤＣＣＨで送信し、フォーマット２Ｃのダウンリンク制御情報を局所マップ方式に対応するＥＰＤＣＣＨ候補のＥＰＤＣＣＨで送信する。当該ネットワーク側装置は、分散マップ方式に対応するブラインド検出が実施される回数を１６として選択し、局所マップ方式に対応するブラインド検出が実施される回数を１６として選択する。
【０２２７】
それに応じて、ユーザ機器は、フォーマット０および／またはフォーマット１Ａのダウンリンク制御情報を分散マップ方式に対応するＥＰＤＣＣＨ候補のＥＰＤＣＣＨで受信し、フォーマット２Ｃのダウンリンク制御情報を、局所マップ方式に対応するＥＰＤＣＣＨ候補のＥＰＤＣＣＨで受信する。ユーザ機器は、分散マップ方式に対応するブラインド検出が実施される回数を１６として決定し、局所マップ方式に対応するブラインド検出が実施される回数を１６として決定する。
【０２２８】
上述の実施形態では、ＥＰＤＣＣＨ候補が、フォーマットＤＣＩフォーマットに従って局所方式と分散方式に対して割り当てられる。
【０２２９】
ネットワーク側装置が、分散マップ方式に対応するＥＰＤＣＣＨ候補の設定値以上の集約レベルを有するＥＰＤＣＣＨを送信し、局所マップ方式に対応するＥＰＤＣＣＨ候補に関する設定値より小さい集約レベルを有するＥＰＤＣＣＨを送信することが好ましい。それに応じて、ユーザ機器が、分散マップ方式に対応するＥＰＤＣＣＨ候補の設定値以上の集約レベルを有するＥＰＤＣＣＨを受信し、局所マップ方式に対応するＥＰＤＣＣＨ候補に関する設定値より小さい集約レベルを有するＥＰＤＣＣＨを受信する。
【０２３０】
当該実施形態では、集約レベルの大きさに従って、設定値以上の集約レベルに対応するＥＰＤＣＣＨ候補は局所マップ方式に割り当てられ、当該設定値より小さい集約レベルに対応するＥＰＤＣＣＨ候補は分散マップ方式に割り当てられる。Ｋの値が１、２、４、８、または３２等であってもよく、Ｋの値を予め定義してもよく、または、シグナリングもしくは帯域幅関連パラメータを介してＵＥに通知してもよい。
【０２３１】
図２は、本発明に従うユーザ機器によるダウンリンク制御情報を送信するための方法の１実施形態の流れ図である。図２に示すように、本発明に従うユーザ機器によるダウンリンク制御情報を送信するための方法は以下のステップを含む。
【０２３２】
ステップ２０１で、送信サブフレームにおいて物理制御チャネル集合の検出すべき集約レベルを決定する。ステップ２０２で、当該集約レベルに対応する物理制御チャネル候補の数を当該集約レベルに従って決定する。ステップ２０３で、当該決定された数に対応する物理制御チャネル候補でダウンリンク制御情報を受信する。
【０２３３】
同じ進歩性ある思想に基づいて、本発明の上述の実施形態で提供したユーザ機器により物理制御チャネルを送信するための方法における課題を解決する原理は、ダウンリンク制御情報を送信するための方法におけるネットワーク側装置のものと同様であるので、当該方法の実装に関しては、当該ネットワーク側の実施形態を参照されたい。ここでは再度説明することはしない。
【０２３４】
図３は、本発明に従うネットワーク側装置の実施形態１の略構造図である。図３に示すように、本発明の当該実施形態で提供するネットワーク側装置は選択モジュール１０と送信モジュール２０を備える。
【０２３５】
選択モジュール１０は、送信サブフレームにおいて物理制御チャネル集合の検出すべき集約レベルを選択し、当該集約レベルに対応する物理制御チャネル候補の数を当該集約レベルに従って選択するように構成される。
【０２３６】
送信モジュール２０は、当該選択された数に対応する物理制御チャネル候補でダウンリンク制御情報を送信するように構成される。
【０２３７】
選択モジュール１０は特に、物理制御チャネルに利用可能な物理制御チャネル集合のＰＲＢペアにおけるＲＥの数が閾値Ｘより小さいとき、物理制御チャネル集合の最小の検出すべき集約レベルを２と選択し、物理制御チャネル集合のＰＲＢペアに含まれるＲＥの数が閾値Ｘ以上であるとき、物理制御チャネル集合の最小の検出すべき集約レベルを１と選択するか、または、
送信サブフレーム・タイプが、正常ＣＰ長を有する正常サブフレームまたは３、４、もしくは８として構成された特殊サブフレームであり、かつ、物理制御チャネルに対して利用可能な１つのＰＲＢペアの中のＲＥの数がＸより小さいとき、物理制御チャネル集合の最小の検出すべき集約レベルを２と選択するか、または、そうでなければ、当該サブフレームが正常ＣＰ長を有する正常サブフレームでなく、３、４、もしくは８として構成された特殊サブフレームを除く別のサブフレーム・タイプであり、または、物理制御チャネルに対して利用可能な１つのＰＲＢペアの中のＲＥの数がＸより大きいとき、物理制御チャネル集合の最小の検出すべき集約レベルを１と選択するように構成されることが好ましい。
【０２３８】
選択モジュール１０は特に、物理制御チャネル集合を２つの集合に分割し、局所マップ方式と分散マップ方式における各集約レベルに対応するＥＰＤＣＣＨ候補の数をそれぞれ選択するように構成されることが好ましい。一方の集合は当該物理制御チャネルの局所マップ方式に対応し、他方の集合は当該物理制御チャネルの分散マップ方式に対応する。
【０２３９】
当該送信サブフレームが正常サブフレームであるかまたは３、４、もしくは８として構成された特殊サブフレームであり、ＰＲＢペアの中の、ＥＰＤＣＣＨを運搬するために使用されるＲＥの数が閾値、即ち、１０より小さいとき、集約レベルが２である場合、選択モジュール１０は、局所マップ方式に対応するＥＰＤＣＣＨ候補の数と分散マップ方式に対応するＥＰＤＣＣＨ候補の数の合計を６として選択し、
集約レベルが４である場合、選択モジュール１０は、局所マップ方式に対応するＥＰＤＣＣＨ候補の数と分散マップ方式に対応するＥＰＤＣＣＨ候補の数の合計を６として選択し、
集約レベルが８である場合、選択モジュール１０は、局所マップ方式に対応するＥＰＤＣＣＨ候補の数と分散マップ方式に対応するＥＰＤＣＣＨ候補の数の合計を２として選択し、
集約レベルが１６である場合、選択モジュール１０は、局所マップ方式に対応するＥＰＤＣＣＨ候補の数と分散マップ方式に対応するＥＰＤＣＣＨ候補の数の合計を２として選択することが好ましい。
【０２４０】
上述の実施形態では、分散マップ方式に対しては、選択モジュール１０は、集約レベル３２に対応するＥＰＤＣＣＨ候補の数を０として選択する。
【０２４１】
集約レベル３２を分散マッピングで考慮するとき、集約レベルが３２である場合、および、集約レベルが２である場合、選択モジュール１０は、局所マップ方式での集約レベル２に対応するＥＰＤＣＣＨ候補の数、分散マップ方式での集約レベル３２に対応するＥＰＤＣＣＨ候補の数、および分散マップ方式での集約レベル２に対応するＥＰＤＣＣＨ候補の数の合計を６として選択するか、または、
集約レベルが３２である場合、および、集約レベルが４である場合、選択モジュール１０は、局所マップ方式での集約レベル４に対応するＥＰＤＣＣＨ候補の数、分散マップ方式での集約レベル３２に対応するＥＰＤＣＣＨ候補の数、および分散マップ方式での集約レベル２に対応するＥＰＤＣＣＨ候補の数の合計を６として選択するか、または、
集約レベルが３２である場合、および、集約レベルが８である場合、選択モジュール１０は、局所マップ方式での集約レベル８に対応するＥＰＤＣＣＨ候補の数、分散マップ方式での集約レベル３２に対応するＥＰＤＣＣＨ候補の数、および分散マップ方式での集約レベル８に対応するＥＰＤＣＣＨ候補の数の合計を２として選択するか、または、
集約レベルが３２である場合、および、集約レベルが１６である場合、選択モジュール１０は、局所マップ方式での集約レベル１６に対応するＥＰＤＣＣＨ候補の数、分散マップ方式での集約レベル３２に対応するＥＰＤＣＣＨ候補の数、および分散マップ方式での集約レベル１６に対応するＥＰＤＣＣＨ候補の数の合計を２として選択する。
【０２４２】
当該送信サブフレームが正常サブフレームまたは３、４、もしくは８として構成された特殊サブフレーム以外の別のサブフレームであり、１つのＰＲＢペアの中の、ＥＰＤＣＣＨを運搬するために使用されるＲＥの数が閾値、即ち、１０以上であるとき、集約レベルが１である場合、選択モジュール１０は、局所マップ方式に対応するＥＰＤＣＣＨ候補の数と分散マップ方式に対応するＥＰＤＣＣＨ候補の数の合計を６として選択し、
集約レベルが２である場合、選択モジュール１０は、局所マップ方式に対応するＥＰＤＣＣＨ候補の数と分散マップ方式に対応するＥＰＤＣＣＨ候補の数の合計を６として選択し、
集約レベルが４である場合、選択モジュール１０は、局所マップ方式に対応するＥＰＤＣＣＨ候補の数と分散マップ方式に対応するＥＰＤＣＣＨ候補の数の合計を２として選択し、
集約レベルが８である場合、選択モジュール１０は、局所マップ方式に対応するＥＰＤＣＣＨ候補の数と分散マップ方式に対応するＥＰＤＣＣＨ候補の数の合計を２として選択する
ことが好ましい。
【０２４３】
局所マップ方式に対しては、選択モジュール１０は、集約レベル１に対応するＥＰＤＣＣＨ候補の数と集約レベル２に対応するＥＰＤＣＣＨ候補の数の両方を６として選択し、集約レベル４に対応するＥＰＤＣＣＨ候補の数と集約レベル８に対応するＥＰＤＣＣＨ候補の数の両方を０として選択し、分散マップ方式に対しては、選択モジュール１０は、集約レベル１に対応するＥＰＤＣＣＨ候補の数と集約レベル２に対応するＥＰＤＣＣＨ候補の数の両方を０として選択し、集約レベル４に対応するＥＰＤＣＣＨ候補の数と集約レベル８に対応するＥＰＤＣＣＨ候補の数の両方を２として選択するか、または、
局所マップ方式に対しては、選択モジュール１０は、集約レベル１に対応するＥＰＤＣＣＨ候補の数と集約レベル２に対応するＥＰＤＣＣＨ候補の数の両方を３として選択し、集約レベル４に対応するＥＰＤＣＣＨ候補の数と集約レベル８に対応するＥＰＤＣＣＨ候補の数の両方を１として選択し、分散マップ方式に対しては、選択モジュール１０は、集約レベル１に対応するＥＰＤＣＣＨ候補の数と集約レベル２に対応するＥＰＤＣＣＨ候補の数の両方を３として選択し、集約レベル４に対応するＥＰＤＣＣＨ候補の数と集約レベル８に対応するＥＰＤＣＣＨ候補の数の両方を１として選択するか、または、
局所マップ方式に対しては、選択モジュール１０は、集約レベル１に対応するＥＰＤＣＣＨ候補の数を６として選択し、集約レベル２に対応するＥＰＤＣＣＨ候補の数、集約レベル４に対応するＥＰＤＣＣＨ候補の数、および集約レベル８に対応するＥＰＤＣＣＨ候補の数を０として選択し、分散マップ方式に対しては、選択モジュール１０は、集約レベル１に対応するＥＰＤＣＣＨ候補の数を０として選択し、集約レベル２に対応するＥＰＤＣＣＨ候補の数を６として選択し、集約レベル４に対応するＥＰＤＣＣＨ候補の数と集約レベル８に対応するＥＰＤＣＣＨ候補の数の両方を２として選択する
ことが好ましい。
【０２４４】
上述の実施形態では、分散マップ方式に対しては、選択モジュール１０は、集約レベル１６に対応するＥＰＤＣＣＨ候補の数を０として選択する。
【０２４５】
集約レベル１６を分散マッピングで考慮するとき、集約レベルが１６である場合、および、集約レベルが１である場合、選択モジュール１０は、局所マップ方式での集約レベル１６に対応するＥＰＤＣＣＨ候補の数、局所マップ方式での集約レベル１に対応するＥＰＤＣＣＨ候補の数、分散マップ方式での集約レベル１６に対応するＥＰＤＣＣＨ候補の数、および分散マップ方式での集約レベル１に対応するＥＰＤＣＣＨ候補の数の合計を６として選択するか、または、
集約レベルが１６である場合、および、集約レベルが２である場合、選択モジュール１０は、局所マップ方式での集約レベル１６に対応するＥＰＤＣＣＨ候補の数、局所マップ方式での集約レベル２に対応するＥＰＤＣＣＨ候補の数、分散マップ方式での集約レベル１６に対応するＥＰＤＣＣＨ候補の数、および分散マップ方式での集約レベル２に対応するＥＰＤＣＣＨ候補の数の合計を６として選択するか、または、
集約レベルが１６である場合、および、集約レベルが４である場合、選択モジュール１０は、局所マップ方式での集約レベル１６に対応するＥＰＤＣＣＨ候補の数、局所マップ方式での集約レベル４に対応するＥＰＤＣＣＨ候補の数、分散マップ方式での集約レベル１６に対応するＥＰＤＣＣＨ候補の数、および分散マップ方式での集約レベル４に対応するＥＰＤＣＣＨ候補の数の合計を２として選択するか、または、
集約レベルが１６である場合、および、集約レベルが８である場合、選択モジュール１０は、局所マップ方式での集約レベル１６に対応するＥＰＤＣＣＨ候補の数、局所マップ方式での集約レベル８に対応するＥＰＤＣＣＨ候補の数、分散マップ方式での集約レベル１６に対応するＥＰＤＣＣＨ候補の数、および分散マップ方式での集約レベル８に対応するＥＰＤＣＣＨ候補の数の合計を２として選択する。
【０２４６】
ＥＰＤＣＣＨ候補が最初に局所マップ方式に対して割り当てられるケースでは、局所マップ方式に対しては、選択モジュール１０は、集約レベル２に対応するＥＰＤＣＣＨ候補の数を６として選択し、集約レベル４に対応するＥＰＤＣＣＨ候補の数を２として選択し、集約レベル８に対応するＥＰＤＣＣＨ候補の数を２として選択し、分散マップ方式に対しては、選択モジュール１０は、６つのＥＰＤＣＣＨ候補を少なくとも１つの集約レベルに割り当てることを選択するか、または、
局所マップ方式に対しては、選択モジュール１０は、集約レベル２に対応するＥＰＤＣＣＨ候補の数を６として選択し、集約レベル４に対応するＥＰＤＣＣＨ候補の数を６として選択し、集約レベル８に対応するＥＰＤＣＣＨ候補の数を２として選択し、分散マップ方式に対しては、選択モジュール１０は、２つのＥＰＤＣＣＨ候補を少なくとも１つの集約レベルに割り当てることを選択するか、または、
局所マップ方式に対しては、選択モジュール１０は、集約レベル１に対応するＥＰＤＣＣＨ候補の数を６として選択し、集約レベル２に対応するＥＰＤＣＣＨ候補の数を２として選択し、集約レベル４に対応するＥＰＤＣＣＨ候補の数を２として選択し、分散マップ方式に対しては、選択モジュール１０は、６つのＥＰＤＣＣＨ候補を少なくとも１つの集約レベルに割り当てることを選択するか、または、
局所マップ方式に対しては、選択モジュール１０は、集約レベル１に対応するＥＰＤＣＣＨ候補の数を６として選択し、集約レベル２に対応するＥＰＤＣＣＨ候補の数を６として選択し、集約レベル４に対応するＥＰＤＣＣＨ候補の数を２として選択し、分散マップ方式に対しては、選択モジュール１０は、２つのＥＰＤＣＣＨ候補を少なくとも１つの集約レベルに割り当てることを選択する。
【０２４７】
別の実装方式では、ＥＰＤＣＣＨ集合を２つの集合に分割する必要はなく、その代わり、各ＥＰＤＣＣＨ集合の物理制御チャネル候補の数が選択される。当該実施形態では、選択モジュール１０は、物理制御チャネル集合の検出すべき集約レベルに対応する物理制御チャネル候補の数を選択するように構成される。
【０２４８】
物理制御チャネル集合が局所マップ方式であるとき、同一の集約レベルに対して、選択モジュール１０は、当該集約レベルに対応する物理制御チャネル候補の数を物理制御チャネル集合のＰＲＢの数に従って選択し、物理制御チャネル集合が分散マップ方式であるとき、同一の集約レベルに対して、選択モジュール１０は、当該集約レベルに対応する物理制御チャネル候補の数を物理制御チャネル集合のＰＲＢの数に従って選択することが好ましい。
【０２４９】
一般に、物理制御チャネル集合が局所マップ方式であるとき、同一の集約レベルに対して、選択モジュール１０は、当該集約レベルに対応する物理制御チャネル候補の数を物理制御チャネル集合のＰＲＢの数に従って選択し、物理制御チャネル候補の数はＰＲＢの数に正比例し、物理制御チャネル集合が分散マップ方式であるとき、同一の集約レベルに対して、選択モジュール１０は、当該集約レベルに対応する物理制御チャネル候補の数を物理制御チャネル集合のＰＲＢの数に従って選択し、物理制御チャネル候補の数はＰＲＢの数に正比例する。
【０２５０】
上述の実施形態では、送信モジュール２０は、分散マップ方式に対応するＥＰＤＣＣＨ候補で、ＳＩ−ＲＮＴＩまたはＲＡ−ＲＮＴＩを用いてスクランブルされたダウンリンク制御情報を送信し、局所マップ方式に対応するＥＰＤＣＣＨ候補で、ＳＩ−ＲＮＴＩとＲＡ−ＲＮＴＩ以外の別のＲＮＴＩを用いてスクランブルされたダウンリンク制御情報を送信するように構成される。
【０２５１】
送信モジュール２０はさらに、局所マップ方式と分散マップ方式のうち１つに対応するＥＰＤＣＣＨ候補で、クロスキャリアスケジューリング命令を含むダウンリンク制御情報を送信し、他方の方式に対応するＥＰＤＣＣＨ候補で、当該クロスキャリアスケジューリング命令を含まないダウンリンク制御情報を送信するように構成される。
【０２５２】
送信モジュール２０はさらに、分散マップ方式に対応するＥＰＤＣＣＨ候補のＥＰＤＣＣＨを通じてダウンリンク制御情報をフォーマット０および／またはフォーマット１Ａで送信し、当該局所方式に対応するＥＰＤＣＣＨ候補のＥＰＤＣＣＨを通じてダウンリンク制御情報をフォーマット２Ｃで送信するように構成され、選択モジュール１０はさらに、分散マップ方式に対応するブラインド検出が実施される回数を１６として選択し、局所マップ方式に対応するブラインド検出が実施される回数を１６として選択するように構成される。
【０２５３】
別の実施形態では、送信モジュール２０は、分散マップ方式に対応するＥＰＤＣＣＨ候補の設定値以上の集約レベルを有するＥＰＤＣＣＨを送信し、局所マップ方式に対応するＥＰＤＣＣＨ候補に関する設定値より小さい集約レベルを有するＥＰＤＣＣＨを送信するように構成される。
【０２５４】
図４は、本発明に従うユーザ機器の実施形態１の略構造図である。図４に示すように、本発明の当該実施形態で提供するユーザ機器は決定モジュール３０と受信モジュール４０を備える。
【０２５５】
決定モジュール３０は、送信サブフレームにおいて物理制御チャネル集合の検出すべき集約レベルを決定し、当該集約レベルに対応する物理制御チャネル候補の数を当該集約レベルに従って決定するように構成される。
【０２５６】
受信モジュール４０は、当該決定された数に対応する物理制御チャネル候補でダウンリンク制御情報を受信するように構成される。
【０２５７】
決定モジュール３０は、物理制御チャネルに利用可能な物理制御チャネル集合のＰＲＢペアにおけるＲＥの数が閾値Ｘより小さいとき、物理制御チャネル集合の最小の検出すべき集約レベルを２と決定し、当該物理制御チャネル集合のＰＲＢペアに含まれるＲＥの数が閾値Ｘ以上であるとき、物理制御チャネル集合の最小の検出すべき集約レベルを１と決定するか、または、
送信サブフレーム・タイプが、正常ＣＰ長を有する正常サブフレームまたは３、４、もしくは８として構成された特殊サブフレームであり、かつ、物理制御チャネルに対して利用可能な１つのＰＲＢペアの中のＲＥの数がＸより小さいとき、物理制御チャネル集合の最小の検出すべき集約レベルを２と決定するか、または、そうでなければ、当該サブフレームが正常ＣＰ長を有する正常サブフレームでなく、３、４、もしくは８として構成された特殊サブフレームを除く別のサブフレームであり、または、物理制御チャネルに対して利用可能な１つのＰＲＢペアの中のＲＥの数がＸより大きいとき、物理制御チャネル集合の最小の検出すべき集約レベルを１と決定する
ように構成されることが好ましい。
【０２５８】
決定モジュール３０は、物理制御チャネル集合を２つの集合に分割し、局所マップ方式と分散マップ方式における各集約レベルに対応するＥＰＤＣＣＨ候補の数をそれぞれ決定するように構成されることが好ましい。一方の集合は当該物理制御チャネルの局所マップ方式に対応し、他方の集合は当該物理制御チャネルの分散マップ方式に対応する。
【０２５９】
当該送信サブフレームが正常サブフレームであるかまたは３、４、もしくは８として構成された特殊サブフレームであり、１つのＰＲＢペアの中の、ＥＰＤＣＣＨを運搬するために使用されるＲＥの数が閾値、即ち、１０より小さいとき、集約レベルが２である場合、決定モジュール３０は、局所マップ方式に対応するＥＰＤＣＣＨ候補の数と分散マップ方式に対応するＥＰＤＣＣＨ候補の数の合計を６として決定し、
集約レベルが４である場合、決定モジュール３０は、局所マップ方式に対応するＥＰＤＣＣＨ候補の数と分散マップ方式に対応するＥＰＤＣＣＨ候補の数の合計を６として決定し、
集約レベルが８である場合、決定モジュール３０は、局所マップ方式に対応するＥＰＤＣＣＨ候補の数と分散マップ方式に対応するＥＰＤＣＣＨ候補の数の合計を２として決定し、
集約レベルが１６である場合、決定モジュール３０は、局所マップ方式に対応するＥＰＤＣＣＨ候補の数と分散マップ方式に対応するＥＰＤＣＣＨ候補の数の合計を２として決定する
ことが好ましい。
【０２６０】
上述の実施形態では、分散マップ方式に対しては、決定モジュール３０は、集約レベル３２に対応するＥＰＤＣＣＨ候補の数を０として決定する。
【０２６１】
集約レベル３２を分散マッピングで考慮するとき、集約レベルが３２である場合、および、集約レベルが２である場合、決定モジュール３０は、局所マップ方式での集約レベル２に対応するＥＰＤＣＣＨ候補の数、分散マップ方式での集約レベル３２に対応するＥＰＤＣＣＨ候補の数、および分散マップ方式での集約レベル２に対応するＥＰＤＣＣＨ候補の数の合計を６として決定するか、または、
集約レベルが３２である場合、および、集約レベルが４である場合、決定モジュール３０は、局所マップ方式での集約レベル４に対応するＥＰＤＣＣＨ候補の数、分散マップ方式での集約レベル３２に対応するＥＰＤＣＣＨ候補の数、および分散マップ方式での集約レベル２に対応するＥＰＤＣＣＨ候補の数の合計を６として決定するか、または、
集約レベルが３２である場合、および、集約レベルが８である場合、決定モジュール３０は、局所マップ方式での集約レベル８に対応するＥＰＤＣＣＨ候補の数、分散マップ方式での集約レベル３２に対応するＥＰＤＣＣＨ候補の数、および分散マップ方式での集約レベル８に対応するＥＰＤＣＣＨ候補の数の合計を２として決定するか、または、
集約レベルが３２である場合、および、集約レベルが１６である場合、決定モジュール３０は、局所マップ方式での集約レベル１６に対応するＥＰＤＣＣＨ候補の数、分散マップ方式での集約レベル３２に対応するＥＰＤＣＣＨ候補の数、および分散マップ方式での集約レベル１６に対応するＥＰＤＣＣＨ候補の数の合計を２として決定する。
【０２６２】
当該送信サブフレームが正常サブフレームまたは３、４、もしくは８として構成された特殊サブフレーム以外の別のサブフレームであり、１つのＰＲＢペアの中の、ＥＰＤＣＣＨを運搬するために使用されるＲＥの数が閾値、即ち、１０以上であるとき、集約レベルが１である場合、決定モジュール３０は、局所マップ方式に対応するＥＰＤＣＣＨ候補の数と分散マップ方式に対応するＥＰＤＣＣＨ候補の数の合計を６として決定し、
集約レベルが２である場合、決定モジュール３０は、局所マップ方式に対応するＥＰＤＣＣＨ候補の数と分散マップ方式に対応するＥＰＤＣＣＨ候補の数の合計を６として決定し、
集約レベルが４である場合、決定モジュール３０は、局所マップ方式に対応するＥＰＤＣＣＨ候補の数と分散マップ方式に対応するＥＰＤＣＣＨ候補の数の合計を２として決定し、
集約レベルが８である場合、決定モジュール３０は、局所マップ方式に対応するＥＰＤＣＣＨ候補の数と分散マップ方式に対応するＥＰＤＣＣＨ候補の数の合計を２として決定する
ことが好ましい。
【０２６３】
局所マップ方式に対しては、決定モジュール３０は、集約レベル１に対応するＥＰＤＣＣＨ候補の数と集約レベル２に対応するＥＰＤＣＣＨ候補の数の両方を６として決定し、集約レベル４に対応するＥＰＤＣＣＨ候補の数と集約レベル８に対応するＥＰＤＣＣＨ候補の数の両方を０として決定し、分散マップ方式に対しては、決定モジュール３０は、集約レベル１に対応するＥＰＤＣＣＨ候補の数と集約レベル２に対応するＥＰＤＣＣＨ候補の数の両方を０として決定し、集約レベル４に対応するＥＰＤＣＣＨ候補の数と集約レベル８に対応するＥＰＤＣＣＨ候補の数の両方を２として決定するか、または、
局所マップ方式に対しては、決定モジュール３０は、集約レベル１に対応するＥＰＤＣＣＨ候補の数と集約レベル２に対応するＥＰＤＣＣＨ候補の数の両方を３として決定し、集約レベル４に対応するＥＰＤＣＣＨ候補の数と集約レベル８に対応するＥＰＤＣＣＨ候補の数の両方を１として決定し、分散マップ方式に対しては、決定モジュール３０は、集約レベル１に対応するＥＰＤＣＣＨ候補の数と集約レベル２に対応するＥＰＤＣＣＨ候補の数の両方を３として決定し、集約レベル４に対応するＥＰＤＣＣＨ候補の数と集約レベル８に対応するＥＰＤＣＣＨ候補の数の両方を１として決定するか、または、
局所マップ方式に対しては、決定モジュール３０は、集約レベル１に対応するＥＰＤＣＣＨ候補の数を６として決定し、集約レベル２に対応するＥＰＤＣＣＨ候補の数、集約レベル４に対応するＥＰＤＣＣＨ候補の数、および集約レベル８に対応するＥＰＤＣＣＨ候補の数を０として決定し、分散マップ方式に対しては、決定モジュール３０は、集約レベル１に対応するＥＰＤＣＣＨ候補の数を０として決定し、集約レベル２に対応するＥＰＤＣＣＨ候補の数を６として決定し、集約レベル４に対応するＥＰＤＣＣＨ候補の数と集約レベル８に対応するＥＰＤＣＣＨ候補の数の両方を２として決定することが好ましい。
【０２６４】
上述の実施形態では、分散マップ方式に対しては、決定モジュール３０は、集約レベル１６に対応するＥＰＤＣＣＨ候補の数を０と決定する。
【０２６５】
集約レベル１６を分散マッピングで考慮するとき、集約レベルが１６である場合、および、集約レベルが１である場合、決定モジュール３０は、局所マップ方式での集約レベル１６に対応するＥＰＤＣＣＨ候補の数、局所マップ方式での集約レベル１に対応するＥＰＤＣＣＨ候補の数、分散マップ方式での集約レベル１６に対応するＥＰＤＣＣＨ候補の数、および分散マップ方式での集約レベル１に対応するＥＰＤＣＣＨ候補の数の合計を６として決定するか、または、
集約レベルが１６である場合、および、集約レベルが２である場合、決定モジュール３０は、局所マップ方式での集約レベル１６に対応するＥＰＤＣＣＨ候補の数、局所マップ方式での集約レベル２に対応するＥＰＤＣＣＨ候補の数、分散マップ方式での集約レベル１６に対応するＥＰＤＣＣＨ候補の数、および分散マップ方式での集約レベル２に対応するＥＰＤＣＣＨ候補の数の合計を６として決定するか、または、
集約レベルが１６である場合、および、集約レベルが４である場合、決定モジュール３０は、局所マップ方式での集約レベル１６に対応するＥＰＤＣＣＨ候補の数、局所マップ方式での集約レベル４に対応するＥＰＤＣＣＨ候補の数、分散マップ方式での集約レベル１６に対応するＥＰＤＣＣＨ候補の数、および分散マップ方式での集約レベル４に対応するＥＰＤＣＣＨ候補の数の合計を２として決定するか、または、
集約レベルが１６である場合、および、集約レベルが８である場合、決定モジュール３０は、局所マップ方式での集約レベル１６に対応するＥＰＤＣＣＨ候補の数、局所マップ方式での集約レベル８に対応するＥＰＤＣＣＨ候補の数、分散マップ方式での集約レベル１６に対応するＥＰＤＣＣＨ候補の数、および分散マップ方式での集約レベル８に対応するＥＰＤＣＣＨ候補の数の合計を２として決定する。
【０２６６】
ＥＰＤＣＣＨ候補が最初に局所マップ方式に対して割り当てられるケースでは、局所マップ方式に対しては、決定モジュール３０は、集約レベル２に対応するＥＰＤＣＣＨ候補の数を６として決定し、集約レベル４に対応するＥＰＤＣＣＨ候補の数を２として決定し、集約レベル８に対応するＥＰＤＣＣＨ候補の数を２として決定し、分散マップ方式に対しては、決定モジュール３０は、６つのＥＰＤＣＣＨ候補を少なくとも１つの集約レベルに割り当てると決定するか、または、
局所マップ方式に対しては、決定モジュール３０は、集約レベル２に対応するＥＰＤＣＣＨ候補の数を６として決定し、集約レベル４に対応するＥＰＤＣＣＨ候補の数を６として決定し、集約レベル８に対応するＥＰＤＣＣＨ候補の数を２として決定し、分散マップ方式に対しては、決定モジュール３０は２つのＥＰＤＣＣＨ候補を少なくとも１つの集約レベルに割り当てると決定するか、または、
局所マップ方式に対しては、決定モジュール３０は、集約レベル１に対応するＥＰＤＣＣＨ候補の数を６として決定し、集約レベル２に対応するＥＰＤＣＣＨ候補の数を２として決定し、集約レベル４に対応するＥＰＤＣＣＨ候補の数を２として決定し、分散マップ方式に対しては、決定モジュール３０は、６つのＥＰＤＣＣＨ候補を少なくとも１つの集約レベルに割り当てると決定するか、または、
局所マップ方式に対しては、決定モジュール３０は、集約レベル１に対応するＥＰＤＣＣＨ候補の数を６として決定し、集約レベル２に対応するＥＰＤＣＣＨ候補の数を６として決定し、集約レベル４に対応するＥＰＤＣＣＨ候補の数を２として決定し、分散マップ方式に対しては、決定モジュール３０は２つのＥＰＤＣＣＨ候補を少なくとも１つの集約レベルに割り当てると決定する。
【０２６７】
別の実装方式では、ＥＰＤＣＣＨ集合を２つの集合に分割する必要はなく、その代わり、各ＥＰＤＣＣＨ集合の物理制御チャネル候補の数が選択される。当該実施形態では、決定モジュール３０は、物理制御チャネル集合の検出すべき集約レベルに対応する物理制御チャネル候補の数を決定するように構成される。
【０２６８】
物理制御チャネル集合が局所マップ方式であるとき、同一の集約レベルに対して、決定モジュール３０は、当該集約レベルに対応する物理制御チャネル候補の数を物理制御チャネル集合のＰＲＢの数に従って決定し、
物理制御チャネル集合が分散マップ方式であるとき、同一の集約レベルに対して、決定モジュール３０は、当該集約レベルに対応する物理制御チャネル候補の数を物理制御チャネル集合のＰＲＢの数に従って決定することが好ましい。
【０２６９】
一般に、物理制御チャネル集合が局所マップ方式であるとき、同一の集約レベルに対して、決定モジュール３０は、当該集約レベルに対応する物理制御チャネル候補の数を物理制御チャネル集合のＰＲＢの数に従って決定し、物理制御チャネル候補の数はＰＲＢの数に正比例し、物理制御チャネル集合が分散マップ方式であるとき、同一の集約レベルに対して、決定モジュール３０は、当該集約レベルに対応する物理制御チャネル候補の数を物理制御チャネル集合のＰＲＢの数に従って決定し、物理制御チャネル候補の数はＰＲＢの数に正比例する。
【０２７０】
上述の実施形態では、受信モジュール４０は、分散マップ方式に対応するＥＰＤＣＣＨ候補で、ＳＩ−ＲＮＴＩまたはＲＡ−ＲＮＴＩを用いてスクランブルされたダウンリンク制御情報を受信し、局所マップ方式に対応するＥＰＤＣＣＨ候補で、ＳＩ−ＲＮＴＩとＲＡ−ＲＮＴＩ以外の別のＲＮＴＩを用いてスクランブルされたダウンリンク制御情報を受信するように構成される。
【０２７１】
受信モジュール４０はさらに、局所マップ方式と分散マップ方式のうち１つに対応するＥＰＤＣＣＨ候補で、クロスキャリアスケジューリング命令を含むダウンリンク制御情報を受信し、他方の方式に対応するＥＰＤＣＣＨ候補で、当該クロスキャリアスケジューリング命令を含まないダウンリンク制御情報を受信するように構成される。
【０２７２】
受信モジュール４０はさらに、分散マップ方式に対応するＥＰＤＣＣＨ候補のＥＰＤＣＣＨを通じてダウンリンク制御情報をフォーマット０および／またはフォーマット１Ａで受信し、当該局所方式に対応するＥＰＤＣＣＨ候補のＥＰＤＣＣＨを通じてダウンリンク制御情報をフォーマット２Ｃで受信するように構成され、決定モジュール３０は、分散マップ方式に対応するブラインド検出が実施される回数を１６として決定し、局所マップ方式に対応するブラインド検出が実施される回数を１６として決定するように構成される。
【０２７３】
別の実施形態では、受信モジュール４０は、分散マップ方式に対応するＥＰＤＣＣＨ候補の設定値以上の集約レベルを有するＥＰＤＣＣＨを受信し、局所マップ方式に対応するＥＰＤＣＣＨ候補に関する設定値より小さい集約レベルを有するＥＰＤＣＣＨを受信するように構成される。
【０２７４】
図５は、本発明に従うネットワーク側装置の実施形態２の略構造図である。図５に示すように、本発明の当該実施形態で提供するネットワーク側装置１０００は、少なくとも１つのＣＰＵ１００１と、少なくとも１つのネットワーク・インタフェース１００４または別のユーザ・インタフェース１００３と、メモリ１００５と、および少なくとも１つの通信バス１００２とを備える。通信バス１００２は、機器間の接続通信を実現するように構成される。ネットワーク側装置１０００は、場合によっては、ユーザ・インタフェース１００３を備え、ディスプレイ、キーボードまたはクリック・デバイスを備える。メモリ１００５は、高速ＲＡＭメモリを備えてもよく、さらに、少なくとも１つのディスク・メモリのような不揮発性メモリ（ｎｏｎ−ｖｏｌａｔｉｌｅ  ｍｅｍｏｒｙ）を備えてもよい。メモリ１００５は場合によっては、上述のＣＰＵ１００１から離れて配置された少なくとも１つの記憶装置を備えてもよい。幾つかの実装方式では、メモリ１００５は、以下の要素、コード、モジュール、またはデータ構造、またはそのサブセット、またはその拡張セット、即ち、様々な基本サービスを実装しハードウェア・ベースのタスクを処理するために使用される、様々なプログラムを含むオペレーティング・システム２００６を格納する。
【０２７５】
選択プロセッサ１０１０は、送信サブフレームにおいて物理制御チャネル集合の検出すべき集約レベルを選択し、当該集約レベルに対応する物理制御チャネル候補の数を当該集約レベルに従って選択し、当該選択された数に対応する物理制御チャネル候補でダウンリンク制御情報を送信するように構成される。送信器１０２０は、当該選択された数に対応する物理制御チャネル候補でダウンリンク制御情報を送信するように構成される。
【０２７６】
選択プロセッサ１０１０は特に、物理制御チャネルに利用可能な物理制御チャネル集合のＰＲＢペアにおけるＲＥの数が閾値Ｘより小さいとき、物理制御チャネル集合の最小の検出すべき集約レベルを２と選択し、物理制御チャネル集合のＰＲＢペアに含まれるＲＥの数が閾値Ｘ以上であるとき、物理制御チャネル集合の最小の検出すべき集約レベルを１と選択するか、または、
当該送信サブフレーム・タイプが、正常ＣＰ長を有する正常サブフレームまたは３、４、もしくは８として構成された特殊サブフレームであり、物理制御チャネルに対して利用可能な１つのＰＲＢペアの中のＲＥの数がＸより小さいとき、物理制御チャネル集合の最小の検出すべき集約レベルを２と選択するか、または、そうでなければ、上述の条件以外の別のタイプのサブフレームに対して、物理制御チャネル集合の最小の検出すべき集約レベルを１と選択する
ように構成されることが好ましい。
【０２７７】
選択プロセッサ１０１０は特に、物理制御チャネル集合を２つの集合に分割し、局所マップ方式と分散マップ方式における各集約レベルに対応するＥＰＤＣＣＨ候補の数をそれぞれ選択するように構成されることが好ましい。一方の集合は物理制御チャネルの局所マップ方式に対応し、他方の集合は当該物理制御チャネルの分散マップ方式に対応する。
【０２７８】
当該送信サブフレームが正常サブフレームであるかまたは３、４、もしくは８として構成された特殊サブフレームであり、１つのＰＲＢペアの中の、ＥＰＤＣＣＨを運搬するために使用されるＲＥの数が閾値、即ち、１０より小さいとき、集約レベルが２である場合、選択プロセッサ１０１０は、局所マップ方式に対応するＥＰＤＣＣＨ候補の数と分散マップ方式に対応するＥＰＤＣＣＨ候補の数の合計を６として選択し、
集約レベルが４である場合、選択プロセッサ１０１０は、局所マップ方式に対応するＥＰＤＣＣＨ候補の数と分散マップ方式に対応するＥＰＤＣＣＨ候補の数の合計を６として選択し、
集約レベルが８である場合、選択プロセッサ１０１０は、局所マップ方式に対応するＥＰＤＣＣＨ候補の数と分散マップ方式に対応するＥＰＤＣＣＨ候補の数の合計を２として選択し、
集約レベルが１６である場合、選択プロセッサ１０１０は、局所マップ方式に対応するＥＰＤＣＣＨ候補の数と分散マップ方式に対応するＥＰＤＣＣＨ候補の数の合計を２として選択する
ことが好ましい。
【０２７９】
上述の実施形態では、分散マップ方式に対しては、選択プロセッサ１０１０は、集約レベル３２に対応するＥＰＤＣＣＨ候補の数を０として選択する。
【０２８０】
集約レベル３２を分散マッピングで考慮するとき、集約レベルが３２である場合、および、集約レベルが２である場合、選択プロセッサ１０１０は、局所マップ方式での集約レベル２に対応するＥＰＤＣＣＨ候補の数、分散マップ方式での集約レベル３２に対応するＥＰＤＣＣＨ候補の数、および分散マップ方式での集約レベル２に対応するＥＰＤＣＣＨ候補の数の合計を６として選択するか、または、
集約レベルが３２である場合、および、集約レベルが４である場合、選択プロセッサ１０１０は、局所マップ方式での集約レベル４に対応するＥＰＤＣＣＨ候補の数、分散マップ方式での集約レベル３２に対応するＥＰＤＣＣＨ候補の数、および分散マップ方式での集約レベル２に対応するＥＰＤＣＣＨ候補の数の合計を６として選択するか、または、
集約レベルが３２である場合、および、集約レベルが８である場合、選択プロセッサ１０１０は、局所マップ方式での集約レベル８に対応するＥＰＤＣＣＨ候補の数、分散マップ方式での集約レベル３２に対応するＥＰＤＣＣＨ候補の数、および分散マップ方式での集約レベル８に対応するＥＰＤＣＣＨ候補の数の合計を２として選択するか、または、
集約レベルが３２である場合、および、集約レベルが１６である場合、選択プロセッサ１０１０は、局所マップ方式での集約レベル１６に対応するＥＰＤＣＣＨ候補の数、分散マップ方式での集約レベル３２に対応するＥＰＤＣＣＨ候補の数、および分散マップ方式での集約レベル１６に対応するＥＰＤＣＣＨ候補の数の合計を２として選択する。
【０２８１】
当該送信サブフレームが正常サブフレームまたは３、４、もしくは８として構成された特殊サブフレーム以外の別のサブフレームであり、１つのＰＲＢペアの中の、ＥＰＤＣＣＨを運搬するために使用されるＲＥの数が閾値、即ち、１０以上であるとき、集約レベルが１である場合、選択プロセッサ１０１０は、局所マップ方式に対応するＥＰＤＣＣＨ候補の数と分散マップ方式に対応するＥＰＤＣＣＨ候補の数の合計を６として選択し、
集約レベルが２である場合、選択プロセッサ１０１０は、局所マップ方式に対応するＥＰＤＣＣＨ候補の数と分散マップ方式に対応するＥＰＤＣＣＨ候補の数の合計を６として選択し、
集約レベルが４である場合、選択プロセッサ１０１０は、局所マップ方式に対応するＥＰＤＣＣＨ候補の数と分散マップ方式に対応するＥＰＤＣＣＨ候補の数の合計を２として選択し、
集約レベルが８である場合、選択プロセッサ１０１０は、局所マップ方式に対応するＥＰＤＣＣＨ候補の数と分散マップ方式に対応するＥＰＤＣＣＨ候補の数の合計を２として選択する
ことが好ましい。
【０２８２】
局所マップ方式に対しては、選択プロセッサ１０１０は、集約レベル１に対応するＥＰＤＣＣＨ候補の数と集約レベル２に対応するＥＰＤＣＣＨ候補の数の両方を６として選択し、集約レベル４に対応するＥＰＤＣＣＨ候補の数と集約レベル８に対応するＥＰＤＣＣＨ候補の数の両方を０として選択し、分散マップ方式に対しては、選択プロセッサ１０１０は、集約レベル１に対応するＥＰＤＣＣＨ候補の数と集約レベル２に対応するＥＰＤＣＣＨ候補の数の両方を０として選択し、集約レベル４に対応するＥＰＤＣＣＨ候補の数と集約レベル８に対応するＥＰＤＣＣＨ候補の数の両方を２として選択するか、または、
局所マップ方式に対しては、選択プロセッサ１０１０は、集約レベル１に対応するＥＰＤＣＣＨ候補の数と集約レベル２に対応するＥＰＤＣＣＨ候補の数の両方を３として選択し、集約レベル４に対応するＥＰＤＣＣＨ候補の数と集約レベル８に対応するＥＰＤＣＣＨ候補の数の両方を１として選択し、分散マップ方式に対しては、選択プロセッサ１０１０は、集約レベル１に対応するＥＰＤＣＣＨ候補の数と集約レベル２に対応するＥＰＤＣＣＨ候補の数の両方を３として選択し、集約レベル４に対応するＥＰＤＣＣＨ候補の数と集約レベル８に対応するＥＰＤＣＣＨ候補の数の両方を１として選択するか、または、
局所マップ方式に対しては、選択プロセッサ１０１０は、集約レベル１に対応するＥＰＤＣＣＨ候補の数を６として選択し、集約レベル２に対応するＥＰＤＣＣＨ候補の数、集約レベル４に対応するＥＰＤＣＣＨ候補の数、および集約レベル８に対応するＥＰＤＣＣＨ候補の数を０として選択し、分散マップ方式に対しては、選択プロセッサ１０１０は、集約レベル１に対応するＥＰＤＣＣＨ候補の数を０として選択し、集約レベル２に対応するＥＰＤＣＣＨ候補の数を６として選択し、集約レベル４に対応するＥＰＤＣＣＨ候補の数と集約レベル８に対応するＥＰＤＣＣＨ候補の数の両方を２として選択することが好ましい。
【０２８３】
上述の実施形態では、分散マップ方式に対しては、選択プロセッサ１０１０は、集約レベル１６に対応するＥＰＤＣＣＨ候補の数を０として選択する。
【０２８４】
集約レベル１６を分散マッピングで考慮するとき、集約レベルが１６である場合、および、集約レベルが１である場合、選択プロセッサ１０１０は、局所マップ方式での集約レベル１６に対応するＥＰＤＣＣＨ候補の数、局所マップ方式での集約レベル１に対応するＥＰＤＣＣＨ候補の数、分散マップ方式での集約レベル１６に対応するＥＰＤＣＣＨ候補の数、および分散マップ方式での集約レベル１に対応するＥＰＤＣＣＨ候補の数の合計を６として選択するか、または、
集約レベルが１６である場合、および、集約レベルが２である場合、選択プロセッサ１０１０は、局所マップ方式での集約レベル１６に対応するＥＰＤＣＣＨ候補の数、局所マップ方式での集約レベル２に対応するＥＰＤＣＣＨ候補の数、分散マップ方式での集約レベル１６に対応するＥＰＤＣＣＨ候補の数、および分散マップ方式での集約レベル２に対応するＥＰＤＣＣＨ候補の数の合計を６として選択するか、または、
集約レベルが１６である場合、および、集約レベルが４である場合、選択プロセッサ１０１０は、局所マップ方式での集約レベル１６に対応するＥＰＤＣＣＨ候補の数、局所マップ方式での集約レベル４に対応するＥＰＤＣＣＨ候補の数、分散マップ方式での集約レベル１６に対応するＥＰＤＣＣＨ候補の数、および分散マップ方式での集約レベル４に対応するＥＰＤＣＣＨ候補の数の合計を２として選択するか、または、
集約レベルが１６である場合、および、集約レベルが８である場合、選択プロセッサ１０１０は、局所マップ方式での集約レベル１６に対応するＥＰＤＣＣＨ候補の数、局所マップ方式での集約レベル８に対応するＥＰＤＣＣＨ候補の数、分散マップ方式での集約レベル１６に対応するＥＰＤＣＣＨ候補の数、および分散マップ方式での集約レベル８に対応するＥＰＤＣＣＨ候補の数の合計を２として選択する。
【０２８５】
ＥＰＤＣＣＨ候補が最初に局所マップ方式に対して割り当てられるケースでは、局所マップ方式に対しては、選択プロセッサ１０１０は、集約レベル２に対応するＥＰＤＣＣＨ候補の数を６として選択し、集約レベル４に対応するＥＰＤＣＣＨ候補の数を２として選択し、集約レベル８に対応するＥＰＤＣＣＨ候補の数を２として選択し、分散マップ方式に対しては、選択プロセッサ１０１０は、６つのＥＰＤＣＣＨ候補を少なくとも１つの集約レベルに割り当てることを選択するか、または、
局所マップ方式に対しては、選択プロセッサ１０１０は、集約レベル２に対応するＥＰＤＣＣＨ候補の数を６として選択し、集約レベル４に対応するＥＰＤＣＣＨ候補の数を６として選択し、集約レベル８に対応するＥＰＤＣＣＨ候補の数を２として選択し、分散マップ方式に対しては、選択プロセッサ１０１０は、２つのＥＰＤＣＣＨ候補を少なくとも１つの集約レベルに割り当てることを選択するか、または、
局所マップ方式に対しては、選択プロセッサ１０１０は、集約レベル１に対応するＥＰＤＣＣＨ候補の数を６として選択し、集約レベル２に対応するＥＰＤＣＣＨ候補の数を２として選択し、集約レベル４に対応するＥＰＤＣＣＨ候補の数を２として選択し、分散マップ方式に対しては、選択プロセッサ１０１０は、６つのＥＰＤＣＣＨ候補を少なくとも１つの集約レベルに割り当てることを選択するか、または、
局所マップ方式に対しては、選択プロセッサ１０１０は、集約レベル１に対応するＥＰＤＣＣＨ候補の数を６として選択し、集約レベル２に対応するＥＰＤＣＣＨ候補の数を６として選択し、集約レベル４に対応するＥＰＤＣＣＨ候補の数を２として選択し、分散マップ方式に対しては、選択プロセッサ１０１０は、２つのＥＰＤＣＣＨ候補を少なくとも１つの集約レベルに割り当てることを選択する。
【０２８６】
別の実装方式では、ＥＰＤＣＣＨ集合を２つの集合に分割する必要はなく、その代わり、各ＥＰＤＣＣＨ集合の物理制御チャネル候補の数が選択される。当該実施形態では、選択プロセッサ１０１０は、物理制御チャネル集合の検出すべき集約レベルに対応する物理制御チャネル候補の数を選択するように構成される。
【０２８７】
物理制御チャネル集合が局所マップ方式であるとき、同一の集約レベルに対して、選択プロセッサ１０１０は、当該集約レベルに対応する物理制御チャネル候補の数を物理制御チャネル集合のＰＲＢの数に従って選択し、
物理制御チャネル集合が分散マップ方式であるとき、同一の集約レベルに対して、選択プロセッサ１０１０は、当該集約レベルに対応する物理制御チャネル候補の数を物理制御チャネル集合のＰＲＢの数に従って選択することが好ましい。
【０２８８】
一般に、物理制御チャネル集合が局所マップ方式であるとき、同一の集約レベルに対して、選択プロセッサ１０１０は、当該集約レベルに対応する物理制御チャネル候補の数を物理制御チャネル集合のＰＲＢの数に従って選択し、物理制御チャネル候補の数はＰＲＢの数に正比例し、物理制御チャネル集合が分散マップ方式であるとき、同一の集約レベルに対して、選択プロセッサ１０１０は、当該集約レベルに対応する物理制御チャネル候補の数を物理制御チャネル集合のＰＲＢの数に従って選択し、物理制御チャネル候補の数はＰＲＢの数に正比例する。
【０２８９】
上述の実施形態では、送信器１０２０は、分散マップ方式に対応するＥＰＤＣＣＨ候補で、ＳＩ−ＲＮＴＩまたはＲＡ−ＲＮＴＩを用いてスクランブルされたダウンリンク制御情報を送信し、局所マップ方式に対応するＥＰＤＣＣＨ候補で、ＳＩ−ＲＮＴＩとＲＡ−ＲＮＴＩ以外の別のＲＮＴＩを用いてスクランブルされたダウンリンク制御情報を送信するように構成される。
【０２９０】
送信器１０２０はさらに、局所マップ方式と分散マップ方式のうち１つに対応するＥＰＤＣＣＨ候補で、クロスキャリアスケジューリング命令を含むダウンリンク制御情報を送信し、他方の方式に対応するＥＰＤＣＣＨ候補で、当該クロスキャリアスケジューリング命令を含まないダウンリンク制御情報を送信するように構成される。
【０２９１】
送信器１０２０はさらに、分散マップ方式に対応するＥＰＤＣＣＨ候補のＥＰＤＣＣＨを通じてダウンリンク制御情報をフォーマット０および／またはフォーマット１Ａで送信し、当該局所方式に対応するＥＰＤＣＣＨ候補のＥＰＤＣＣＨを通じてダウンリンク制御情報をフォーマット２Ｃで送信するように構成され、選択プロセッサ１０１０はさらに、分散マップ方式に対応するブラインド検出が実施される回数を１６として選択し、局所マップ方式に対応するブラインド検出が実施される回数を１６として選択するように構成される。
【０２９２】
別の実施形態では、送信器１０２０は、分散マップ方式に対応するＥＰＤＣＣＨ候補の設定値以上の集約レベルを有するＥＰＤＣＣＨを送信し、局所マップ方式に対応するＥＰＤＣＣＨ候補に関する設定値より小さい集約レベルを有するＥＰＤＣＣＨを送信するように構成される。
【０２９３】
図６は、本発明に従うユーザ機器の実施形態２の略構造図である。図６に示すように、本発明の当該実施形態で提供するユーザ機器２０００は、少なくとも１つのＣＰＵ２００１と、少なくとも１つのネットワーク・インタフェース２００４または別のユーザ・インタフェース２００３と、メモリ２００５と、少なくとも１つの通信バス２００２とを備える。通信バス２００２は、機器間の接続通信を実現するように構成される。ユーザ機器２０００は、場合によっては、ユーザ・インタフェース２００３を備え、ディスプレイ、キーボードまたはクリック・デバイスを備える。メモリ２００５は、高速ＲＡＭメモリを備えてもよく、さらに、少なくとも１つのディスク・メモリのような不揮発性メモリ（ｎｏｎ−ｖｏｌａｔｉｌｅ  ｍｅｍｏｒｙ）を備えてもよい。メモリ２００５は場合によっては、上述のＣＰＵ２００１から離れて配置された少なくとも１つの記憶装置を備えてもよい。幾つかの実装方式では、メモリ２００５は、以下の要素、コード、モジュール、またはデータ構造、またはそのサブセット、またはその拡張セット、即ち、様々な基本サービスを実装しハードウェア・ベースのタスクを処理するために使用される、様々なプログラムを含むオペレーティング・システム２００６を格納する。
【０２９４】
決定プロセッサ２０３０は、送信サブフレームにおいて物理制御チャネル集合の検出すべき集約レベルを決定し、当該集約レベルに対応する物理制御チャネル候補の数を当該集約レベルに従って決定するように構成される。受信器２０４０は、当該決定された数に対応する物理制御チャネル候補でダウンリンク制御情報を受信するように構成される。
【０２９５】
決定プロセッサ２０３０は、物理制御チャネルに利用可能な物理制御チャネル集合のＰＲＢペアにおけるＲＥの数が閾値Ｘより小さいとき、物理制御チャネル集合の最小の検出すべき集約レベルを２と決定し、物理制御チャネル集合のＰＲＢペアに含まれるＲＥの数が閾値Ｘ以上であるとき、物理制御チャネル集合の最小の検出すべき集約レベルを１と決定するか、または、
当該送信サブフレーム・タイプが、正常ＣＰ長を有する正常サブフレームまたは３、４、もしくは８として構成された特殊サブフレームであり、物理制御チャネルに対して利用可能な１つのＰＲＢペアの中のＲＥの数がＸより小さいとき、物理制御チャネル集合の最小の検出すべき集約レベルを２と決定するか、または、そうでなければ、上述の条件以外の別のタイプのサブフレームに対して、物理制御チャネル集合の最小の検出すべき集約レベルを１と決定する
ように構成されることが好ましい。
【０２９６】
決定プロセッサ２０３０は、物理制御チャネル集合を２つの集合に分割し、局所マップ方式と分散マップ方式における各集約レベルに対応するＥＰＤＣＣＨ候補の数をそれぞれ決定するように構成されることが好ましい。一方の集合は当該物理制御チャネルの局所マップ方式に対応し、他方の集合は当該物理制御チャネルの分散マップ方式に対応する。
【０２９７】
当該送信サブフレームが正常サブフレームであるかまたは３、４、もしくは８として構成された特殊サブフレームであり、１つのＰＲＢペアの中の、ＥＰＤＣＣＨを運搬するために使用されるＲＥの数が閾値、即ち、１０より小さいとき、集約レベルが２である場合、決定プロセッサ２０３０は、局所マップ方式に対応するＥＰＤＣＣＨ候補の数と分散マップ方式に対応するＥＰＤＣＣＨ候補の数の合計を６として決定し、
集約レベルが４である場合、決定プロセッサ２０３０は、局所マップ方式に対応するＥＰＤＣＣＨ候補の数と分散マップ方式に対応するＥＰＤＣＣＨ候補の数の合計を６として決定し、
集約レベルが８である場合、決定プロセッサ２０３０は、局所マップ方式に対応するＥＰＤＣＣＨ候補の数と分散マップ方式に対応するＥＰＤＣＣＨ候補の数の合計を２として決定し、
集約レベルが１６である場合、決定プロセッサ２０３０は、局所マップ方式に対応するＥＰＤＣＣＨ候補の数と分散マップ方式に対応するＥＰＤＣＣＨ候補の数の合計を２として決定する
ことが好ましい。
【０２９８】
上述の実施形態では、分散マップ方式に対しては、決定プロセッサ２０３０は、集約レベル３２に対応するＥＰＤＣＣＨ候補の数を０として決定する。
【０２９９】
集約レベル３２を分散マッピングで考慮するとき、集約レベルが３２である場合、および、集約レベルが２である場合、決定プロセッサ２０３０は、局所マップ方式での集約レベル２に対応するＥＰＤＣＣＨ候補の数、分散マップ方式での集約レベル３２に対応するＥＰＤＣＣＨ候補の数、および分散マップ方式での集約レベル２に対応するＥＰＤＣＣＨ候補の数の合計を６として決定するか、または、
集約レベルが３２である場合、および、集約レベルが４である場合、決定プロセッサ２０３０は、局所マップ方式での集約レベル４に対応するＥＰＤＣＣＨ候補の数、分散マップ方式での集約レベル３２に対応するＥＰＤＣＣＨ候補の数、および分散マップ方式での集約レベル２に対応するＥＰＤＣＣＨ候補の数の合計を６として決定するか、または、
集約レベルが３２である場合、および、集約レベルが８である場合、決定プロセッサ２０３０は、局所マップ方式での集約レベル８に対応するＥＰＤＣＣＨ候補の数、分散マップ方式での集約レベル３２に対応するＥＰＤＣＣＨ候補の数、および分散マップ方式での集約レベル８に対応するＥＰＤＣＣＨ候補の数の合計を２として決定するか、または、
集約レベルが３２である場合、および、集約レベルが１６である場合、決定プロセッサ２０３０は、局所マップ方式での集約レベル１６に対応するＥＰＤＣＣＨ候補の数、分散マップ方式での集約レベル３２に対応するＥＰＤＣＣＨ候補の数、および分散マップ方式での集約レベル１６に対応するＥＰＤＣＣＨ候補の数の合計を２として決定する。
【０３００】
当該送信サブフレームが正常サブフレームまたは３、４、もしくは８として構成された特殊サブフレーム以外の別のサブフレームであり、１つのＰＲＢペアの中の、ＥＰＤＣＣＨを運搬するために使用されるＲＥの数が閾値、即ち、１０以上であるとき、集約レベルが１である場合、決定プロセッサ２０３０は、局所マップ方式に対応するＥＰＤＣＣＨ候補の数と分散マップ方式に対応するＥＰＤＣＣＨ候補の数の合計を６として決定し、
集約レベルが２である場合、決定プロセッサ２０３０は、局所マップ方式に対応するＥＰＤＣＣＨ候補の数と分散マップ方式に対応するＥＰＤＣＣＨ候補の数の合計を６として決定し、
集約レベルが４である場合、決定プロセッサ２０３０は、局所マップ方式に対応するＥＰＤＣＣＨ候補の数と分散マップ方式に対応するＥＰＤＣＣＨ候補の数の合計を２として決定し、
集約レベルが８である場合、決定プロセッサ２０３０は、局所マップ方式に対応するＥＰＤＣＣＨ候補の数と分散マップ方式に対応するＥＰＤＣＣＨ候補の数の合計を２として決定する
ことが好ましい。
【０３０１】
局所マップ方式に対しては、決定プロセッサ２０３０は、集約レベル１に対応するＥＰＤＣＣＨ候補の数と集約レベル２に対応するＥＰＤＣＣＨ候補の数の両方を６として決定し、集約レベル４に対応するＥＰＤＣＣＨ候補の数と集約レベル８に対応するＥＰＤＣＣＨ候補の数の両方を０として決定し、分散マップ方式に対しては、決定プロセッサ２０３０は、集約レベル１に対応するＥＰＤＣＣＨ候補の数と集約レベル２に対応するＥＰＤＣＣＨ候補の数の両方を０として決定し、集約レベル４に対応するＥＰＤＣＣＨ候補の数と集約レベル８に対応するＥＰＤＣＣＨ候補の数の両方を２として決定するか、または、
局所マップ方式に対しては、決定プロセッサ２０３０は、集約レベル１に対応するＥＰＤＣＣＨ候補の数と集約レベル２に対応するＥＰＤＣＣＨ候補の数の両方を３として決定し、集約レベル４に対応するＥＰＤＣＣＨ候補の数と集約レベル８に対応するＥＰＤＣＣＨ候補の数の両方を１として決定し、分散マップ方式に対しては、決定プロセッサ２０３０は、集約レベル１に対応するＥＰＤＣＣＨ候補の数と集約レベル２に対応するＥＰＤＣＣＨ候補の数の両方を３として決定し、集約レベル４に対応するＥＰＤＣＣＨ候補の数と集約レベル８に対応するＥＰＤＣＣＨ候補の数の両方を１として決定するか、または、
局所マップ方式に対しては、決定プロセッサ２０３０は、集約レベル１に対応するＥＰＤＣＣＨ候補の数を６として決定し、集約レベル２に対応するＥＰＤＣＣＨ候補の数、集約レベル４に対応するＥＰＤＣＣＨ候補の数、および集約レベル８に対応するＥＰＤＣＣＨ候補の数を０として決定し、分散マップ方式に対しては、決定プロセッサ２０３０は、集約レベル１に対応するＥＰＤＣＣＨ候補の数を０として決定し、集約レベル２に対応するＥＰＤＣＣＨ候補の数を６として決定し、集約レベル４に対応するＥＰＤＣＣＨ候補の数と集約レベル８に対応するＥＰＤＣＣＨ候補の数の両方を２として決定することが好ましい。
【０３０２】
上述の実施形態では、分散マップ方式に対しては、決定プロセッサ２０３０は、集約レベル１６に対応するＥＰＤＣＣＨ候補の数を０として決定する。
【０３０３】
集約レベル１６を分散マッピングで考慮するとき、集約レベルが１６である場合、および、集約レベルが１である場合、決定プロセッサ２０３０は、局所マップ方式での集約レベル１６に対応するＥＰＤＣＣＨ候補の数、局所マップ方式での集約レベル１に対応するＥＰＤＣＣＨ候補の数、分散マップ方式での集約レベル１６に対応するＥＰＤＣＣＨ候補の数、および分散マップ方式での集約レベル１に対応するＥＰＤＣＣＨ候補の数の合計を６として決定するか、または、
集約レベルが１６である場合、および、集約レベルが２である場合、決定プロセッサ２０３０は、局所マップ方式での集約レベル１６に対応するＥＰＤＣＣＨ候補の数、局所マップ方式での集約レベル２に対応するＥＰＤＣＣＨ候補の数、分散マップ方式での集約レベル１６に対応するＥＰＤＣＣＨ候補の数、および分散マップ方式での集約レベル２に対応するＥＰＤＣＣＨ候補の数の合計を６として決定するか、または、
集約レベルが１６である場合、および、集約レベルが４である場合、決定プロセッサ２０３０は、局所マップ方式での集約レベル１６に対応するＥＰＤＣＣＨ候補の数、局所マップ方式での集約レベル４に対応するＥＰＤＣＣＨ候補の数、分散マップ方式での集約レベル１６に対応するＥＰＤＣＣＨ候補の数、および分散マップ方式での集約レベル４に対応するＥＰＤＣＣＨ候補の数の合計を２として決定するか、または、
集約レベルが１６である場合、および、集約レベルが８である場合、決定プロセッサ２０３０は、局所マップ方式での集約レベル１６に対応するＥＰＤＣＣＨ候補の数、局所マップ方式での集約レベル８に対応するＥＰＤＣＣＨ候補の数、分散マップ方式での集約レベル１６に対応するＥＰＤＣＣＨ候補の数、および分散マップ方式での集約レベル８に対応するＥＰＤＣＣＨ候補の数の合計を２として決定する。
【０３０４】
ＥＰＤＣＣＨ候補が最初に局所マップ方式に対して割り当てられるケースでは、局所マップ方式に対しては、決定プロセッサ２０３０は、集約レベル２に対応するＥＰＤＣＣＨ候補の数を６として決定し、集約レベル４に対応するＥＰＤＣＣＨ候補の数を２として決定し、集約レベル８に対応するＥＰＤＣＣＨ候補の数を２として決定し、分散マップ方式に対しては、決定プロセッサ２０３０は、６つのＥＰＤＣＣＨ候補を少なくとも１つの集約レベルに割り当てると決定するか、または、
局所マップ方式に対しては、決定プロセッサ２０３０は、集約レベル２に対応するＥＰＤＣＣＨ候補の数を６として決定し、集約レベル４に対応するＥＰＤＣＣＨ候補の数を６として決定し、集約レベル８に対応するＥＰＤＣＣＨ候補の数を２として決定し、分散マップ方式に対しては、決定プロセッサ２０３０は２つのＥＰＤＣＣＨ候補を少なくとも１つの集約レベルに割り当てると決定するか、または、
局所マップ方式に対しては、決定プロセッサ２０３０は、集約レベル１に対応するＥＰＤＣＣＨ候補の数を６として決定し、集約レベル２に対応するＥＰＤＣＣＨ候補の数を２として決定し、集約レベル４に対応するＥＰＤＣＣＨ候補の数を２として決定し、分散マップ方式に対しては、決定プロセッサ２０３０は、６つのＥＰＤＣＣＨ候補を少なくとも１つの集約レベルに割り当てると決定するか、または、
局所マップ方式に対しては、決定プロセッサ２０３０は、集約レベル１に対応するＥＰＤＣＣＨ候補の数を６として決定し、集約レベル２に対応するＥＰＤＣＣＨ候補の数を６として決定し、集約レベル４に対応するＥＰＤＣＣＨ候補の数を２として決定し、分散マップ方式に対しては、決定プロセッサ２０３０は２つのＥＰＤＣＣＨ候補を少なくとも１つの集約レベルに割り当てると決定する。
【０３０５】
別の実装方式では、ＥＰＤＣＣＨ集合を２つの集合に分割する必要はなく、その代わり、各ＥＰＤＣＣＨ集合の物理制御チャネル候補の数が選択される。当該実施形態では、決定プロセッサ２０３０は、物理制御チャネル集合の検出すべき集約レベルに対応する物理制御チャネル候補の数を決定するように構成される。
【０３０６】
物理制御チャネル集合が局所マップ方式であるとき、同一の集約レベルに対して、決定プロセッサ２０３０は、当該集約レベルに対応する物理制御チャネル候補の数を物理制御チャネル集合のＰＲＢの数に従って決定することが好ましい。
【０３０７】
物理制御チャネル集合が分散マップ方式であるとき、同一の集約レベルに対して、決定プロセッサ２０３０は、当該集約レベルに対応する物理制御チャネル候補の数を物理制御チャネル集合のＰＲＢの数に従って決定する。
【０３０８】
一般に、物理制御チャネル集合が局所マップ方式であるとき、同一の集約レベルに対して、決定プロセッサ２０３０は、当該集約レベルに対応する物理制御チャネル候補の数を物理制御チャネル集合のＰＲＢの数に従って決定する。物理制御チャネル候補の数はＰＲＢの数に正比例する。物理制御チャネル集合が分散マップ方式であるとき、同一の集約レベルに対して、決定プロセッサ２０３０は、当該集約レベルに対応する物理制御チャネル候補の数を当該物理制御チャネル集合のＰＲＢの数に従って決定する。物理制御チャネル候補の数はＰＲＢの数に正比例する。
【０３０９】
上述の実施形態では、受信器２０４０は、分散マップ方式に対応するＥＰＤＣＣＨ候補で、ＳＩ−ＲＮＴＩまたはＲＡ−ＲＮＴＩを用いてスクランブルされたダウンリンク制御情報を受信し、局所マップ方式に対応するＥＰＤＣＣＨ候補で、ＳＩ−ＲＮＴＩとＲＡ−ＲＮＴＩ以外の別のＲＮＴＩを用いてスクランブルされたダウンリンク制御情報を受信するように構成される。
【０３１０】
受信器２０４０はさらに、局所マップ方式と分散マップ方式のうち１つに対応するＥＰＤＣＣＨ候補で、クロスキャリアスケジューリング命令を含むダウンリンク制御情報を受信し、他方の方式に対応するＥＰＤＣＣＨ候補で、当該クロスキャリアスケジューリング命令を含まないダウンリンク制御情報を受信するように構成される。
【０３１１】
受信器２０４０はさらに、分散マップ方式に対応するＥＰＤＣＣＨ候補のＥＰＤＣＣＨを通じてダウンリンク制御情報をフォーマット０および／またはフォーマット１Ａで受信し、当該局所方式に対応するＥＰＤＣＣＨ候補のＥＰＤＣＣＨを通じてダウンリンク制御情報をフォーマット２Ｃで受信するように構成される。
【０３１２】
決定プロセッサ２０３０は、分散マップ方式に対応するブラインド検出が実施される回数を１６として決定し、局所マップ方式に対応するブラインド検出が実施される回数を１６として決定するように構成される。
【０３１３】
別の実施形態では、受信器２０４０は、分散マップ方式に対応するＥＰＤＣＣＨ候補の設定値以上の集約レベルを有するＥＰＤＣＣＨを受信し、局所マップ方式に対応するＥＰＤＣＣＨ候補に関する設定値より小さい集約レベルを有するＥＰＤＣＣＨを受信するように構成される。
【０３１４】
以上の方法の実施形態のステップの全部または一部を、関連するハードウェアに指示するプログラムにより実装してもよいことは当業者には理解される。当該プログラムをコンピュータ可読記憶媒体に格納してもよい。当該プログラムを実行すると、上述の方法の実施形態のステップが実施される。上述の記憶媒体には、ＲＯＭ、ＲＡＭ、磁気ディスク、または光ディスクのようなプログラム・コードを格納できる様々な媒体が含まれる。
【０３１５】
最後に、以上の諸実施形態は本発明の技術的解決策を説明するためのものにすぎず本発明を限定しようとするものではないことに留意されたい。本発明を上述の諸実施形態を参照して詳細に説明したが、依然として、本発明の実施形態の技術的解決策の趣旨と範囲から逸脱せずに、以上の諸実施形態で説明した技術的解決策に修正を加え、または、その技術的特徴の一部もしくは全部に均等な置換えを行ってもよいことは当業者には理解される。
【符号の説明】
【０３１６】
１０  選択モジュール
２０  送信モジュール
３０  決定モジュール
４０  受信モジュール
１００３  ユーザ・インタフェース
１００４  ネットワーク・インタフェース
１００５  メモリ
１００６  オペレーティング・システム
１０１０  選択プロセッサ
１０２０  送信器
２００３  ユーザ・インタフェース
２００４  ネットワーク・インタフェース
２００５  メモリ
２００６  オペレーティング・システム
２０３０  決定プロセッサ
２０４０  受信器
【図１】
2015532069.tif 000021
【図２】
2015532069.tif 000022
【図３】
2015532069.tif 000023
【図４】
2015532069.tif 000024
【図５】
2015532069.tif 000025
【図６】
2015532069.tif 000026
【手続補正書】
【提出日】平成27年4月30日(2015.4.30)
【手続補正１】
【補正対象書類名】明細書
【補正対象項目名】０００２
【補正方法】変更
【補正の内容】
【０００２】
ＬＴＥシステムでは、物理ダウンリンク制御チャネル（Ｐｈｙｓｉｃａｌ  Ｄｏｗｎｌｉｎｋ  Ｃｏｎｔｒｏｌ  Ｃｈａｎｎｅｌ、以降、簡単のためＰＤＣＣＨと称する）の制御領域は、論理分割を通じて得られた制御チャネル要素（Ｃｏｎｔｒｏｌ  Ｃｈａｎｎｅｌ  Ｅｌｅｍｅｎｔ、以降、簡単のためＣＣＥと称する）により形成される。この場合、ＣＣＥのリソース要素（ＲｅｓｏｕｒｃｅＥｌｅｍｅｎｔ、以降、簡単のためＲＥと称する）へのマッピングでは、完全なインターリーブ方式が採用されている。ダウンリンク制御情報（Ｄｏｗｎｌｉｎｋ  Ｃｏｎｔｒｏｌ  Ｉｎｆｏｒｍａｔｉｏｎ、以降、簡単のためＤＣＩと称する）の送信もＣＣＥのユニットに基づく。１つのユーザ機器（Ｕｓｅｒ  Ｅｑｕｉｐｍｅｎｔ、以降、簡単のためＵＥと称する）に対する１つのＤＣＩが、Ｎ個の連続するＣＣＥで送信されることがある。ＬＴＥシステムでのＮの可能な値は１、２、４、および８であり、これらはＣＣＥの集約レベルと呼ばれる。ＵＥは制御領域においてＰＤＣＣＨに対してブラインド検出を行い、ＵＥに送信されたＰＤＣＣＨが存在するかどうかを判定するために検索を行う。ブラインド検出とは、ＵＥの無線ネットワーク一時識別子（Ｒａｄｉｏ  Ｎｅｔｗｏｒｋ  Ｔｅｍｐｏｒａｒｙ  Ｉｄｅｎｔｉｔｙ、以降、簡単のためＲＮＴＩと称する）を用いることで異なるＤＣＩフォーマットとＣＣＥ集約レベルで復号化を試み、復号化が正確であった場合には、当該ＵＥに対するＤＣＩを受信することをいう。ブラインド検出を行うことで、各ＰＤＣＣＨの特定の時間周波数リソース位置が決定され、したがってＰＤＣＣＨの受信、システム情報のような上位層シグナリングスケジューリング情報の読取り、および対応する情報の受信が実現される。現在のプロトコルでは、ブラインド検出が様々な集約レベルのＰＤＣＣＨで実施される回数が規定され、当該規定により、ＵＥによりブラインド検出ががＰＤＣＣＨで実施される回数が、ブラインド検出が実施される最大回数を超えないことが保証される。
【手続補正２】
【補正対象書類名】明細書
【補正対象項目名】０００３
【補正方法】変更
【補正の内容】
【０００３】
システムの性能を高め、物理ダウンリンク制御チャネル（Ｐｈｙｓｉｃａｌ  Ｄｏｗｎｌｉｎｋ  Ｃｏｎｔｒｏｌ  Ｃｈａｎｎｅｌ、以降、簡単のためＰＤＣＣＨと称する）の容量を拡大するために、拡張物理ダウンリンク制御チャネル（ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ、以降、簡単のためＥ−ＰＤＣＣＨと称する）がＲ１１バージョンで導入されている。Ｅ−ＰＤＣＣＨは、２つの送信モード、即ち、連続する周波数領域での局所送信と、離散周波数領域での分散送信があり、これらは異なるシナリオに適用される。一般に、ＵＥによりフィードバックされたより正確なチャネル情報を基地局が取得でき、隣接セルの干渉がサブフレームの変化に対してあまり強くないシナリオでは局所送信モードが多くの場合使用され、このケースでは、基地局は、ＵＥがフィードバックしたＣＳＩに従って、端末に対するＥ−ＰＤＣＣＨを送信するのに良好な品質を有する連続する周波数リソースを選択し、プリコーディング／ビーム形成処理を実施して、送信の性能を高める。チャネル情報を正確に取得できないか、または、隣接セルの干渉がサブフレームの変化に対して強くて予測できないシナリオでは、分散方式をＥ−ＰＤＣＣＨの送信に使用する必要がある。即ち、離散周波数リソースが送信に使用され、それによりダイバーシチ利得が得られる。
【手続補正３】
【補正対象書類名】明細書
【補正対象項目名】０００５
【補正方法】変更
【補正の内容】
【０００５】
しかし、幾つかのケースでは、ＵＥは、局所マップ方式のＥ−ＰＤＣＣＨと分散マップ方式のＥ−ＰＤＣＣＨを同時に検出するように構成される。この実施シナリオでは、ＵＥが２つの方式のＥ−ＰＤＣＣＨを検出する場合、ブラインド検出が実施される回数が、ブラインド検出が実施される最大回数を超えるおそれがあり、ＵＥのブラインド検出時間が長くなり、ＵＥの他のサービス・データ処理に影響が及ぶ。
【手続補正４】
【補正対象書類名】明細書
【補正対象項目名】０００８
【補正方法】変更
【補正の内容】
【０００８】
さらに、送信サブフレームにおいて物理制御チャネル集合の検出すべき集約レベルを選択するステップは、
物理制御チャネルに利用可能な物理制御チャネル集合のＰＲＢペアにおけるＲＥの数が閾値Ｘより小さく、当該物理制御チャネル集合の最小の検出すべき集約レベルは２であるとき、および、当該物理制御チャネル集合のＰＲＢペアに含まれるＲＥの数が閾値Ｘ以上であるとき、当該物理制御チャネル集合の最小の検出すべき集約レベルを１と選択するステップ、または、
送信サブフレーム・タイプが、正常ＣＰ長を有する正常サブフレームまたは３、４、もしくは８として構成された特殊サブフレームであり、かつ、物理制御チャネルに対して利用可能な１つのＰＲＢペアの中のＲＥの数がＸより小さいとき、当該物理制御チャネル集合の最小の検出すべき集約レベルを２と選択し、当該サブフレームが正常ＣＰ長を有する正常サブフレームではなく３、４、もしくは８として構成された特殊サブフレームでもないか、または、物理制御チャネルに対して利用可能な１つのＰＲＢペアの中のＲＥの数がＸより大きいとき、当該物理制御チャネル集合の最小の検出すべき集約レベルを１と選択するステップ
を含む。
【手続補正５】
【補正対象書類名】明細書
【補正対象項目名】０１２９
【補正方法】変更
【補正の内容】
【０１２９】
システム性能を改善しＰＤＣＣＨ容量を拡大するために、ＥＰＤＣＣＨがＲ１１バージョンに導入されている。今日、ＥＰＤＣＣＨが２つのモード、即ち、局所モードと分散モードをサポートする必要があると標準化の会議で決定されている。これらの２つのモードは、２つの異なるシナリオ、即ち、連続する周波数領域と離散周波数領域に適用される。さらに、３ＧＰＰ  ＲＡＮ１  ＃７０会合では、ＥＰＤＣＣＨの検索空間が物理制御チャネル集合（以降、簡単のためＥＰＤＣＣＨ集合と称する）を単位とし、１つのＥＰＤＣＣＨ集合がＮ個の物理リソース・ブロック（Ｐｈｙｓｉｃａｌ  Ｒｅｓｏｕｒｃｅ  Ｂｌｏｃｋｓ、以降、簡単のためＰＲＢと称する）により形成され、ＥＰＤＣＣＨ集合は局所マップ方式、または、分散マップ方式であり、１つのＵＥをＫ個の（Ｋ≧１）ＥＰＤＣＣＨ集合で構成してもよく、ＵＥは構成されたＥＰＤＣＣＨ集合においてＥＰＤＣＣＨを検索する、と規定されている。
【手続補正６】
【補正対象書類名】明細書
【補正対象項目名】０１３２
【補正方法】変更
【補正の内容】
【０１３２】
当該集約レベルに対応する物理制御チャネル候補の数は当該集約レベルに従って選択される。即ち、ブラインド検出が実施される回数が決定され、それにより、ブラインド検出が実施される回数は、当該プロトコルで規定された数を超えることができない。特に、当該集約レベルに対応するブラインド検出が実施される回数は物理制御チャネル候補の数に対応する。例えば、集約レベルが２である場合、それに対応する物理制御チャネル候補の数は６であり、ブラインド検出が実施される回数は６×２＝１２であり、２は１つのＥＰＤＣＣＨ候補がブラインド検出を２種類のＤＣＩフォーマットで実施する必要があることを示す。
【手続補正７】
【補正対象書類名】明細書
【補正対象項目名】０１４７
【補正方法】変更
【補正の内容】
【０１４７】
特に、送信サブフレームが正常サブフレームであるかまたは３、４、もしくは８として構成された特殊サブフレームであり、ＰＲＢペア内にありＥＰＤＣＣＨを送信するために利用可能なＲＥの数が閾値より小さいとき、または、当該閾値のみが考慮され、当該物理制御チャネル集合のＰＲＢペア内にあり物理制御チャネルに利用可能なＲＥの数が閾値Ｘより小さいとき、集約レベルが２である場合、当該ネットワーク側は、局所マップ方式に対応するＥＰＤＣＣＨ候補の数と分散マップ方式に対応するＥＰＤＣＣＨ候補の数の合計を６として選択し、集約レベルが４である場合、当該ネットワーク側は、局所マップ方式に対応するＥＰＤＣＣＨ候補の数と分散マップ方式に対応するＥＰＤＣＣＨ候補の数の合計を６として選択し、集約レベルが８である場合、当該ネットワーク側は、局所マップ方式に対応するＥＰＤＣＣＨ候補の数と分散マップ方式に対応するＥＰＤＣＣＨ候補の数の合計を２として選択し、集約レベルが１６である場合、当該ネットワーク側は、局所マップ方式に対応するＥＰＤＣＣＨ候補の数と分散マップ方式に対応するＥＰＤＣＣＨ候補の数の合計を２として選択する。
【手続補正８】
【補正対象書類名】明細書
【補正対象項目名】０１６２
【補正方法】変更
【補正の内容】
【０１６２】
表４は、ＥＰＤＣＣＨ候補が１組の局所マップ方式と１組の分散マップ方式に対して構成される第４の解決策である。表４に示すように、集約レベルが３２である場合、および、集約レベルが２である場合、ネットワーク側装置は、局所マップ方式での集約レベル２に対応するＥＰＤＣＣＨ候補の数、分散マップ方式での集約レベル３２に対応するＥＰＤＣＣＨ候補の数、および分散マップ方式での集約レベル２に対応するＥＰＤＣＣＨ候補の数の合計を６として選択し、それに応じて、集約レベルが３２である場合、および、集約レベルが２である場合、ユーザ機器は、局所マップ方式での集約レベル２に対応するＥＰＤＣＣＨ候補の数、分散マップ方式での集約レベル３２に対応するＥＰＤＣＣＨ候補の数、および分散マップ方式での集約レベル２に対応するＥＰＤＣＣＨ候補の数の合計を６として決定する。
【手続補正９】
【補正対象書類名】明細書
【補正対象項目名】０２０１
【補正方法】変更
【補正の内容】
【０２０１】
上述の方式１では、物理制御チャネル集合を２つの集合に分割した後、ＥＰＤＣＣＨ候補の数を異なる形のＥＰＤＣＣＨに従って割り当ててもよい。即ち、ブラインド検出が実施される回数が構成される。例えば、当該送信サブフレームが正常サブフレームまたは３、４、もしくは８として構成された特殊サブフレームであり、ＰＲＢペアの中のＥＰＤＣＣＨを送信するために利用できるＲＥの数が閾値より小さいとき、局所マップ方式でサポートされる集約レベルは２、４、８、および（１６）であり、分散マップ方式でサポートされる集約レベルは２、４、８、１６、および（３２）である。（１６）は、局所マップ方式における集約レベル１６が任意的であることを示し、（３２）は、分散マップ方式における集約レベル３２が任意的であることを示し、当該局所方式における集約レベル（１６）および当該分散方式における集約レベル（３２）を幾つかのＥＰＤＣＣＨ送信シナリオで使用する必要がある。ＰＤＣＣＨ候補チャネルの設定が使用され続けるので、ＥＰＤＣＣＨ候補の数｛６、６、２、２｝の合計が不変である。したがって、当該１組の局所マップ方式に対して、割り当てられたＥＰＤＣＣＨ候補の数は１０であり、残りのＥＰＤＣＣＨ候補は分散マップ方式に割り当てられる。具体的な構成を当該プロトコルで指定、即ち、事前に設定してもよく、ネットワーク側装置によりシグナリングを送信することでユーザ機器に通知してもよい。ユーザ機器がネットワーク側装置から通知された場合、ユーザ機器は、ブラインド検出を実施する前に、当該ネットワーク側により通知されたＥＰＤＣＣＨにおける各集約レベルに対応するＥＰＤＣＣＨ候補の数を受信する。
【手続補正１０】
【補正対象書類名】明細書
【補正対象項目名】０２０５
【補正方法】変更
【補正の内容】
【０２０５】
表１６は、ＥＰＤＣＣＨ候補が１組の局所マップ方式に対して構成される第２の解決策である。表１６に示すように、局所マップ方式に対しては、ネットワーク側装置は、集約レベル２に対応するＥＰＤＣＣＨ候補の数を６として選択し、集約レベル４に対応するＥＰＤＣＣＨ候補の数を６として選択し、集約レベル８に対応するＥＰＤＣＣＨ候補の数を２として選択し、分散マップ方式に対しては、当該ネットワーク側装置は、２つのＥＰＤＣＣＨ候補を少なくとも１つの集約レベルに割り当てることを選択し、それに応じて、局所マップ方式に対しては、ユーザ機器２０は、集約レベル２に対応するＥＰＤＣＣＨ候補の数を６として決定し、集約レベル４に対応するＥＰＤＣＣＨ候補の数を６として決定し、集約レベル８に対応するＥＰＤＣＣＨ候補の数を２として決定し、分散マップ方式に対しては、ユーザ機器は２つのＥＰＤＣＣＨ候補を少なくとも１つの集約レベルに割り当てると決定する。
【手続補正１１】
【補正対象書類名】明細書
【補正対象項目名】０２１４
【補正方法】変更
【補正の内容】
【０２１４】
表１８では、局所マップ方式に割り当てられるＥＰＤＣＣＨ候補の数は６＋６＋２＝１４であり、アップリンク多入力多出力（Ｍｕｌｔｉｐｌｅ  Ｉｎｐｕｔ  Ｍｕｌｔｉｐｌｅ  Ｏｕｔｐｕｔ、以降、簡単のためＭＩＭＯと称する）がサポートされない場合には、ブラインド検出が実施される回数の合計は１４×２＝２８である。２は、ブラインド検出を１つのＥＰＤＣＣＨ候補における２種類のＤＣＩフォーマットで実施する必要があることを示す。アップリンクＭＩＭＯがサポートされる場合、アップリンクのスケジューリングに対して、ブラインド検出も（ＤＣＩフォーマット４のような）別のＤＣＩフォーマットで実施する必要があり、ブラインド検出が実施される回数は（６＋６＋２）×１＝１４である。このケースでは、ブラインド検出が実施される回数の合計は２８＋１４＝４２である。残りの２個のＥＰＤＣＣＨ候補が１組の分散マップ方式に割り当てられる。即ち、アップリンクＭＩＭＯがサポートされない場合、当該１組の分散マップ方式に割り当てられるブラインド検出が実施される回数は２×２＝４であり、アップリンクＭＩＭＯがサポートされる場合、アップリンクのスケジューリングのためにブラインド検出が別のＤＣＩフォーマットで実施される回数は２×１であり、ブラインド検出が実施される回数の合計は４＋２＝６である。特に、残りの２個のＥＰＤＣＣＨ候補が割り当てられる分散マップ方式の１つの集約レベルまたは幾つかの集約レベルは送信されたＤＣＩに従って選択され、一般に、残りの２個のＥＰＤＣＣＨ候補が、集約レベル８または集約レベル１６のような高い集約レベルの分散マップ方式に割り当てられる。
【手続補正１２】
【補正対象書類名】明細書
【補正対象項目名】０２２４
【補正方法】変更
【補正の内容】
【０２２４】
当該実施形態では、システム情報無線ネットワーク一時識別子（Ｓｙｓｔｅｍ  Ｉｎｆｏｒｍａｔｉｏｎ−Ｒａｄｉｏ  Ｎｅｔｗｏｒｋ  Ｔｅｍｐｏｒａｒｙ  Ｉｄｅｎｔｉｆｉｅｒ、以降、簡単のためＳＩ−ＲＮＴＩと称する）、ランダム・アクセスＲＮＴＩ（Ｒａｎｄｏｍ  Ａｃｃｅｓｓ−ＲＮＴＩ、以降、簡単のためＲＡ−ＲＮＴＩと称する）、およびページングＲＮＴＩ（Ｐａｇｉｎｇ−ＲＮＴＩ、以降、簡単のためＰ−ＲＮＴＩと称する）を用いることでスクランブルされたダウンリンク制御情報が分散マップ方式の当該ＥＰＤＣＣＨ候補で運搬される。さらに、当該ダウンリンク制御情報がフォーマット０またはフォーマット１Ａである場合、当該ダウンリンク制御情報も分散マップ方式のＥＰＤＣＣＨ候補で運搬される。別のＲＮＴＩを用いてスクランブルされた制御シグナリングは局所マップ方式のＥＰＤＣＣＨ候補で運搬される。
【手続補正１３】
【補正対象書類名】明細書
【補正対象項目名】０２７５
【補正方法】変更
【補正の内容】
【０２７５】
選択プロセッサ１０１０は、送信サブフレームにおいて物理制御チャネル集合の検出すべき集約レベルを選択し、当該集約レベルに対応する物理制御チャネル候補の数を当該集約レベルに従って選択するように構成される。送信器１０２０は、当該選択された数に対応する物理制御チャネル候補でダウンリンク制御情報を送信するように構成される。
【手続補正１４】
【補正対象書類名】特許請求の範囲
【補正対象項目名】全文
【補正方法】変更
【補正の内容】
【特許請求の範囲】
【請求項１】
ダウンリンク制御情報を送信するための方法であって、
ユーザ機器により、送信サブフレームにおける物理制御チャネル集合の集約レベルを決定するステップと、
前記ユーザ機器により、前記集約レベルに対応する物理制御チャネル候補の数を前記集約レベルに従って決定するステップと、
前記ユーザ機器により、前記決定された数に対応する物理制御チャネル候補でダウンリンク制御情報を受信するステップと、
を含む、方法。
【請求項２】
前記物理制御チャネル候補は拡張物理ダウンリンク制御チャネル（ＥＰＤＣＣＨ）候補であり、前記物理制御チャネル集合はＥＰＤＣＣＨ集合である、請求項１に記載の方法。
【請求項３】
前記ユーザ機器により、前記集約レベルに対応する物理制御チャネル候補の数を前記集約レベルに従って決定するステップは、
前記ユーザ機器により、前記ＥＰＤＣＣＨ集合の局所マップ方式および分散マップ方式において前記集約レベルに対応する前記ＥＰＤＣＣＨ候補の数を決定するステップ
を含む、請求項２に記載の方法。
【請求項４】
前記ユーザ機器により、前記物理制御チャネル集合の前記集約レベルに対応する物理制御チャネル候補の数を決定するステップは、
前記物理制御チャネル集合が局所マップ方式であるとき、前記ユーザ機器により、前記集約レベルに対応する物理制御チャネル候補の数を前記物理制御チャネル集合の物理リソース・ブロック（ＰＲＢ）の数に従って決定するステップ
を含む、請求項１乃至３の何れか１項に記載の方法。
【請求項５】
前記ユーザ機器により、前記物理制御チャネル集合の前記集約レベルに対応する物理制御チャネル候補の数を決定するステップは、
前記物理制御チャネル集合が分散マップ方式であるとき、前記ユーザ機器により、前記集約レベルに対応する物理制御チャネル候補の数を前記物理制御チャネル集合の物理リソース・ブロック（ＰＲＢ）の数に従って決定するステップ
を含む、請求項１乃至３の何れか１項に記載の方法。
【請求項６】
ダウンリンク制御情報を送信するための方法であって、
ネットワーク側装置により、送信サブフレームにおける物理制御チャネル集合の集約レベルを選択するステップと、
前記ネットワーク側装置により、前記集約レベルに対応する物理制御チャネル候補の数を前記集約レベルに従って選択するステップと、
前記ネットワーク側装置により、前記物理制御チャネル候補の前記選択された数に対応する物理制御チャネル候補でダウンリンク制御情報を送信するステップと、
を含む、方法。
【請求項７】
前記物理制御チャネル候補は拡張物理ダウンリンク制御チャネル（ＥＰＤＣＣＨ）候補であり、前記物理制御チャネル集合はＥＰＤＣＣＨ集合である、請求項６に記載の方法。
【請求項８】
前記ネットワーク側装置により、前記集約レベルに対応する前記物理制御チャネル候補の数を前記集約レベルに従って選択するステップは、
前記ネットワーク側装置により、前記ＥＰＤＣＣＨ集合の局所マップ方式および分散マップ方式において前記集約レベルに対応する前記ＥＰＤＣＣＨ候補の数を選択するステップ
を含む、請求項７に記載の方法。
【請求項９】
前記ネットワーク側装置により、前記物理制御チャネル集合の前記集約レベルに対応する物理制御チャネル候補の数を選択するステップは、
前記物理制御チャネル集合が局所マップ方式であるとき、前記ネットワーク側装置により、前記集約レベルに対応する前記物理制御チャネル候補の数を前記物理制御チャネル集合の物理リソース・ブロック（ＰＲＢ）の数に従って選択するステップ
を含む、請求項６乃至８の何れか１項に記載の方法。
【請求項１０】
前記ネットワーク側装置により、前記物理制御チャネル集合の前記集約レベルに対応する物理制御チャネル候補の数を選択するステップは、
前記物理制御チャネル集合が分散マップ方式であるとき、前記ネットワーク側装置により、前記集約レベルに対応する前記物理制御チャネル候補の数を前記物理制御チャネル集合の物理リソース・ブロック（ＰＲＢ）の数に従って選択するステップ
を含む、請求項６乃至８の何れか１項に記載の方法。
【請求項１１】
決定プロセッサと前記決定プロセッサに接続された受信器を備えたユーザ機器であって、
前記決定プロセッサは、送信サブフレームにおける物理制御チャネル集合の集約レベルを決定し、前記集約レベルに対応する物理制御チャネル候補の数を前記集約レベルに従って決定するように構成され、
前記受信器は、前記決定された数に対応する物理制御チャネル候補でダウンリンク制御情報を受信するように構成された、
ユーザ機器。
【請求項１２】
前記物理制御チャネル候補は拡張物理ダウンリンク制御チャネル（ＥＰＤＣＣＨ）候補であり、前記物理制御チャネル集合はＥＰＤＣＣＨ集合である、請求項１１に記載のユーザ機器。
【請求項１３】
前記決定プロセッサが、前記集約レベルに対応する物理制御チャネル候補の数を前記集約レベルに従って決定するように構成されることは、
前記決定プロセッサが、前記ＥＰＤＣＣＨ集合の局所マップ方式および分散マップ方式において前記集約レベルに対応する前記ＥＰＤＣＣＨ候補の数を決定するように構成されることを含む、
請求項１２に記載のユーザ機器。
【請求項１４】
前記決定プロセッサが、前記物理制御チャネル集合の前記集約レベルに対応する物理制御チャネル候補の数を決定するように構成されることは、
前記決定プロセッサが、前記物理制御チャネル集合が局所マップ方式であるとき、前記集約レベルに対応する物理制御チャネル候補の数を前記物理制御チャネル集合の物理リソース・ブロック（ＰＲＢ）の数に従って決定するように構成されることを含む、
請求項１１乃至１３の何れか１項に記載のユーザ機器。
【請求項１５】
前記決定プロセッサが、前記物理制御チャネル集合の前記集約レベルに対応する物理制御チャネル候補の数を決定するように構成されることは、
前記決定プロセッサが、前記物理制御チャネル集合が分散マップ方式であるとき、前記集約レベルに対応する物理制御チャネル候補の数を前記物理制御チャネル集合の物理リソース・ブロック（ＰＲＢ）の数に従って決定するように構成されることを含む、
請求項１１乃至１３の何れか１項に記載のユーザ機器。
【請求項１６】
選択プロセッサと前記選択プロセッサに接続された送信器とを備えたネットワーク側装置であって、
前記選択プロセッサは、送信サブフレームにおける物理制御チャネル集合の集約レベル、および前記集約レベルに対応する物理制御チャネル候補の数を前記集約レベルに従って選択するように構成され、
前記送信器は、前記選択された数に対応する物理制御チャネル候補でダウンリンク制御情報を送信するように構成された、
ネットワーク側装置。
【請求項１７】
前記物理制御チャネル候補は拡張物理ダウンリンク制御チャネル（ＥＰＤＣＣＨ）候補であり、前記物理制御チャネル集合はＥＰＤＣＣＨ集合である、請求項１６に記載のネットワーク側装置。
【請求項１８】
前記選択プロセッサが、前記集約レベルに対応する前記物理制御チャネル候補の数を前記集約レベルに従って選択するように構成されることは、
前記選択プロセッサが、前記ＥＰＤＣＣＨ集合の局所マップ方式および分散マップ方式において前記集約レベルに対応する前記ＥＰＤＣＣＨ候補の数を選択するように構成されること
を含む、請求項１７に記載のネットワーク側装置。
【請求項１９】
前記選択プロセッサが、前記物理制御チャネル集合の前記集約レベルに対応する物理制御チャネル候補の数を選択するように構成されることは、
前記選択プロセッサが、前記物理制御チャネル集合が分散マップ方式であるとき、前記集約レベルに対応する前記物理制御チャネル候補の数を前記物理制御チャネル集合の物理リソース・ブロック（ＰＲＢ）の数に従って選択するように構成されること
を含む、請求項１６乃至１８の何れか１項に記載のネットワーク側装置。
【請求項２０】
前記選択プロセッサが、前記物理制御チャネル集合の前記集約レベルに対応する物理制御チャネル候補の数を選択するように構成されることは、
前記選択プロセッサが、前記物理制御チャネル集合が局所マップ方式であるとき、前記集約レベルに対応する物理制御チャネル候補の数を前記物理制御チャネル集合の物理リソース・ブロック（ＰＲＢ）の数に従って選択するように構成されること
を含む、請求項１６乃至１８の何れか１項に記載のネットワーク側装置。
【請求項２１】
請求項１乃至５の何れか１項に記載の方法をコンピュータに実行させるプログラム。
【請求項２２】
請求項６乃至１０の何れか１項に記載の方法をコンピュータに実行させるプログラム。
【国際調査報告】
2015532069.tif 000027
2015532069.tif 000028
2015532069.tif 000029
2015532069.tif 000030